(57)【要約】【課題】素子性能を向上させることのできる有機エレクトロルミネッセンス素子を提供すること及び当該有機エレクトロルミネッセンス素子を搭載した電子機器を提供すること。【解決手段】陽極と、発光層と、陰極と、を有し、前記発光層は、第一の化合物、及び第二の化合物を含み、前記第二の化合物は、下記（ａ）、（ｂ）、（ｃ）及び（ｄ）を満たす化合物である、有機エレクトロルミネッセンス素子。  （ａ）半値幅が３０ｎｍ以下  （ｂ）イオン化ポテンシャルが６．０ｅＶ以下  （ｃ）一重項エネルギーＳ１（Ｍ２）が２．６ｅＶ以上  （ｄ）トルエン溶液中でのピークトップが４６５ｎｍ以下【選択図】なし【特許請求の範囲】
【請求項１】
陽極と、発光層と、陰極と、を有し、
前記発光層は、第一の化合物、及び第二の化合物を含み、
前記第二の化合物は、下記（ａ）、（ｂ）、（ｃ）及び（ｄ）を満たす化合物である、
有機エレクトロルミネッセンス素子。
（ａ）半値幅が３０ｎｍ以下
（ｂ）イオン化ポテンシャルが６．０ｅＶ以下
（ｃ）一重項エネルギーＳ１（Ｍ２）が２．６ｅＶ以上
（ｄ）トルエン溶液中でのピークトップが４６５ｎｍ以下
【請求項２】
請求項１に記載の有機エレクトロルミネッセンス素子において、
前記第二の化合物は、下記式（２１）、（３１）、（４１）、（５１）及び（６１）からなる群から選択される１以上の化合物である、
請求項１に記載の有機エレクトロルミネッセンス素子。
【化１】
2020178024.tif 000158
（前記一般式（２１）において、
Ｚは、それぞれ独立に、ＣＲａ又はＮであり、複数のＺは、互いに同一であるか、又は異なり、
Ａ１環及びＡ２環は、それぞれ独立に、
置換もしくは無置換の環形成炭素数６〜５０の芳香族炭化水素環、又は
置換もしくは無置換の環形成原子数５〜５０の複素環であり、
Ｒａが複数存在する場合、複数のＲａのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ｎ２１及びｎ２２は、それぞれ独立に、０、１、２、３又は４であり、
Ｒｂが複数存在する場合、複数のＲｂのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
Ｒｃが複数存在する場合、複数のＲｃのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲａ、Ｒｂ及びＲｃは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（２１）におけるＲ９０１、Ｒ９０２、Ｒ９０３、Ｒ９０４、Ｒ９０５、Ｒ９０６及びＲ９０７は、それぞれ独立に、
置換もしくは無置換の環形成炭素数６〜５０のアリール基、
置換もしくは無置換の環形成原子数５〜５０の複素環基、
置換もしくは無置換の炭素数１〜５０のアルキル基、又は
置換もしくは無置換の環形成炭素数３〜５０のシクロアルキル基であり、
Ｒ９０１が複数ある場合、複数のＲ９０１は、互いに同一であるか、又は異なり、
Ｒ９０２が複数ある場合、複数のＲ９０２は、互いに同一であるか、又は異なり、
Ｒ９０３が複数ある場合、複数のＲ９０３は、互いに同一であるか、又は異なり、
Ｒ９０４が複数ある場合、複数のＲ９０４は、互いに同一であるか、又は異なり、
Ｒ９０５が複数ある場合、複数のＲ９０５は、互いに同一であるか、又は異なり、
Ｒ９０６が複数ある場合、複数のＲ９０６は、互いに同一であるか、又は異なり、
Ｒ９０７が複数ある場合、複数のＲ９０７は、互いに同一であるか、又は異なる。）
【化２】
2020178024.tif 000159
（前記一般式（３１）において、
Ｒ３０１〜Ｒ３０７及びＲ３１１〜Ｒ３１７のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲ３０１〜Ｒ３０７及びＲ３１１〜Ｒ３１７は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｒ３２１及びＲ３２２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（３１）におけるＲ９０１〜Ｒ９０７は、それぞれ、前記一般式（２１）におけるＲ９０１〜Ｒ９０７と同義である。）
【化３】
2020178024.tif 000160
（前記一般式（４１）において、
ａ環、ｂ環及びｃ環は、それぞれ独立に、
置換もしくは無置換の環形成炭素数６〜５０の芳香族炭化水素環、又は
置換もしくは無置換の環形成原子数５〜５０の複素環であり、
Ｒ４０１及びＲ４０２は、それぞれ独立に、
前記ａ環、ｂ環又はｃ環と結合して、置換もしくは無置換の環形成原子数５〜５０の複素環を形成するか、又は
前記ａ環、ｂ環又はｃ環と結合せず、
前記置換もしくは無置換の環形成原子数５〜５０の複素環を形成しないＲ４０１及びＲ４０２は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。）
【化４】
2020178024.tif 000161
（前記一般式（５１）において、
ｒ環は、隣接環の任意の位置で縮合する前記一般式（５２）又は前記一般式（５３）で表される環であり、
ｑ環及びｓ環は、それぞれ独立に、隣接環の任意の位置で縮合する前記一般式（５４）で表される環であり、
ｐ環及びｔ環は、それぞれ独立に、隣接環の任意の位置で縮合する前記一般式（５５）又は前記一般式（５６）で表される環であり、
前記一般式（５２）において、ｍ１は、２であり、
前記一般式（５３）において、ｍ２は、４であり、
前記一般式（５５）において、ｍ３は、３であり、
前記一般式（５６）において、ｍ４は、５であり、
Ｒ５０１が複数存在する場合、複数のＲ５０１は、互いに同一であるか、又は異なり、
前記一般式（５２）、前記一般式（５３）、前記一般式（５５）又は前記一般式（５６）において、Ｒ５０１が複数存在する場合、複数のＲ５０１のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記一般式（５４）において、Ｘ５０１は、酸素原子、硫黄原子、又はＮＲ５０２であり、
Ｘ５０１が複数存在する場合、複数のＸ５０１は、互いに同一であるか、又は異なり、
Ｒ５０２が複数存在する場合、複数のＲ５０２は、互いに同一であるか、又は異なり、
前記置換もしくは無置換の単環を形成せず、かつ前記置換もしくは無置換の縮合環を形成しないＲ５０１、及びＲ５０２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（５２）〜（５４）におけるＲ９０１〜Ｒ９０７は、それぞれ、前記一般式（２１）におけるＲ９０１〜Ｒ９０７と同義であり、
前記一般式（５５）及び一般式（５６）において、
Ａｒ５０１及びＡｒ５０２は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ａｒ５０１が複数存在する場合、複数のＡｒ５０１は、互いに同一であるか、又は異なり、
Ａｒ５０２が複数存在する場合、複数のＡｒ５０２は、互いに同一であるか、又は異なり、
Ｌ５０１は、
置換もしくは無置換の炭素数１〜５０のアルキレン基、
置換もしくは無置換の炭素数２〜５０のアルケニレン基、
置換もしくは無置換の炭素数２〜５０のアルキニレン基、
置換もしくは無置換の環形成炭素数３〜５０のシクロアルキレン基、
置換もしくは無置換の環形成炭素数６〜５０のアリーレン基、又は
置換もしくは無置換の環形成原子数５〜５０の２価の複素環基であり、
Ｌ５０１が複数存在する場合、複数のＬ５０１は、互いに同一であるか、又は異なる。）
【化５】
2020178024.tif 000162
（前記一般式（６１）において、
Ｘ６０１は、酸素原子、硫黄原子、又はＮＲ６０９であり、
Ｒ６０１〜Ｒ６０４のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ただし、Ｒ６０１〜Ｒ６０４のうちの隣接する２つ以上からなる組の少なくとも１組が、互いに結合して、下記一般式（６２）で表される２価の基を形成し、
Ｒ６０５〜Ｒ６０８のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ただし、Ｒ６０５〜Ｒ６０８のうちの隣接する２つ以上からなる組の少なくとも１組が、互いに結合して、下記一般式（６３）で表される２価の基を形成する。）
【化６】
2020178024.tif 000163
（前記一般式（６２）で表される２価の基を形成せず、前記置換もしくは無置換の単環を形成せず、かつ前記置換もしくは無置換の縮合環を形成しないＲ６０１〜Ｒ６０４、並びに前記一般式（６２）におけるＲ６１１〜Ｒ６１４の少なくとも１つは、下記一般式（６４）で表される１価の基であり、
前記一般式（６３）で示される２価の基を形成せず、前記置換もしくは無置換の単環を形成せず、かつ前記置換もしくは無置換の縮合環を形成しないＲ６０５〜Ｒ６０８、並びに前記一般式（６３）におけるＲ６２１〜Ｒ６２４の少なくとも１つは、下記一般式（６４）で表される１価の基である。）
【化７】
2020178024.tif 000164
（前記一般式（６２）及び一般式（６３）で表される２価の基を形成せず、前記一般式（６４）で表される１価の基ではなく、前記置換もしくは無置換の単環を形成せず、かつ前記置換もしくは無置換の縮合環を形成しないＲ６０１〜Ｒ６０８、前記一般式（６４）で表される１価の基ではないＲ６１１〜Ｒ６１４及びＲ６２１〜Ｒ６２４、並びにＲ６０９は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（６１）〜（６４）におけるＲ９０１〜Ｒ９０７は、それぞれ、前記一般式（２１）におけるＲ９０１〜Ｒ９０７と同義であり、
前記一般式（６４）において、
Ａｒ６０１及びＡｒ６０２は、それぞれ独立に、
置換もしくは無置換の環形成炭素数６〜５０のアリール基、又は
置換もしくは無置換の環形成原子数５〜５０の複素環基であり、
Ｌ６０１〜Ｌ６０３は、それぞれ独立に、
単結合、
置換もしくは無置換の環形成炭素数６〜３０のアリーレン基、
置換もしくは無置換の環形成原子数５〜３０の２価の複素環基、又は
置換もしくは無置換の環形成炭素数６〜３０のアリーレン基及び置換もしくは無置換の環形成原子数５〜３０の２価の複素環基からなる群から選択される２個、３個又は４個の基が結合して形成される２価の連結基である。）
【請求項３】
前記一般式（４１）におけるａ環、ｂ環及びｃ環が、それぞれ独立に、置換もしくは無置換の環形成炭素数６〜５０の芳香族炭化水素環である、
請求項２に記載の有機エレクトロルミネッセンス素子。
【請求項４】
前記一般式（４１）におけるＲ４０１及びＲ４０２が、それぞれ独立に、
置換もしくは無置換の環形成炭素数６〜５０のアリール基、又は
置換もしくは無置換の環形成原子数５〜５０の複素環基である
請求項２又は請求項３に記載の有機エレクトロルミネッセンス素子。
【請求項５】
前記一般式（４１）におけるＲ４０１及びＲ４０２が、それぞれ独立に、置換もしくは無置換の環形成炭素数６〜５０のアリール基である、
請求項２から請求項４のいずれか一項に記載の有機エレクトロルミネッセンス素子。
【請求項６】
前記一般式（４１）で表される化合物が下記一般式（４２）で表される化合物である、
請求項２から請求項５のいずれか一項に記載の有機エレクトロルミネッセンス素子。
【化８】
2020178024.tif 000165
（前記一般式（４２）において、
Ｒ４０１Ａは、Ｒ４１１及びＲ４２１からなる群から選択される１以上と結合して、
置換もしくは無置換の複素環を形成するか、又は
置換もしくは無置換の複素環を形成せず、
Ｒ４０２Ａは、Ｒ４１３及びＲ４１４からなる群から選択される１以上と結合して、
置換もしくは無置換の複素環を形成するか、又は
置換もしくは無置換の複素環を形成せず、
前記置換もしくは無置換の複素環を形成しないＲ４０１Ａ及びＲ４０２Ａは、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ４１１〜Ｒ４２１のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の複素環を形成せず、前記置換もしくは無置換の単環を形成せず、かつ前記置換もしくは無置換の縮合環を形成しないＲ４１１〜Ｒ４２１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｒ９０１〜Ｒ９０７は、それぞれ、前記一般式（２１）におけるＲ９０１〜Ｒ９０７と同義である。）
【請求項７】
前記一般式（４１）で表される化合物が下記一般式（４３）で表される化合物である、
請求項２から請求項６のいずれか一項に記載の有機エレクトロルミネッセンス素子。
【化９】
2020178024.tif 000166
（前記一般式（４３）において、
Ｒ４３１及びＲ４４６からなる組は、
互いに結合して、置換もしくは無置換の複素環を形成するか、又は
互いに結合せず、
Ｒ４３３及びＲ４４７からなる組は、
互いに結合して、置換もしくは無置換の複素環を形成するか、又は
互いに結合せず、
Ｒ４３４及びＲ４５１からなる組は、
互いに結合して、置換もしくは無置換の複素環を形成するか、又は
互いに結合せず、
Ｒ４４１及びＲ４４２からなる組は、
互いに結合して、置換もしくは無置換の複素環を形成するか、又は
互いに結合せず、
Ｒ４３１〜Ｒ４５１のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の複素環を形成せず、前記置換もしくは無置換の単環を形成せず、かつ前記置換もしくは無置換の縮合環を形成しないＲ４３１〜Ｒ４５１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｒ９０１〜Ｒ９０７は、それぞれ、前記一般式（２１）におけるＲ９０１〜Ｒ９０７と同義である。）
【請求項８】
前記第一の化合物は、金属錯体である、
請求項１から請求項７のいずれか一項に記載の有機エレクトロルミネッセンス素子。
【請求項９】
前記第一の化合物としての前記金属錯体は、イリジウム錯体、銅錯体、白金錯体、オスミウム錯体又は金錯体である、
請求項８に記載の有機エレクトロルミネッセンス素子。
【請求項１０】
前記第一の化合物としての前記金属錯体は、下記一般式（１００）で表される、
請求項８に記載の有機エレクトロルミネッセンス素子。
【化１０】
2020178024.tif 000167
（前記一般式（１００）において、
Ｍｅｔは、金属であり、
（Ｙ１０３−Ｙ１０４）は、二座配位子であり、
Ｙ１０３及びＹ１０４は、それぞれ独立に、Ｃ、Ｎ、Ｏ、Ｐ及びＳから選択され、
Ｌ１０１は、前記（Ｙ１０３−Ｙ１０４）で表される二座配位子とは異なる他の配位子であり、
ｋ１は、１から金属Ｍｅｔに配位し得る配位子の最大数までの整数値であり、且つ、ｋ１＋ｋ２は、金属Ｍｅｔに配位し得る配位子の最大数である。）
【請求項１１】
前記第一の化合物としての前記金属錯体は、
下記一般式（１０１）で表されるモノアニオン性二座配位子を含むリン光性金属錯体であり、
前記リン光性金属錯体における金属は、４０より大きな原子番号をもつ非放射性金属からなる群から選択され、かつ、前記モノアニオン性二座配位子は、別の配位子と連結して三座、四座、五座、又は六座の配位子を構成してもよい、
請求項８に記載の有機エレクトロルミネッセンス素子。
【化１１】
2020178024.tif 000168
（前記一般式（１０１）中、
Ｒ１ａ、Ｒ１ｂ、Ｒ１ｃ、Ｒ１ｄ、Ｒ１ｅ、Ｒ１ｆ、Ｒ１ｇ及びＲ１ｈのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲ１ａ、Ｒ１ｂ、Ｒ１ｃ、Ｒ１ｄ、Ｒ１ｅ、Ｒ１ｆ、Ｒ１ｇ及びＲ１ｈは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
−Ｂ（Ｒ９０８）（Ｒ９０９）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｒ１ａ、Ｒ１ｂ、Ｒ１ｃ、Ｒ１ｄ、Ｒ１ｅ、Ｒ１ｆ、Ｒ１ｇ、Ｒ１ｈ、Ｒ９０１、Ｒ９０２、Ｒ９０３、Ｒ９０４、Ｒ９０５、Ｒ９０６、Ｒ９０７、Ｒ９０８及びＲ９０９のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲ９０１、Ｒ９０２、Ｒ９０３、Ｒ９０４、Ｒ９０５、Ｒ９０６、Ｒ９０７、Ｒ９０８及びＲ９０９は、それぞれ独立して、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。）
【請求項１２】
前記第一の化合物としての前記金属錯体は、
下記一般式（１０２）で表される
請求項８に記載の有機エレクトロルミネッセンス素子。
【化１２】
2020178024.tif 000169
（前記一般式（１０２）中、
Ｍは、金属であり、
Ａ環及びＢ環は、それぞれ独立して、５環又は６環の芳香族環であり、
Ｚ１及びＺ２は、それぞれ独立して、Ｃ及びＮからなる群から選択され、
Ｌ１及びＬ２は、それぞれ独立して、
単結合、
ＢＲ１２１、
ＮＲ１２２、
ＰＲ１２３、
酸素原子、
硫黄原子、
セレン原子、
Ｃ＝Ｏ、
Ｓ＝Ｏ、
ＳＯ２、
置換もしくは無置換の炭素数１〜５０のアルキレン基、
置換もしくは無置換の炭素数２〜５０のアルケニレン基、
置換もしくは無置換の環形成炭素数３〜５０のシクロアルキレン基、
Ｓｉ（Ｒ１２４）（Ｒ１２５）、
Ｇｅ（Ｒ１２６）（Ｒ１２７）、及び
これらの組合せで成り立った群から選択され、
ＲＡ及びＬ２からなる組が、
互いに結合して、置換もしくは無置換の単環を形成するか、
互いに結合して、置換もしくは無置換の縮合環を形成するか、又は
互いに結合せず、
ＲＢ及びＬ２からなる組が、
互いに結合して、置換もしくは無置換の単環を形成するか、
互いに結合して、置換もしくは無置換の縮合環を形成するか、又は
互いに結合せず、
ＲＡが複数ある場合、複数のＲＡのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ＲＢが複数ある場合、複数のＲＢのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ＲＣ１、ＲＣ２及びＲＣ３うちの隣接する２つ以上からなる組の１組以上が、
互いに結合して、置換もしくは無置換の単環を形成するか、
互いに結合して、置換もしくは無置換の縮合環を形成するか、又は
互いに結合せず、
ＲＤ１及びＲＤ２からなる組が、
互いに結合して、置換もしくは無置換の単環を形成するか、
互いに結合して、置換もしくは無置換の縮合環を形成するか、又は
互いに結合せず、
Ｒ１２１〜Ｒ１２７、並びに前記置換もしくは無置換の単環を形成せず、かつ前記置換もしくは無置換の縮合環を形成しないＲＡ、ＲＢ、ＲＣ１、ＲＣ２、ＲＣ３、ＲＤ１及びＲＤ２は、それぞれ独立して、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
アシル基、
カルボニル基、
カルボキシ基、
エステル基、
イソニトリル基、
スルファニル基、
スルフィニル基、
スルホニル基、
ホスフィノ基、
置換もしくは無置換の環形成炭素数６〜５０のアリール基、
置換もしくは無置換の環形成原子数５〜５０の複素環基、及び
これらの組合せで成り立った群から選択され、
Ｒは、
水素原子、
置換もしくは無置換の炭素数１〜５０のアルキル基、
置換もしくは無置換の環形成炭素数３〜５０のシクロアルキル基、
置換もしくは無置換のアラルキル基、
−Ｓｉ（Ｒ９０１）（Ｒ９０２）（Ｒ９０３）で表される基、
置換もしくは無置換の環形成炭素数６〜５０のアリール基、
置換もしくは無置換の環形成原子数５〜５０の複素環基、及び
これらの組合せで成り立った群から選択され、
Ｒ９０１、Ｒ９０２、Ｒ９０３、Ｒ９０４、Ｒ９０５、Ｒ９０６、Ｒ９０７、Ｒ９０８及びＲ９０９は、それぞれ独立して、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。）
【請求項１３】
前記第一の化合物としての前記金属錯体は、
下記一般式（１０３）で表される
請求項８に記載の有機エレクトロルミネッセンス素子。
【化１３】
2020178024.tif 000170
（前記一般式（１０３）において、
Ｍは、金属であり、
Ｘ３は、酸素原子、硫黄原子、ＮＲＸ１又はＣ（ＲＸ２）（ＲＸ３）であり、
ＲＸ１、ＲＸ２及びＲＸ３は、それぞれ独立して、
置換もしくは無置換の環形成炭素数６〜５０のアリール基、
置換もしくは無置換の環形成原子数５〜５０の複素環基、
置換もしくは無置換の炭素数１〜５０のアルキル基、又は
置換もしくは無置換の環形成炭素数３〜５０のシクロアルキル基であり、
Ｒ１およびＲ２からなる組又はＲ２およびＲ３からなる組が、
互いに結合して、置換もしくは無置換の５員環を形成するか、
互いに結合して、置換もしくは無置換の６員環を形成するか、又は
互いに結合せず、
複数のＲ８のうちの隣接する２つ以上からなる組の１組以上が、
互いに結合して、置換もしくは無置換の５員環を形成するか、
互いに結合して、置換もしくは無置換の６員環を形成するか、又は
互いに結合せず、
前記置換もしくは無置換の５員環及び前記置換もしくは無置換の６員環は、それぞれ独立して、
シクロアルキル、
シクロヘテロアルキル、
アリール、または
ヘテロアリールであり、
前記置換の５員環及び前記置換の６員環は、それぞれ独立して、置換基Ｊを有し、複数の置換基Ｊがある場合、複数の置換基Ｊは、互いに同一であるか又は異なり、
複数の置換基Ｊのうちの隣接する２つ以上からなる組の１組以上が、
互いに結合して、置換もしくは無置換の５員環を形成するか、
互いに結合して、置換もしくは無置換の６員環を形成するか、又は
互いに結合せず、
前記置換もしくは無置換の５員環及び前記置換もしくは無置換の６員環を形成しない置換基Ｊは、それぞれ独立して、
ＲＪ１、
ＣＮ、
ＣＦ３、
Ｃ（Ｏ）ＯＲＪ２、
Ｃ（Ｏ）ＲＪ３、
Ｃ（Ｏ）Ｎ（ＲＪ４）（ＲＪ５）、
ＮＲ（ＲＪ６）（ＲＪ７）、
ＮＯ２、
ＯＲＪ８、
ＳＲＪ９、
ＳＯ２、
ＳＯＲＪ１０、又は
ＳＯ３ＲＪ１１であり、
ＲＪ１、ＲＪ２、ＲＪ３、ＲＪ４、ＲＪ５、ＲＪ６、ＲＪ７、ＲＪ８、ＲＪ９、ＲＪ１０及びＲＪ１１は、それぞれ独立して、
水素原子、
ハロゲン原子、
置換もしくは無置換の炭素数１〜５０のアルキル、
置換もしくは無置換の環形成炭素数３〜５０のシクロアルキル基、
置換もしくは無置換の炭素数２〜５０のアルケニル基、
置換もしくは無置換の炭素数２〜５０のアルキニル基、
ヘテロアルキル、
置換もしくは無置換のアラルキル基、
置換もしくは無置換の環形成炭素数６〜５０のアリール、又は
置換もしくは無置換の環形成原子数５〜５０の複素環基であり、
前記置換もしくは無置換の５員環及び前記置換もしくは無置換の６員環を形成しないＲ１は、
水素原子、
置換もしくは無置換の炭素数１〜５０のアルキル基、
置換もしくは無置換の環形成炭素数３〜５０のシクロアルキル基、
置換もしくは無置換の炭素数２〜５０のアルケニル基、
置換もしくは無置換の炭素数２〜５０のアルキニル基、
置換もしくは無置換のアラルキル基、
置換もしくは無置換の環形成炭素数６〜５０のアリール基、又は
置換もしくは無置換の環形成原子数５〜５０の複素環基、
前記置換もしくは無置換の５員環及び前記置換もしくは無置換の６員環を形成しないＲ２、Ｒ３及びＲ８は、それぞれ独立して、
水素原子、
置換もしくは無置換の炭素数１〜５０のアルキル基、
置換もしくは無置換の環形成炭素数３〜５０のシクロアルキル基、
置換もしくは無置換の炭素数２〜５０のアルケニル基、
置換もしくは無置換の炭素数２〜５０のアルキニル基、
置換もしくは無置換のアラルキル基、
シアノ基、
トリフルオロメチル基、
ＣＯ２Ｒ１３１で表される基、
Ｃ（Ｏ）Ｒ１３２で表される基、
Ｃ（Ｏ）Ｎ（Ｒ１３３）（Ｒ１３４）で表される基、
Ｎ（Ｒ１３５）（Ｒ１３６）で表される基、
ＮＯ２、
ＯＲ１３７で表される基、
ＳＲ１３８で表される基、
ＳＯ２、
ＳＯＲ１３９で表される基、
ＳＯ３Ｒ１４０で表される基、
ハロゲン原子、
置換もしくは無置換の環形成炭素数６〜５０のアリール基、又は
置換もしくは無置換の環形成原子数５〜５０の複素環基であり、
Ｒ１３１〜Ｒ１４０は、それぞれ独立して、
水素原子、
ハロゲン原子、
置換もしくは無置換の炭素数１〜５０のアルキル、
置換もしくは無置換の環形成炭素数３〜５０のシクロアルキル基、
置換もしくは無置換の炭素数２〜５０のアルケニル基、
置換もしくは無置換の炭素数２〜５０のアルキニル基、
ヘテロアルキル、
置換もしくは無置換のアラルキル基、
置換もしくは無置換の環形成炭素数６〜５０のアリール、又は
置換もしくは無置換の環形成原子数５〜５０の複素環基であり、
（Ｘ−Ｙ）は、光活性配位子または補助配位子から選択され、
ｄは、０、１、２、３、または４であり、
ｍ１は、１から金属Ｍに結合し得る配位子の最大数までの値であり、
ｍ１＋ｍ２は、金属Ｍに結合することができる配位子の最大数である。）
【請求項１４】
請求項１から請求項１３のいずれか一項に記載の有機エレクトロルミネッセンス素子において、
前記発光層は、第三の化合物をさらに含む、
有機エレクトロルミネッセンス素子。
【請求項１５】
請求項１から請求項１４のいずれか一項に記載の有機エレクトロルミネッセンス素子において、
前記陽極と前記発光層との間に正孔輸送層を含む、
有機エレクトロルミネッセンス素子。
【請求項１６】
請求項１から請求項１５のいずれか一項に記載の有機エレクトロルミネッセンス素子において、
前記陰極と前記発光層との間に電子輸送層を含む、
有機エレクトロルミネッセンス素子。
【請求項１７】
請求項１から請求項１６のいずれか一項に記載の有機エレクトロルミネッセンス素子を搭載した電子機器。
【発明の詳細な説明】
【技術分野】
【０００１】
本発明は、有機エレクトロルミネッセンス素子及び電子機器に関する。
【背景技術】
【０００２】
有機エレクトロルミネッセンス素子（以下、「有機ＥＬ素子」という場合がある。）に電圧を印加すると、陽極から正孔が発光層に注入され、また陰極から電子が発光層に注入される。そして、発光層において、注入された正孔と電子とが再結合し、励起子が形成される。このとき、電子スピンの統計則により、一重項励起子が２５％の割合で生成し及び三重項励起子が７５％の割合で生成する。
有機ＥＬ素子は、携帯電話及びテレビ等のフルカラーディスプレイへ応用されている。有機ＥＬ素子の性能向上を図るため、有機ＥＬ素子に用いる化合物について様々な検討がなされている（例えば、特許文献１〜２参照）。有機ＥＬ素子の性能としては、例えば、輝度、発光波長、色度、半値幅、発光効率、駆動電圧及び寿命が挙げられる。
【先行技術文献】
【特許文献】
【０００３】
【特許文献１】国際公開第２０１５／０９１７１６号
【特許文献２】国際公開第２０１６／１９３２４３号
【発明の概要】
【発明が解決しようとする課題】
【０００４】
本発明は、素子性能を向上させることのできる有機エレクトロルミネッセンス素子を提供すること及び当該有機エレクトロルミネッセンス素子を搭載した電子機器を提供することを目的とする。
【課題を解決するための手段】
【０００５】
本発明の一態様によれば、陽極と、発光層と、陰極と、を有し、前記発光層は、第一の化合物、及び第二の化合物を含み、前記第二の化合物は、下記（ａ）、（ｂ）、（ｃ）及び（ｄ）を満たす化合物である、有機エレクトロルミネッセンス素子が提供される。
（ａ）半値幅が３０ｎｍ以下
（ｂ）イオン化ポテンシャルが６．０ｅＶ以下
（ｃ）一重項エネルギーＳ１（Ｍ２）が２．６ｅＶ以上
（ｄ）トルエン溶液中でのピークトップが４６５ｎｍ以下
【０００６】
本発明の一態様によれば、前述の本発明の一態様に係る有機エレクトロルミネッセンス素子を搭載した電子機器が提供される。
【発明の効果】
【０００７】
本発明の一態様によれば、素子性能を向上させることのできる有機エレクトロルミネッセンス素子を提供できる。また、本発明の一態様によれば、当該有機エレクトロルミネッセンス素子を搭載した電子機器を提供できる。
【図面の簡単な説明】
【０００８】
【図１】一実施形態に係る有機エレクトロルミネッセンス素子の一例の概略構成を示す図である。
【発明を実施するための形態】
【０００９】
［定義］
本明細書において、水素原子とは、中性子数が異なる同位体、即ち、軽水素（protium）、重水素（deuterium）、及び三重水素（tritium）を包含する。
【００１０】
本明細書において、環形成炭素数とは、原子が環状に結合した構造の化合物（例えば、単環化合物、縮合環化合物、架橋化合物、炭素環化合物、及び複素環化合物）の当該環自体を構成する原子のうちの炭素原子の数を表す。当該環が置換基によって置換される場合、置換基に含まれる炭素は環形成炭素数には含まない。以下で記される「環形成炭素数」については、特筆しない限り同様とする。例えば、ベンゼン環は環形成炭素数が６であり、ナフタレン環は環形成炭素数が１０であり、ピリジン環は環形成炭素数５であり、フラン環は環形成炭素数４である。また、例えば、９，９−ジフェニルフルオレニル基の環形成炭素数は１３であり、９，９’−スピロビフルオレニル基の環形成炭素数は２５である。
また、ベンゼン環に置換基として、例えば、アルキル基が置換している場合、当該アルキル基の炭素数は、ベンゼン環の環形成炭素数に含めない。そのため、アルキル基が置換しているベンゼン環の環形成炭素数は、６である。また、ナフタレン環に置換基として、例えば、アルキル基が置換している場合、当該アルキル基の炭素数は、ナフタレン環の環形成炭素数に含めない。そのため、アルキル基が置換しているナフタレン環の環形成炭素数は、１０である。
【００１１】
本明細書において、環形成原子数とは、原子が環状に結合した構造（例えば、単環、縮合環、及び環集合）の化合物（例えば、単環化合物、縮合環化合物、架橋化合物、炭素環化合物、及び複素環化合物）の当該環自体を構成する原子の数を表す。環を構成しない原子（例えば、環を構成する原子の結合手を終端する水素原子）や、当該環が置換基によって置換される場合の置換基に含まれる原子は環形成原子数には含まない。以下で記される「環形成原子数」については、特筆しない限り同様とする。例えば、ピリジン環の環形成原子数は６であり、キナゾリン環の環形成原子数は１０であり、フラン環の環形成原子数は５である。例えば、ピリジン環に結合している水素原子、又は置換基を構成する原子の数は、ピリジン環形成原子数の数に含めない。そのため、水素原子、又は置換基が結合しているピリジン環の環形成原子数は、６である。また、例えば、キナゾリン環の炭素原子に結合している水素原子、又は置換基を構成する原子については、キナゾリン環の環形成原子数の数に含めない。そのため、水素原子、又は置換基が結合しているキナゾリン環の環形成原子数は、１０である。
【００１２】
本明細書において、「置換もしくは無置換の炭素数ＸＸ〜ＹＹのＺＺ基」という表現における「炭素数ＸＸ〜ＹＹ」は、ＺＺ基が無置換である場合の炭素数を表し、置換されている場合の置換基の炭素数を含めない。ここで、「ＹＹ」は、「ＸＸ」よりも大きく、「ＸＸ」は、１以上の整数を意味し、「ＹＹ」は、２以上の整数を意味する。
【００１３】
本明細書において、「置換もしくは無置換の原子数ＸＸ〜ＹＹのＺＺ基」という表現における「原子数ＸＸ〜ＹＹ」は、ＺＺ基が無置換である場合の原子数を表し、置換されている場合の置換基の原子数を含めない。ここで、「ＹＹ」は、「ＸＸ」よりも大きく、「ＸＸ」は、１以上の整数を意味し、「ＹＹ」は、２以上の整数を意味する。
【００１４】
本明細書において、「置換もしくは無置換のＺＺ基」という場合における「無置換」とは、ＺＺ基における水素原子が置換基と置き換わっていないことを意味する。
また、本明細書において、「置換もしくは無置換のＺＺ基」という場合における「置換」とは、ＺＺ基における１つ以上の水素原子が、置換基と置き換わっていることを意味する。「ＡＡ基で置換されたＢＢ基」という場合における「置換」も同様に、ＢＢ基における１つ以上の水素原子が、ＡＡ基と置き換わっていることを意味する。
【００１５】
・「本明細書に記載の置換基」
以下、本明細書に記載の置換基について説明する。
本明細書に記載の「無置換のアリール基」の環形成炭素数は、本明細書に別途記載のない限り、６〜５０であり、好ましくは６〜３０、より好ましくは６〜１８である。
本明細書に記載の「無置換の複素環基」の環形成原子数は、本明細書に別途記載のない限り、５〜５０であり、好ましくは５〜３０、より好ましくは５〜１８である。
本明細書に記載の「無置換のアルキル基」の炭素数は、本明細書に別途記載のない限り、１〜５０であり、好ましくは１〜２０、より好ましくは１〜６である。
本明細書に記載の「無置換のアルケニル基」の炭素数は、本明細書に別途記載のない限り、２〜５０であり、好ましくは２〜２０、より好ましくは２〜６である。
本明細書に記載の「無置換のアルキニル基」の炭素数は、本明細書に別途記載のない限り、２〜５０であり、好ましくは２〜２０、より好ましくは２〜６である。
本明細書に記載の「無置換のシクロアルキル基」の環形成炭素数は、本明細書に別途記載のない限り、３〜５０であり、好ましくは３〜２０、より好ましくは３〜６である。
本明細書に記載の「無置換のアリーレン基」の環形成炭素数は、本明細書に別途記載のない限り、６〜５０であり、好ましくは６〜３０、より好ましくは６〜１８である。
本明細書に記載の「無置換の２価の複素環基」の環形成原子数は、本明細書に別途記載のない限り、５〜５０であり、好ましくは５〜３０、より好ましくは５〜１８である。
本明細書に記載の「無置換のアルキレン基」の炭素数は、本明細書に別途記載のない限り、１〜５０であり、好ましくは１〜２０、より好ましくは１〜６である。
【００１６】
・「置換もしくは無置換のアリール基」
本明細書に記載の「置換もしくは無置換のアリール基」の具体例（具体例群Ｇ１）としては、以下の無置換のアリール基（具体例群Ｇ１Ａ）及び置換のアリール基（具体例群Ｇ１Ｂ）等が挙げられる。（ここで、無置換のアリール基とは「置換もしくは無置換のアリール基」が「無置換のアリール基」である場合を指し、置換のアリール基とは「置換もしくは無置換のアリール基」が「置換のアリール基」である場合を指す。）以下、単に「アリール基」という場合は、「無置換のアリール基」と「置換のアリール基」の両方を含む。
「置換のアリール基」は、「無置換のアリール基」の１つ以上の水素原子が置換基と置き換わった基を意味する。「置換のアリール基」としては、例えば、下記具体例群Ｇ１Ａの「無置換のアリール基」の１つ以上の水素原子が置換基と置き換わった基、及び下記具体例群Ｇ１Ｂの置換のアリール基の例等が挙げられる。尚、ここに列挙した「無置換のアリール基」の例、及び「置換のアリール基」の例は、一例に過ぎず、本明細書に記載の「置換のアリール基」には、「置換のアリール基」におけるアリール基自体の炭素原子に結合する水素原子がさらに置換基と置き換わった基、及び「置換のアリール基」における置換基の水素原子がさらに置換基と置き換わった基も含まれる。
【００１７】
・無置換のアリール基（具体例群Ｇ１Ａ）：
フェニル基、
ｐ−ビフェニル基、
ｍ−ビフェニル基、
ｏ−ビフェニル基、
ｐ−ターフェニル−４−イル基、
ｐ−ターフェニル−３−イル基、
ｐ−ターフェニル−２−イル基、
ｍ−ターフェニル−４−イル基、
ｍ−ターフェニル−３−イル基、
ｍ−ターフェニル−２−イル基、
ｏ−ターフェニル−４−イル基、
ｏ−ターフェニル−３−イル基、
ｏ−ターフェニル−２−イル基、
１−ナフチル基、
２−ナフチル基、
アントリル基、
ベンゾアントリル基、
フェナントリル基、
ベンゾフェナントリル基、
フェナレニル基、
ピレニル基、
クリセニル基、
ベンゾクリセニル基、
トリフェニレニル基、
ベンゾトリフェニレニル基、
テトラセニル基、
ペンタセニル基、
フルオレニル基、
９，９’−スピロビフルオレニル基、
ベンゾフルオレニル基、
ジベンゾフルオレニル基、
フルオランテニル基、
ベンゾフルオランテニル基、
ペリレニル基、及び
下記一般式（ＴＥＭＰ−１）〜（ＴＥＭＰ−１５）で表される環構造から誘導される１価のアリール基。
【００１８】
【化１】
2020178024.tif 000002
【００１９】
【化２】
2020178024.tif 000003
【００２０】
前記一般式（ＴＥＭＰ−１）〜（ＴＥＭＰ−１５）で表される環構造から誘導される１価のアリール基とは、前記一般式（ＴＥＭＰ−１）〜（ＴＥＭＰ−１５）で表される環構造から１つの水素原子を除いて得られる基を意味する。
【００２１】
・置換のアリール基（具体例群Ｇ１Ｂ）：
ｏ−トリル基、
ｍ−トリル基、
ｐ−トリル基、
パラ−キシリル基、
メタ−キシリル基、
オルト−キシリル基、
パラ−イソプロピルフェニル基、
メタ−イソプロピルフェニル基、
オルト−イソプロピルフェニル基、
パラ−ｔ−ブチルフェニル基、
メタ−ｔ−ブチルフェニル基、
オルト−ｔ−ブチルフェニル基、
３，４，５−トリメチルフェニル基、
９，９−ジメチルフルオレニル基、
９，９−ジフェニルフルオレニル基
９，９−ジ（４−メチルフェニル）フルオレニル基、
９，９−ジ（４−イソプロピルフェニル）フルオレニル基、
９，９−ジ（４−ｔ−ブチルフェニル）フルオレニル基、
シアノフェニル基、
トリフェニルシリルフェニル基、
トリメチルシリルフェニル基、
フェニルナフチル基、
ナフチルフェニル基、及び
前記一般式（ＴＥＭＰ−１）〜（ＴＥＭＰ−１５）で表される環構造から誘導される１価の基の１つ以上の水素原子が置換基と置き換わった基。
【００２２】
・「置換もしくは無置換の複素環基」
本明細書に記載の「複素環基」は、環形成原子にヘテロ原子を少なくとも１つ含む環状の基である。ヘテロ原子の具体例としては、窒素原子、酸素原子、硫黄原子、ケイ素原子、リン原子、及びホウ素原子が挙げられる。
本明細書に記載の「複素環基」は、単環の基であるか、又は縮合環の基である。
本明細書に記載の「複素環基」は、芳香族複素環基であるか、又は非芳香族複素環基である。
本明細書に記載の「置換もしくは無置換の複素環基」の具体例（具体例群Ｇ２）としては、以下の無置換の複素環基（具体例群Ｇ２Ａ）、及び置換の複素環基（具体例群Ｇ２Ｂ）等が挙げられる。（ここで、無置換の複素環基とは「置換もしくは無置換の複素環基」が「無置換の複素環基」である場合を指し、置換の複素環基とは「置換もしくは無置換の複素環基」が「置換の複素環基」である場合を指す。）以下、単に「複素環基」という場合は、「無置換の複素環基」と「置換の複素環基」の両方を含む。
「置換の複素環基」は、「無置換の複素環基」の１つ以上の水素原子が置換基と置き換わった基を意味する。「置換の複素環基」の具体例は、下記具体例群Ｇ２Ａの「無置換の複素環基」の水素原子が置き換わった基、及び下記具体例群Ｇ２Ｂの置換の複素環基の例等が挙げられる。尚、ここに列挙した「無置換の複素環基」の例や「置換の複素環基」の例は、一例に過ぎず、本明細書に記載の「置換の複素環基」には、「置換の複素環基」における複素環基自体の炭素原子に結合する水素原子がさらに置換基と置き換わった基、及び「置換の複素環基」における置換基の水素原子がさらに置換基と置き換わった基も含まれる。
【００２３】
具体例群Ｇ２Ａは、例えば、以下の窒素原子を含む無置換の複素環基（具体例群Ｇ２Ａ１）、酸素原子を含む無置換の複素環基（具体例群Ｇ２Ａ２）、硫黄原子を含む無置換の複素環基（具体例群Ｇ２Ａ３）、及び下記一般式（ＴＥＭＰ−１６）〜（ＴＥＭＰ−３３）で表される環構造から誘導される１価の複素環基（具体例群Ｇ２Ａ４）を含む。
【００２４】
具体例群Ｇ２Ｂは、例えば、以下の窒素原子を含む置換の複素環基（具体例群Ｇ２Ｂ１）、酸素原子を含む置換の複素環基（具体例群Ｇ２Ｂ２）、硫黄原子を含む置換の複素環基（具体例群Ｇ２Ｂ３）、及び下記一般式（ＴＥＭＰ−１６）〜（ＴＥＭＰ−３３）で表される環構造から誘導される１価の複素環基の１つ以上の水素原子が置換基と置き換わった基（具体例群Ｇ２Ｂ４）を含む。
【００２５】
・窒素原子を含む無置換の複素環基（具体例群Ｇ２Ａ１）：
ピロリル基、
イミダゾリル基、
ピラゾリル基、
トリアゾリル基、
テトラゾリル基、
オキサゾリル基、
イソオキサゾリル基、
オキサジアゾリル基、
チアゾリル基、
イソチアゾリル基、
チアジアゾリル基、
ピリジル基、
ピリダジニル基、
ピリミジニル基、
ピラジニル基、
トリアジニル基、
インドリル基、
イソインドリル基、
インドリジニル基、
キノリジニル基、
キノリル基、
イソキノリル基、
シンノリル基、
フタラジニル基、
キナゾリニル基、
キノキサリニル基、
ベンゾイミダゾリル基、
インダゾリル基、
フェナントロリニル基、
フェナントリジニル基、
アクリジニル基、
フェナジニル基、
カルバゾリル基、
ベンゾカルバゾリル基、
モルホリノ基、
フェノキサジニル基、
フェノチアジニル基、
アザカルバゾリル基、及び
ジアザカルバゾリル基。
【００２６】
・酸素原子を含む無置換の複素環基（具体例群Ｇ２Ａ２）：
フリル基、
オキサゾリル基、
イソオキサゾリル基、
オキサジアゾリル基、
キサンテニル基、
ベンゾフラニル基、
イソベンゾフラニル基、
ジベンゾフラニル基、
ナフトベンゾフラニル基、
ベンゾオキサゾリル基、
ベンゾイソキサゾリル基、
フェノキサジニル基、
モルホリノ基、
ジナフトフラニル基、
アザジベンゾフラニル基、
ジアザジベンゾフラニル基、
アザナフトベンゾフラニル基、及び
ジアザナフトベンゾフラニル基。
【００２７】
・硫黄原子を含む無置換の複素環基（具体例群Ｇ２Ａ３）：
チエニル基、
チアゾリル基、
イソチアゾリル基、
チアジアゾリル基、
ベンゾチオフェニル基、
イソベンゾチオフェニル基、
ジベンゾチオフェニル基、
ナフトベンゾチオフェニル基、
ベンゾチアゾリル基、
ベンゾイソチアゾリル基、
フェノチアジニル基、
ジナフトチオフェニル基、
アザジベンゾチオフェニル基、
ジアザジベンゾチオフェニル基、
アザナフトベンゾチオフェニル基、及び
ジアザナフトベンゾチオフェニル基。
【００２８】
・下記一般式（ＴＥＭＰ−１６）〜（ＴＥＭＰ−３３）で表される環構造から誘導される１価の複素環基（具体例群Ｇ２Ａ４）：
【００２９】
【化３】
2020178024.tif 000004
【００３０】
【化４】
2020178024.tif 000005
【００３１】
前記一般式（ＴＥＭＰ−１６）〜（ＴＥＭＰ−３３）において、ＸＡ及びＹＡは、それぞれ独立に、酸素原子、硫黄原子、ＮＨ、又はＣＨ２である。ただし、ＸＡ及びＹＡのうち少なくとも１つは、酸素原子、硫黄原子、又はＮＨである。
前記一般式（ＴＥＭＰ−１６）〜（ＴＥＭＰ−３３）で表される環構造から誘導される１価の複素環基（具体例群Ｇ２Ａ４）は、前記一般式（ＴＥＭＰ−１６）〜（ＴＥＭＰ−３３）で表される環構造から１つの水素原子を除いて得られる基を意味する。前記一般式（ＴＥＭＰ−１６）〜（ＴＥＭＰ−３３）において、ＸＡ及びＹＡの少なくともいずれかがＮＨ、又はＣＨ２である場合、前記一般式（ＴＥＭＰ−１６）〜（ＴＥＭＰ−３３）で表される環構造から誘導される１価の複素環基には、これらＮＨ、又はＣＨ２から１つの水素原子を除いて得られる基が含まれる。
【００３２】
・窒素原子を含む置換の複素環基（具体例群Ｇ２Ｂ１）：
（９−フェニル）カルバゾリル基、
（９−ビフェニリル）カルバゾリル基、
（９−フェニル）フェニルカルバゾリル基、
（９−ナフチル）カルバゾリル基、
ジフェニルカルバゾール−９−イル基、
フェニルカルバゾール−９−イル基、
メチルベンゾイミダゾリル基、
エチルベンゾイミダゾリル基、
フェニルトリアジニル基、
ビフェニリルトリアジニル基、
ジフェニルトリアジニル基、
フェニルキナゾリニル基、及び
ビフェニリルキナゾリニル基。
【００３３】
・酸素原子を含む置換の複素環基（具体例群Ｇ２Ｂ２）：
フェニルジベンゾフラニル基、
メチルジベンゾフラニル基、
ｔ−ブチルジベンゾフラニル基、及び
スピロ［９Ｈ−キサンテン−９，９’−［９Ｈ］フルオレン］の１価の残基。
【００３４】
・硫黄原子を含む置換の複素環基（具体例群Ｇ２Ｂ３）：
フェニルジベンゾチオフェニル基、
メチルジベンゾチオフェニル基、
ｔ−ブチルジベンゾチオフェニル基、及び
スピロ［９Ｈ−チオキサンテン−９，９’−［９Ｈ］フルオレン］の１価の残基。
【００３５】
・前記一般式（ＴＥＭＰ−１６）〜（ＴＥＭＰ−３３）で表される環構造から誘導される１価の複素環基の１つ以上の水素原子が置換基と置き換わった基（具体例群Ｇ２Ｂ４）：
【００３６】
前記一般式（ＴＥＭＰ−１６）〜（ＴＥＭＰ−３３）で表される環構造から誘導される１価の複素環基の１つ以上の水素原子が置換基と置き換わった基とは、これら前記一般式（ＴＥＭＰ−１６）〜（ＴＥＭＰ−３３）で表される環構造の骨格の炭素原子に結合した１つ以上の水素原子が置換基と置き換わっている場合、あるいは、ＸＡ及びＹＡの少なくともいずれかがＮＨ、又はＣＨ２であり、これらＮＨ、又はＣＨ２における１つ以上の水素原子が、置換基と置き換わっている場合を意味する。
【００３７】
・「置換もしくは無置換のアルキル基」
本明細書に記載の「置換もしくは無置換のアルキル基」の具体例（具体例群Ｇ３）としては、以下の無置換のアルキル基（具体例群Ｇ３Ａ）及び置換のアルキル基（具体例群Ｇ３Ｂ）が挙げられる。（ここで、無置換のアルキル基とは「置換もしくは無置換のアルキル基」が「無置換のアルキル基」である場合を指し、置換のアルキル基とは「置換もしくは無置換のアルキル基」が「置換のアルキル基」である場合を指す。）以下、単に「アルキル基」という場合は、「無置換のアルキル基」と「置換のアルキル基」の両方を含む。
「置換のアルキル基」は、「無置換のアルキル基」における１つ以上の水素原子が置換基と置き換わった基を意味する。「置換のアルキル基」の具体例としては、下記の「無置換のアルキル基」（具体例群Ｇ３Ａ）における１つ以上の水素原子が置換基と置き換わった基、及び置換のアルキル基（具体例群Ｇ３Ｂ）の例等が挙げられる。本明細書において、「無置換のアルキル基」におけるアルキル基は、鎖状のアルキル基を意味する。そのため、「無置換のアルキル基」は、直鎖である「無置換のアルキル基」、及び分岐状である「無置換のアルキル基」が含まれる。尚、ここに列挙した「無置換のアルキル基」の例や「置換のアルキル基」の例は、一例に過ぎず、本明細書に記載の「置換のアルキル基」には、「置換のアルキル基」におけるアルキル基自体の水素原子がさらに置換基と置き換わった基、及び「置換のアルキル基」における置換基の水素原子がさらに置換基と置き換わった基も含まれる。
【００３８】
・無置換のアルキル基（具体例群Ｇ３Ａ）：
メチル基、
エチル基、
ｎ−プロピル基、
イソプロピル基、
ｎ−ブチル基、
イソブチル基、
ｓ−ブチル基、及び
ｔ−ブチル基。
【００３９】
・置換のアルキル基（具体例群Ｇ３Ｂ）：
ヘプタフルオロプロピル基（異性体を含む）、
ペンタフルオロエチル基、
２，２，２−トリフルオロエチル基、及び
トリフルオロメチル基。
【００４０】
・「置換もしくは無置換のアルケニル基」
本明細書に記載の「置換もしくは無置換のアルケニル基」の具体例（具体例群Ｇ４）としては、以下の無置換のアルケニル基（具体例群Ｇ４Ａ）、及び置換のアルケニル基（具体例群Ｇ４Ｂ）等が挙げられる。（ここで、無置換のアルケニル基とは「置換もしくは無置換のアルケニル基」が「無置換のアルケニル基」である場合を指し、「置換のアルケニル基」とは「置換もしくは無置換のアルケニル基」が「置換のアルケニル基」である場合を指す。）以下、単に「アルケニル基」という場合は、「無置換のアルケニル基」と「置換のアルケニル基」の両方を含む。
「置換のアルケニル基」は、「無置換のアルケニル基」における１つ以上の水素原子が置換基と置き換わった基を意味する。「置換のアルケニル基」の具体例としては、下記の「無置換のアルケニル基」（具体例群Ｇ４Ａ）が置換基を有する基、及び置換のアルケニル基（具体例群Ｇ４Ｂ）の例等が挙げられる。尚、ここに列挙した「無置換のアルケニル基」の例や「置換のアルケニル基」の例は、一例に過ぎず、本明細書に記載の「置換のアルケニル基」には、「置換のアルケニル基」におけるアルケニル基自体の水素原子がさらに置換基と置き換わった基、及び「置換のアルケニル基」における置換基の水素原子がさらに置換基と置き換わった基も含まれる。
【００４１】
・無置換のアルケニル基（具体例群Ｇ４Ａ）：
ビニル基、
アリル基、
１−ブテニル基、
２−ブテニル基、及び
３−ブテニル基。
【００４２】
・置換のアルケニル基（具体例群Ｇ４Ｂ）：
１，３−ブタンジエニル基、
１−メチルビニル基、
１−メチルアリル基、
１，１−ジメチルアリル基、
２−メチルアリル基、及び
１，２−ジメチルアリル基。
【００４３】
・「置換もしくは無置換のアルキニル基」
本明細書に記載の「置換もしくは無置換のアルキニル基」の具体例（具体例群Ｇ５）としては、以下の無置換のアルキニル基（具体例群Ｇ５Ａ）等が挙げられる。（ここで、無置換のアルキニル基とは、「置換もしくは無置換のアルキニル基」が「無置換のアルキニル基」である場合を指す。）以下、単に「アルキニル基」という場合は、「無置換のアルキニル基」と「置換のアルキニル基」の両方を含む。
「置換のアルキニル基」は、「無置換のアルキニル基」における１つ以上の水素原子が置換基と置き換わった基を意味する。「置換のアルキニル基」の具体例としては、下記の「無置換のアルキニル基」（具体例群Ｇ５Ａ）における１つ以上の水素原子が置換基と置き換わった基等が挙げられる。
【００４４】
・無置換のアルキニル基（具体例群Ｇ５Ａ）：
エチニル基
【００４５】
・「置換もしくは無置換のシクロアルキル基」
本明細書に記載の「置換もしくは無置換のシクロアルキル基」の具体例（具体例群Ｇ６）としては、以下の無置換のシクロアルキル基（具体例群Ｇ６Ａ）、及び置換のシクロアルキル基（具体例群Ｇ６Ｂ）等が挙げられる。（ここで、無置換のシクロアルキル基とは「置換もしくは無置換のシクロアルキル基」が「無置換のシクロアルキル基」である場合を指し、置換のシクロアルキル基とは「置換もしくは無置換のシクロアルキル基」が「置換のシクロアルキル基」である場合を指す。）以下、単に「シクロアルキル基」という場合は、「無置換のシクロアルキル基」と「置換のシクロアルキル基」の両方を含む。
「置換のシクロアルキル基」は、「無置換のシクロアルキル基」における１つ以上の水素原子が置換基と置き換わった基を意味する。「置換のシクロアルキル基」の具体例としては、下記の「無置換のシクロアルキル基」（具体例群Ｇ６Ａ）における１つ以上の水素原子が置換基と置き換わった基、及び置換のシクロアルキル基（具体例群Ｇ６Ｂ）の例等が挙げられる。尚、ここに列挙した「無置換のシクロアルキル基」の例や「置換のシクロアルキル基」の例は、一例に過ぎず、本明細書に記載の「置換のシクロアルキル基」には、「置換のシクロアルキル基」におけるシクロアルキル基自体の炭素原子に結合する１つ以上の水素原子が置換基と置き換わった基、及び「置換のシクロアルキル基」における置換基の水素原子がさらに置換基と置き換わった基も含まれる。
【００４６】
・無置換のシクロアルキル基（具体例群Ｇ６Ａ）：
シクロプロピル基、
シクロブチル基、
シクロペンチル基、
シクロヘキシル基、
１−アダマンチル基、
２−アダマンチル基、
１−ノルボルニル基、及び
２−ノルボルニル基。
【００４７】
・置換のシクロアルキル基（具体例群Ｇ６Ｂ）：
４−メチルシクロヘキシル基。
【００４８】
・「−Ｓｉ（Ｒ９０１）（Ｒ９０２）（Ｒ９０３）で表される基」
本明細書に記載の−Ｓｉ（Ｒ９０１）（Ｒ９０２）（Ｒ９０３）で表される基の具体例（具体例群Ｇ７）としては、
−Ｓｉ（Ｇ１）（Ｇ１）（Ｇ１）、
−Ｓｉ（Ｇ１）（Ｇ２）（Ｇ２）、
−Ｓｉ（Ｇ１）（Ｇ１）（Ｇ２）、
−Ｓｉ（Ｇ２）（Ｇ２）（Ｇ２）、
−Ｓｉ（Ｇ３）（Ｇ３）（Ｇ３）、及び
−Ｓｉ（Ｇ６）（Ｇ６）（Ｇ６）
が挙げられる。
ここで、
Ｇ１は、具体例群Ｇ１に記載の「アリール基」である。
Ｇ２は、具体例群Ｇ２に記載の「複素環基」である。
Ｇ３は、具体例群Ｇ３に記載の「アルキル基」である。
Ｇ６は、具体例群Ｇ６に記載の「シクロアルキル基」である。
−Ｓｉ（Ｇ１）（Ｇ１）（Ｇ１）における複数のＧ１は、互いに同一であるか、又は異なる。
−Ｓｉ（Ｇ１）（Ｇ２）（Ｇ２）における複数のＧ２は、互いに同一であるか、又は異なる。
−Ｓｉ（Ｇ１）（Ｇ１）（Ｇ２）における複数のＧ１は、互いに同一であるか、又は異なる。
−Ｓｉ（Ｇ２）（Ｇ２）（Ｇ２）における複数のＧ２は、互いに同一であるか、又は異なる。
−Ｓｉ（Ｇ３）（Ｇ３）（Ｇ３）における複数のＧ３は、互いに同一であるか、又は異なる。
−Ｓｉ（Ｇ６）（Ｇ６）（Ｇ６）における複数のＧ６は、互いに同一であるか、又は異なる。
【００４９】
・「−Ｏ−（Ｒ９０４）で表される基」
本明細書に記載の−Ｏ−（Ｒ９０４）で表される基の具体例（具体例群Ｇ８）としては、
−Ｏ（Ｇ１）、
−Ｏ（Ｇ２）、
−Ｏ（Ｇ３）、及び
−Ｏ（Ｇ６）
が挙げられる。
ここで、
Ｇ１は、具体例群Ｇ１に記載の「アリール基」である。
Ｇ２は、具体例群Ｇ２に記載の「複素環基」である。
Ｇ３は、具体例群Ｇ３に記載の「アルキル基」である。
Ｇ６は、具体例群Ｇ６に記載の「シクロアルキル基」である。
【００５０】
・「−Ｓ−（Ｒ９０５）で表される基」
本明細書に記載の−Ｓ−（Ｒ９０５）で表される基の具体例（具体例群Ｇ９）としては、
−Ｓ（Ｇ１）、
−Ｓ（Ｇ２）、
−Ｓ（Ｇ３）、及び
−Ｓ（Ｇ６）
が挙げられる。
ここで、
Ｇ１は、具体例群Ｇ１に記載の「アリール基」である。
Ｇ２は、具体例群Ｇ２に記載の「複素環基」である。
Ｇ３は、具体例群Ｇ３に記載の「アルキル基」である。
Ｇ６は、具体例群Ｇ６に記載の「シクロアルキル基」である。
【００５１】
・「−Ｎ（Ｒ９０６）（Ｒ９０７）で表される基」
本明細書に記載の−Ｎ（Ｒ９０６）（Ｒ９０７）で表される基の具体例（具体例群Ｇ１０）としては、
−Ｎ（Ｇ１）（Ｇ１）、
−Ｎ（Ｇ２）（Ｇ２）、
−Ｎ（Ｇ１）（Ｇ２）、
−Ｎ（Ｇ３）（Ｇ３）、及び
−Ｎ（Ｇ６）（Ｇ６）
が挙げられる。
ここで、
Ｇ１は、具体例群Ｇ１に記載の「アリール基」である。
Ｇ２は、具体例群Ｇ２に記載の「複素環基」である。
Ｇ３は、具体例群Ｇ３に記載の「アルキル基」である。
Ｇ６は、具体例群Ｇ６に記載の「シクロアルキル基」である。
−Ｎ（Ｇ１）（Ｇ１）における複数のＧ１は、互いに同一であるか、又は異なる。
−Ｎ（Ｇ２）（Ｇ２）における複数のＧ２は、互いに同一であるか、又は異なる。
−Ｎ（Ｇ３）（Ｇ３）における複数のＧ３は、互いに同一であるか、又は異なる。
−Ｎ（Ｇ６）（Ｇ６）における複数のＧ６は、互いに同一であるか、又は異なる
【００５２】
・「ハロゲン原子」
本明細書に記載の「ハロゲン原子」の具体例（具体例群Ｇ１１）としては、フッ素原子、塩素原子、臭素原子、及びヨウ素原子等が挙げられる。
【００５３】
・「置換もしくは無置換のフルオロアルキル基」
本明細書に記載の「置換もしくは無置換のフルオロアルキル基」は、「置換もしくは無置換のアルキル基」における少なくとも１つの水素原子がフッ素原子と置き換わった基を意味し、「置換もしくは無置換のアルキル基」における全ての水素原子がフッ素原子で置き換わった基（パーフルオロ基）も含む。「無置換のフルオロアルキル基」の炭素数は、本明細書に別途記載のない限り、１〜５０であり、好ましくは１〜３０であり、より好ましくは１〜１８である。「置換のフルオロアルキル基」は、「フルオロアルキル基」の１つ以上の水素原子が置換基と置き換わった基を意味する。尚、本明細書に記載の「置換のフルオロアルキル基」には、「置換のフルオロアルキル基」におけるアルキル鎖の炭素原子に結合する１つ以上の水素原子がさらに置換基と置き換わった基、及び「置換のフルオロアルキル基」における置換基の１つ以上の水素原子がさらに置換基と置き換わった基も含まれる。「無置換のフルオロアルキル基」の具体例としては、前記「アルキル基」（具体例群Ｇ３）における１つ以上の水素原子がフッ素原子と置き換わった基の例等が挙げられる。
【００５４】
・「置換もしくは無置換のハロアルキル基」
本明細書に記載の「置換もしくは無置換のハロアルキル基」は、「置換もしくは無置換のアルキル基」における少なくとも１つの水素原子がハロゲン原子と置き換わった基を意味し、「置換もしくは無置換のアルキル基」における全ての水素原子がハロゲン原子で置き換わった基も含む。「無置換のハロアルキル基」の炭素数は、本明細書に別途記載のない限り、１〜５０であり、好ましくは１〜３０であり、より好ましくは１〜１８である。「置換のハロアルキル基」は、「ハロアルキル基」の１つ以上の水素原子が置換基と置き換わった基を意味する。尚、本明細書に記載の「置換のハロアルキル基」には、「置換のハロアルキル基」におけるアルキル鎖の炭素原子に結合する１つ以上の水素原子がさらに置換基と置き換わった基、及び「置換のハロアルキル基」における置換基の１つ以上の水素原子がさらに置換基と置き換わった基も含まれる。「無置換のハロアルキル基」の具体例としては、前記「アルキル基」（具体例群Ｇ３）における１つ以上の水素原子がハロゲン原子と置き換わった基の例等が挙げられる。ハロアルキル基をハロゲン化アルキル基と称する場合がある。
【００５５】
・「アルコキシ基」
本明細書に記載の「アルコキシ基」の具体例としては、−Ｏ（Ｇ３）で表される基であり、ここで、Ｇ３は、具体例群Ｇ３に記載の「アルキル基」である。「無置換のアルコキシ基」の炭素数は、本明細書に別途記載のない限り、１〜５０であり、好ましくは１〜３０であり、より好ましくは１〜１８である。
【００５６】
・「アルキルチオ基」
本明細書に記載の「アルキルチオ基」の具体例としては、−Ｓ（Ｇ３）で表される基であり、ここで、Ｇ３は、具体例群Ｇ３に記載の「アルキル基」である。「無置換のアルキルチオ基」の炭素数は、本明細書に別途記載のない限り、１〜５０であり、好ましくは１〜３０であり、より好ましくは１〜１８である。
【００５７】
・「アリールオキシ基」
本明細書に記載の「アリールオキシ基」の具体例としては、−Ｏ（Ｇ１）で表される基であり、ここで、Ｇ１は、具体例群Ｇ１に記載の「アリール基」である。「無置換のアリールオキシ基」の環形成炭素数は、本明細書に別途記載のない限り、６〜５０であり、好ましくは６〜３０であり、より好ましくは６〜１８である。
【００５８】
・「アリールチオ基」
本明細書に記載の「アリールチオ基」の具体例としては、−Ｓ（Ｇ１）で表される基であり、ここで、Ｇ１は、具体例群Ｇ１に記載の「アリール基」である。「無置換のアリールチオ基」の環形成炭素数は、本明細書に別途記載のない限り、６〜５０であり、好ましくは６〜３０であり、より好ましくは６〜１８である。
【００５９】
・「トリアルキルシリル基」
本明細書に記載の「トリアルキルシリル基」の具体例としては、−Ｓｉ（Ｇ３）（Ｇ３）（Ｇ３）で表される基であり、ここで、Ｇ３は、具体例群Ｇ３に記載の「アルキル基」である。−Ｓｉ（Ｇ３）（Ｇ３）（Ｇ３）における複数のＧ３は、互いに同一であるか、又は異なる。「トリアルキルシリル基」の各アルキル基の炭素数は、本明細書に別途記載のない限り、１〜５０であり、好ましくは１〜２０であり、より好ましくは１〜６である。
【００６０】
・「アラルキル基」
本明細書に記載の「アラルキル基」の具体例としては、−（Ｇ３）−（Ｇ１）で表される基であり、ここで、Ｇ３は、具体例群Ｇ３に記載の「アルキル基」であり、Ｇ１は、具体例群Ｇ１に記載の「アリール基」である。従って、「アラルキル基」は、「アルキル基」の水素原子が置換基としての「アリール基」と置き換わった基であり、「置換のアルキル基」の一態様である。「無置換のアラルキル基」は、「無置換のアリール基」が置換した「無置換のアルキル基」であり、「無置換のアラルキル基」の炭素数は、本明細書に別途記載のない限り、７〜５０であり、好ましくは７〜３０であり、より好ましくは７〜１８である。
「アラルキル基」の具体例としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、及び２−β−ナフチルイソプロピル基等が挙げられる。
【００６１】
本明細書に記載の置換もしくは無置換のアリール基は、本明細書に別途記載のない限り、好ましくはフェニル基、ｐ−ビフェニル基、ｍ−ビフェニル基、ｏ−ビフェニル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−ターフェニル−４−イル基、ｏ−ターフェニル−３−イル基、ｏ−ターフェニル−２−イル基、１−ナフチル基、２−ナフチル基、アントリル基、フェナントリル基、ピレニル基、クリセニル基、トリフェニレニル基、フルオレニル基、９，９’−スピロビフルオレニル基、９，９−ジメチルフルオレニル基、及び９，９−ジフェニルフルオレニル基等である。
【００６２】
本明細書に記載の置換もしくは無置換の複素環基は、本明細書に別途記載のない限り、好ましくはピリジル基、ピリミジニル基、トリアジニル基、キノリル基、イソキノリル基、キナゾリニル基、ベンゾイミダゾリル基、フェナントロリニル基、カルバゾリル基（１−カルバゾリル基、２−カルバゾリル基、３−カルバゾリル基、４−カルバゾリル基、又は９−カルバゾリル基）、ベンゾカルバゾリル基、アザカルバゾリル基、ジアザカルバゾリル基、ジベンゾフラニル基、ナフトベンゾフラニル基、アザジベンゾフラニル基、ジアザジベンゾフラニル基、ジベンゾチオフェニル基、ナフトベンゾチオフェニル基、アザジベンゾチオフェニル基、ジアザジベンゾチオフェニル基、（９−フェニル）カルバゾリル基（（９−フェニル）カルバゾール−１−イル基、（９−フェニル）カルバゾール−２−イル基、（９−フェニル）カルバゾール−３−イル基、又は（９−フェニル）カルバゾール−４−イル基）、（９−ビフェニリル）カルバゾリル基、（９−フェニル）フェニルカルバゾリル基、ジフェニルカルバゾール−９−イル基、フェニルカルバゾール−９−イル基、フェニルトリアジニル基、ビフェニリルトリアジニル基、ジフェニルトリアジニル基、フェニルジベンゾフラニル基、及びフェニルジベンゾチオフェニル基等である。
【００６３】
本明細書において、カルバゾリル基は、本明細書に別途記載のない限り、具体的には以下のいずれかの基である。
【００６４】
【化５】
2020178024.tif 000006
【００６５】
本明細書において、（９−フェニル）カルバゾリル基は、本明細書に別途記載のない限り、具体的には以下のいずれかの基である。
【００６６】
【化６】
2020178024.tif 000007
【００６７】
前記一般式（ＴＥＭＰ−Ｃｚ１）〜（ＴＥＭＰ−Ｃｚ９）中、＊は、結合位置を表す。
【００６８】
本明細書において、ジベンゾフラニル基、及びジベンゾチオフェニル基は、本明細書に別途記載のない限り、具体的には以下のいずれかの基である。
【００６９】
【化７】
2020178024.tif 000008
【００７０】
前記一般式（ＴＥＭＰ−３４）〜（ＴＥＭＰ−４１）中、＊は、結合位置を表す。
【００７１】
本明細書に記載の置換もしくは無置換のアルキル基は、本明細書に別途記載のない限り、好ましくはメチル基、エチル基、プロピル基、イソプロピル基、ｎ−ブチル基、イソブチル基、及びｔ−ブチル基等である。
【００７２】
・「置換もしくは無置換のアリーレン基」
本明細書に記載の「置換もしくは無置換のアリーレン基」は、別途記載のない限り、上記「アリール基」から誘導される２価の基である。「置換もしくは無置換のアリーレン基」の具体例（具体例群Ｇ１２）としては、具体例群Ｇ１に記載の「アリール基」から誘導される２価の基等が挙げられる。
【００７３】
・「置換もしくは無置換の２価の複素環基」
本明細書に記載の「置換もしくは無置換の２価の複素環基」は、別途記載のない限り、上記「複素環基」から誘導される２価の基である。「置換もしくは無置換の２価の複素環基」の具体例（具体例群Ｇ１３）としては、具体例群Ｇ２に記載の「複素環基」から誘導される２価の基等が挙げられる。
【００７４】
・「置換もしくは無置換のアルキレン基」
本明細書に記載の「置換もしくは無置換のアルキレン基」は、別途記載のない限り、上記「アルキル基」から誘導される２価の基である。「置換もしくは無置換のアルキレン基」の具体例（具体例群Ｇ１４）としては、具体例群Ｇ３に記載の「アルキル基」から誘導される２価の基等が挙げられる。
【００７５】
本明細書に記載の置換もしくは無置換のアリーレン基は、本明細書に別途記載のない限り、好ましくは下記一般式（ＴＥＭＰ−４２）〜（ＴＥＭＰ−６７）のいずれかの基である。
【００７６】
【化８】
2020178024.tif 000009
【００７７】
【化９】
2020178024.tif 000010
【００７８】
前記一般式（ＴＥＭＰ−４２）〜（ＴＥＭＰ−５２）中、Ｑ１〜Ｑ１０は、それぞれ独立に、水素原子、又は置換基である。
前記一般式（ＴＥＭＰ−４２）〜（ＴＥＭＰ−５２）中、＊は、結合位置を表す。
【００７９】
【化１０】
2020178024.tif 000011
【００８０】
前記一般式（ＴＥＭＰ−５３）〜（ＴＥＭＰ−６２）中、Ｑ１〜Ｑ１０は、それぞれ独立に、水素原子、又は置換基である。
式Ｑ９及びＱ１０は、単結合を介して互いに結合して環を形成してもよい。
前記一般式（ＴＥＭＰ−５３）〜（ＴＥＭＰ−６２）中、＊は、結合位置を表す。
【００８１】
【化１１】
2020178024.tif 000012
【００８２】
前記一般式（ＴＥＭＰ−６３）〜（ＴＥＭＰ−６８）中、Ｑ１〜Ｑ８は、それぞれ独立に、水素原子、又は置換基である。
前記一般式（ＴＥＭＰ−６３）〜（ＴＥＭＰ−６８）中、＊は、結合位置を表す。
【００８３】
本明細書に記載の置換もしくは無置換の２価の複素環基は、本明細書に別途記載のない限り、好ましくは下記一般式（ＴＥＭＰ−６９）〜（ＴＥＭＰ−１０２）のいずれかの基である。
【００８４】
【化１２】
2020178024.tif 000013
【００８５】
【化１３】
2020178024.tif 000014
【００８６】
【化１４】
2020178024.tif 000015
【００８７】
前記一般式（ＴＥＭＰ−６９）〜（ＴＥＭＰ−８２）中、Ｑ１〜Ｑ９は、それぞれ独立に、水素原子、又は置換基である。
【００８８】
【化１５】
2020178024.tif 000016
【００８９】
【化１６】
2020178024.tif 000017
【００９０】
【化１７】
2020178024.tif 000018
【００９１】
【化１８】
2020178024.tif 000019
【００９２】
前記一般式（ＴＥＭＰ−８３）〜（ＴＥＭＰ−１０２）中、Ｑ１〜Ｑ８は、それぞれ独立に、水素原子、又は置換基である。
【００９３】
以上が、「本明細書に記載の置換基」についての説明である。
【００９４】
・「結合して環を形成する場合」
本明細書において、「隣接する２つ以上からなる組の１組以上が、互いに結合して、置換もしくは無置換の単環を形成するか、互いに結合して、置換もしくは無置換の縮合環を形成するか、又は互いに結合せず」という場合は、「隣接する２つ以上からなる組の１組以上が、互いに結合して、置換もしくは無置換の単環を形成する」場合と、「隣接する２つ以上からなる組の１組以上が、互いに結合して、置換もしくは無置換の縮合環を形成する」場合と、「隣接する２つ以上からなる組の１組以上が、互いに結合しない」場合と、を意味する。
本明細書における、「隣接する２つ以上からなる組の１組以上が、互いに結合して、置換もしくは無置換の単環を形成する」場合、及び「隣接する２つ以上からなる組の１組以上が、互いに結合して、置換もしくは無置換の縮合環を形成する」場合（以下、これらの場合をまとめて「結合して環を形成する場合」と称する場合がある。）について、以下、説明する。母骨格がアントラセン環である下記一般式（ＴＥＭＰ−１０３）で表されるアントラセン化合物の場合を例として説明する。
【００９５】
【化１９】
2020178024.tif 000020
【００９６】
例えば、Ｒ９２１〜Ｒ９３０のうちの「隣接する２つ以上からなる組の１組以上が、互いに結合して、環を形成する」場合において、１組となる隣接する２つからなる組とは、Ｒ９２１とＲ９２２との組、Ｒ９２２とＲ９２３との組、Ｒ９２３とＲ９２４との組、Ｒ９２４とＲ９３０との組、Ｒ９３０とＲ９２５との組、Ｒ９２５とＲ９２６との組、Ｒ９２６とＲ９２７との組、Ｒ９２７とＲ９２８との組、Ｒ９２８とＲ９２９との組、並びにＲ９２９とＲ９２１との組である。
【００９７】
上記「１組以上」とは、上記隣接する２つ以上からなる組の２組以上が同時に環を形成してもよいことを意味する。例えば、Ｒ９２１とＲ９２２とが互いに結合して環ＱＡを形成し、同時にＲ９２５とＲ９２６とが互いに結合して環ＱＢを形成した場合は、前記一般式（ＴＥＭＰ−１０３）で表されるアントラセン化合物は、下記一般式（ＴＥＭＰ−１０４）で表される。
【００９８】
【化２０】
2020178024.tif 000021
【００９９】
「隣接する２つ以上からなる組」が環を形成する場合とは、前述の例のように隣接する「２つ」からなる組が結合する場合だけではなく、隣接する「３つ以上」からなる組が結合する場合も含む。例えば、Ｒ９２１とＲ９２２とが互いに結合して環ＱＡを形成し、かつ、Ｒ９２２とＲ９２３とが互いに結合して環ＱＣを形成し、互いに隣接する３つ（Ｒ９２１、Ｒ９２２及びＲ９２３）からなる組が互いに結合して環を形成して、アントラセン母骨格に縮合する場合を意味し、この場合、前記一般式（ＴＥＭＰ−１０３）で表されるアントラセン化合物は、下記一般式（ＴＥＭＰ−１０５）で表される。下記一般式（ＴＥＭＰ−１０５）において、環ＱＡ及び環ＱＣは、Ｒ９２２を共有する。
【０１００】
【化２１】
2020178024.tif 000022
【０１０１】
形成される「単環」、又は「縮合環」は、形成された環のみの構造として、飽和の環であっても不飽和の環であってもよい。「隣接する２つからなる組の１組」が「単環」、又は「縮合環」を形成する場合であっても、当該「単環」、又は「縮合環」は、飽和の環、又は不飽和の環を形成することができる。例えば、前記一般式（ＴＥＭＰ−１０４）において形成された環ＱＡ及び環ＱＢは、それぞれ、「単環」又は「縮合環」である。また、前記一般式（ＴＥＭＰ−１０５）において形成された環ＱＡ、及び環ＱＣは、「縮合環」である。前記一般式（ＴＥＭＰ−１０５）の環ＱＡと環ＱＣとは、環ＱＡと環ＱＣとが縮合することによって縮合環となっている。前記一般式（ＴＭＥＰ−１０４）の環ＱＡがベンゼン環であれば、環ＱＡは、単環である。前記一般式（ＴＭＥＰ−１０４）の環ＱＡがナフタレン環であれば、環ＱＡは、縮合環である。
【０１０２】
「不飽和の環」とは、芳香族炭化水素環、又は芳香族複素環を意味する。「飽和の環」とは、脂肪族炭化水素環、又は非芳香族複素環を意味する。
芳香族炭化水素環の具体例としては、具体例群Ｇ１において具体例として挙げられた基の結合手の末端に水素原子が結合した構造が挙げられる。
芳香族複素環の具体例としては、具体例群Ｇ２において具体例として挙げられた芳香族複素環基の結合手の末端に水素原子が結合した構造が挙げられる。
脂肪族炭化水素環の具体例としては、具体例群Ｇ６において具体例として挙げられた基の結合手の末端に水素原子が結合した構造が挙げられる。
「環を形成する」とは、母骨格の複数の原子のみ、あるいは母骨格の複数の原子とさらに１以上の任意の元素で環を形成することを意味する。例えば、前記一般式（ＴＥＭＰ−１０４）に示す、Ｒ９２１とＲ９２２とが互いに結合して形成された環ＱＡは、Ｒ９２１が結合するアントラセン骨格の炭素原子と、Ｒ９２２が結合するアントラセン骨格の炭素原子と、１以上の任意の元素とで形成する環を意味する。具体例としては、Ｒ９２１とＲ９２２とで環ＱＡを形成する場合において、Ｒ９２１が結合するアントラセン骨格の炭素原子と、Ｒ９２２とが結合するアントラセン骨格の炭素原子と、４つの炭素原子とで不飽和の環を形成する場合、Ｒ９２１とＲ９２２とで形成する環は、ベンゼン環である。
【０１０３】
ここで、「任意の元素」は、本明細書に別途記載のない限り、好ましくは、炭素元素、窒素元素、酸素元素、及び硫黄元素からなる群から選択される少なくとも１種の元素である。任意の元素において（例えば、炭素元素、又は窒素元素の場合）、環を形成しない結合手は、水素原子等で終端されてもよいし、後述する「任意の置換基」で置換されてもよい。炭素元素以外の任意の元素を含む場合、形成される環は複素環である。
飽和の環、又は不飽和の環を構成する「１以上の任意の元素」は、本明細書に別途記載のない限り、好ましくは２個以上１５個以下であり、より好ましくは３個以上１２個以下であり、さらに好ましくは３個以上５個以下である。
本明細書に別途記載のない限り、「飽和の環」、及び「不飽和の環」のうち、好ましくは「不飽和の環」である。
本明細書に別途記載のない限り、「不飽和の環」は、好ましくはベンゼン環である。
「隣接する２つ以上からなる組の１組以上」が、「互いに結合して、置換もしくは無置換の単環を形成する」場合、又は「互いに結合して、置換もしくは無置換の縮合環を形成する」場合、本明細書に別途記載のない限り、好ましくは、隣接する２つ以上からなる組の１組以上が、互いに結合して、母骨格の複数の原子と、１個以上１５個以下の炭素元素、窒素元素、酸素元素、及び硫黄元素からなる群から選択される少なくとも１種の元素とからなる置換もしくは無置換の「不飽和の環」を形成する。
【０１０４】
上記の「単環」、又は「縮合環」が置換基を有する場合の置換基は、上述した「本明細書に記載の置換基」の項で説明した置換基である。
上記の「飽和の環」、又は「不飽和の環」が置換基を有する場合の置換基は、上述した「本明細書に記載の置換基」の項で説明した置換基である。
【０１０５】
本明細書における一実施形態においては、前記「置換もしくは無置換の」という場合の置換基（本明細書において、「任意の置換基」と呼ぶことがある。）は、例えば、
無置換の炭素数１〜５０のアルキル基、
無置換の炭素数２〜５０のアルケニル基、
無置換の炭素数２〜５０のアルキニル基、
無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、シアノ基、ニトロ基、
無置換の環形成炭素数６〜５０のアリール基、及び
無置換の環形成原子数５〜５０の複素環基
からなる群から選択される基等であり、
ここで、
Ｒ９０１〜Ｒ９０７は、それぞれ独立に、
水素原子、
置換もしくは無置換の炭素数１〜５０のアルキル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。
Ｒ９０１が２個以上存在する場合、２個以上のＲ９０１は、互いに同一であるか、又は異なり、
Ｒ９０２が２個以上存在する場合、２個以上のＲ９０２は、互いに同一であるか、又は異なり、
Ｒ９０３が２個以上存在する場合、２個以上のＲ９０３は、互いに同一であるか、又は異なり、
Ｒ９０４が２個以上存在する場合、２個以上のＲ９０４は、互いに同一であるか、又は異なり、
Ｒ９０５が２個以上存在する場合、２個以上のＲ９０５は、互いに同一であるか、又は異なり、
Ｒ９０６が２個以上存在する場合、２個以上のＲ９０６は、互いに同一であるか、又は異なり、
Ｒ９０７が２個以上存在する場合、２個以上のＲ９０７は、互いに同一であるか又は異なる。
【０１０６】
一実施形態においては、前記「置換もしくは無置換の」という場合の置換基は、
炭素数１〜５０のアルキル基、
環形成炭素数６〜５０のアリール基、及び
環形成原子数５〜５０の複素環基
からなる群から選択される基である。
【０１０７】
一実施形態においては、前記「置換もしくは無置換の」という場合の置換基は、
炭素数１〜１８のアルキル基、
環形成炭素数６〜１８のアリール基、及び
環形成原子数５〜１８の複素環基
からなる群から選択される基である。
【０１０８】
上記任意の置換基の各基の具体例は、上述した「本明細書に記載の置換基」の項で説明した置換基の具体例である。
【０１０９】
本明細書において別途記載のない限り、隣接する任意の置換基同士で、「飽和の環」、又は「不飽和の環」を形成してもよく、好ましくは、置換もしくは無置換の飽和の５員環、置換もしくは無置換の飽和の６員環、置換もしくは無置換の不飽和の５員環、又は置換もしくは無置換の不飽和の６員環を形成し、より好ましくは、ベンゼン環を形成する。
本明細書において別途記載のない限り、任意の置換基は、さらに置換基を有してもよい。任意の置換基がさらに有する置換基としては、上記任意の置換基と同様である。
以上が、「隣接する２つ以上からなる組の１組以上が、互いに結合して、置換もしくは無置換の単環を形成する」場合、及び「隣接する２つ以上からなる組の１組以上が、互いに結合して、置換もしくは無置換の縮合環を形成する」場合（「結合して環を形成する場合」）についての説明である。
【０１１０】
本明細書において、「〜」を用いて表される数値範囲は、「〜」の前に記載される数値を下限値とし、「〜」の後に記載される数値を上限値として含む範囲を意味する。
【０１１１】
［第一実施形態］
（有機ＥＬ素子の素子構成）
第一実施形態に係る有機ＥＬ素子の構成について説明する。
有機ＥＬ素子は、一対の電極間に有機層を備える。この有機層は、有機化合物で構成される複数の層が積層されてなる。有機層は、無機化合物をさらに含んでいてもよい。
本実施形態の有機ＥＬ素子において、有機層のうち少なくとも１層は、発光層である。ゆえに、有機層は、例えば、一つの発光層で構成されていてもよいし、正孔注入層、正孔輸送層、電子注入層、電子輸送層、障壁層等の有機ＥＬ素子で採用される層を有していてもよい。
【０１１２】
図１に、本実施形態における有機ＥＬ素子の一例の概略構成を示す。
有機ＥＬ素子１は、透光性の基板２と、陽極３と、陰極４と、陽極３と陰極４との間に配置された有機層１０と、を有する。
有機層１０は、発光層５と、発光層５と陽極３との間に設けられた正孔注入・輸送層６と、発光層５と陰極４との間に設けられた電子注入・輸送層７を有する。本実施形態の有機ＥＬ素子において、発光層５は、第一の化合物及び第二の化合物を含有する。
上記「正孔注入・輸送層」は「正孔注入層および正孔輸送層のうちの少なくともいずれか１つ」を意味する。「電子注入・輸送層」は「電子注入層および電子輸送層のうちの少なくともいずれか１つ」を意味する。ここで、正孔注入層および正孔輸送層を有する場合には、陽極と正孔輸送層との間に正孔注入層が設けられていることが好ましい。また、電子注入層および電子輸送層を有する場合には、陰極と電子輸送層との間に電子注入層が設けられていることが好ましい。また、正孔注入層、正孔輸送層、電子輸送層、および電子注入層は、それぞれ、一層で構成されていても良いし、複数の層が積層されていてもよい。
【０１１３】
（発光層）
（第一の化合物）
第一の化合物は、金属錯体であることが好ましい。
【０１１４】
第一の化合物としての金属錯体は、イリジウム錯体、銅錯体、白金錯体、オスミウム錯体又は金錯体であることが好ましく、イリジウム錯体、銅錯体又は白金錯体であることがより好ましい。
【０１１５】
第一の化合物としての金属錯体は、下記一般式（１００）で表されることが好ましい。
【０１１６】
【化２２】
2020178024.tif 000023
【０１１７】
（前記一般式（１００）において、
Ｍｅｔは、金属であり、
（Ｙ１０３−Ｙ１０４）は、二座配位子であり、
Ｙ１０３及びＹ１０４は、それぞれ独立に、Ｃ（炭素原子）、Ｎ（窒素原子）、Ｏ（酸素原子）、Ｐ（リン原子）及びＳ（硫黄原子）から選択され、
Ｌ１０１は、前記（Ｙ１０３−Ｙ１０４）で表される二座配位子とは異なる他の配位子であり、
ｋ１は、１から金属Ｍｅｔに配位し得る配位子の最大数までの整数値であり、且つ、ｋ１＋ｋ２は、金属Ｍｅｔに配位し得る配位子の最大数である。）
【０１１８】
前記一般式（１００）において、二座配位子としての「（Ｙ１０３−Ｙ１０４）」とは、下記一般式（１００ａ）で表される配位子を意味する。
【０１１９】
【化２３】
2020178024.tif 000024
【０１２０】
前記一般式（１００ａ）において、Ｙ１０３及びＹ１０４は、それぞれ独立に、Ｃ、Ｎ、Ｏ、Ｐ及びＳから選択され、２つの＊は、それぞれ、金属との結合位置を示す。
【０１２１】
前記一般式（１００）において、二座配位子としての（Ｙ１０３−Ｙ１０４）は、下記一般式（１００ｂ）又は一般式（１００ｃ）で表される配位子であることも好ましい。
【０１２２】
【化２４】
2020178024.tif 000025
【０１２３】
【化２５】
2020178024.tif 000026
【０１２４】
前記一般式（１００ｂ）及び一般式（１００ｃ）において、２つの＊は、それぞれ、金属との結合位置を示す。
【０１２５】
金属Ｍｅｔは、イリジウム、銅、白金、オスミウム又は金であることが好ましく、イリジウム、銅又は白金であることがより好ましい。
【０１２６】
第一の化合物は、リン光発光性の金属錯体であることも好ましい。
【０１２７】
第一の化合物としての金属錯体は、下記一般式（１０１）で表されるモノアニオン性二座配位子を含むリン光性金属錯体であることが好ましい。当該第一の化合物としてのリン光性金属錯体における金属は、４０より大きな原子番号をもつ非放射性金属からなる群から選択され、かつ、下記一般式（１０１）で表されるモノアニオン性二座配位子は、別の配位子と連結して三座、四座、五座、又は六座の配位子を構成してもよい。
【０１２８】
【化２６】
2020178024.tif 000027
【０１２９】
（前記一般式（１０１）中、
Ｒ１ａ、Ｒ１ｂ、Ｒ１ｃ、Ｒ１ｄ、Ｒ１ｅ、Ｒ１ｆ、Ｒ１ｇ及びＲ１ｈのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲ１ａ、Ｒ１ｂ、Ｒ１ｃ、Ｒ１ｄ、Ｒ１ｅ、Ｒ１ｆ、Ｒ１ｇ及びＲ１ｈは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
−Ｂ（Ｒ９０８）（Ｒ９０９）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｒ１ａ、Ｒ１ｂ、Ｒ１ｃ、Ｒ１ｄ、Ｒ１ｅ、Ｒ１ｆ、Ｒ１ｇ、Ｒ１ｈ、Ｒ９０１、Ｒ９０２、Ｒ９０３、Ｒ９０４、Ｒ９０５、Ｒ９０６、Ｒ９０７、Ｒ９０８及びＲ９０９のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲ９０１、Ｒ９０２、Ｒ９０３、Ｒ９０４、Ｒ９０５、Ｒ９０６、Ｒ９０７、Ｒ９０８及びＲ９０９は、それぞれ独立して、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。）
【０１３０】
・「−Ｂ（Ｒ９０８）（Ｒ９０９）で表される基」
本明細書に記載の−Ｂ（Ｒ９０８）（Ｒ９０９）で表される基の具体例（具体例群Ｇ１２）としては、
−Ｂ（Ｇ１）（Ｇ１）、
−Ｂ（Ｇ２）（Ｇ２）、
−Ｂ（Ｇ１）（Ｇ２）、
−Ｂ（Ｇ３）（Ｇ３）、及び
−Ｂ（Ｇ６）（Ｇ６）が挙げられれ、Ｇ１は、前記具体例群Ｇ１に記載の基であり、Ｇ２は、前記具体例群Ｇ２に記載の基であり、Ｇ３は、前記具体例群Ｇ３に記載の基であり、Ｇ６は、前記具体例群Ｇ６に記載の基である。
−Ｂ（Ｇ１）（Ｇ１）における複数のＧ１は、互いに同一であるか、又は異なる。
−Ｂ（Ｇ２）（Ｇ２）における複数のＧ２は、互いに同一であるか、又は異なる。
−Ｂ（Ｇ３）（Ｇ３）における複数のＧ３は、互いに同一であるか、又は異なる。
−Ｂ（Ｇ６）（Ｇ６）における複数のＧ６は、互いに同一であるか、又は異なる。
【０１３１】
前記一般式（１０１）で表されるモノアニオン性二座配位子を含むリン光性金属錯体における金属は、レニウム、ルテニウム、オスミウム、ロジウム、イリジウム、パラジウム、白金、銅及び金からなる群から選択される金属であることが好ましく、イリジウム、オスミウム、白金、銅及び金からなる群から選択される金属であることがより好ましい。
【０１３２】
第一の化合物としての前記金属錯体は、下記一般式（１０２）で表されることが好ましい。
【０１３３】
【化２７】
2020178024.tif 000028
【０１３４】
（前記一般式（１０２）中、
Ｍは、金属であり、
Ａ環及びＢ環は、それぞれ独立して、５環又は６環の芳香族環であり、
Ｚ１及びＺ２は、それぞれ独立して、Ｃ及びＮからなる群から選択され、
Ｌ１及びＬ２は、それぞれ独立して、
単結合、
ＢＲ１２１、
ＮＲ１２２、
ＰＲ１２３、
酸素原子、
硫黄原子、
セレン原子、
Ｃ＝Ｏ、
Ｓ＝Ｏ、
ＳＯ２、
置換もしくは無置換の炭素数１〜５０のアルキレン基、
置換もしくは無置換の炭素数２〜５０のアルケニレン基、
置換もしくは無置換の環形成炭素数３〜５０のシクロアルキレン基、
Ｓｉ（Ｒ１２４）（Ｒ１２５）、
Ｇｅ（Ｒ１２６）（Ｒ１２７）、及び
これらの組合せで成り立った群から選択され、
ＲＡ及びＬ２からなる組が、
互いに結合して、置換もしくは無置換の単環を形成するか、
互いに結合して、置換もしくは無置換の縮合環を形成するか、又は
互いに結合せず、
ＲＢ及びＬ２からなる組が、
互いに結合して、置換もしくは無置換の単環を形成するか、
互いに結合して、置換もしくは無置換の縮合環を形成するか、又は
互いに結合せず、
ＲＡが複数ある場合、複数のＲＡのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ＲＢが複数ある場合、複数のＲＢのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ＲＣ１、ＲＣ２及びＲＣ３うちの隣接する２つ以上からなる組の１組以上が、
互いに結合して、置換もしくは無置換の単環を形成するか、
互いに結合して、置換もしくは無置換の縮合環を形成するか、又は
互いに結合せず、
ＲＤ１及びＲＤ２からなる組が、
互いに結合して、置換もしくは無置換の単環を形成するか、
互いに結合して、置換もしくは無置換の縮合環を形成するか、又は
互いに結合せず、
Ｒ１２１〜Ｒ１２７、並びに前記置換もしくは無置換の単環を形成せず、かつ前記置換もしくは無置換の縮合環を形成しないＲＡ、ＲＢ、ＲＣ１、ＲＣ２、ＲＣ３、ＲＤ１及びＲＤ２は、それぞれ独立して、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
アシル基、
カルボニル基、
カルボキシ基、
エステル基、
イソニトリル基、
スルファニル基、
スルフィニル基、
スルホニル基、
ホスフィノ基、
置換もしくは無置換の環形成炭素数６〜５０のアリール基、
置換もしくは無置換の環形成原子数５〜５０の複素環基、及び
これらの組合せで成り立った群から選択され、
Ｒは、
水素原子、
置換もしくは無置換の炭素数１〜５０のアルキル基、
置換もしくは無置換の環形成炭素数３〜５０のシクロアルキル基、
置換もしくは無置換のアラルキル基、
−Ｓｉ（Ｒ９０１）（Ｒ９０２）（Ｒ９０３）で表される基、
置換もしくは無置換の環形成炭素数６〜５０のアリール基、
置換もしくは無置換の環形成原子数５〜５０の複素環基、及び
これらの組合せで成り立った群から選択され、
Ｒ９０１、Ｒ９０２、Ｒ９０３、Ｒ９０４、Ｒ９０５、Ｒ９０６、Ｒ９０７、Ｒ９０８及びＲ９０９は、それぞれ独立して、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。）
【０１３５】
前記一般式（１０２）における金属Ｍは、レニウム、ルテニウム、オスミウム、ロジウム、イリジウム、パラジウム、白金、銅及び金からなる群から選択される金属であることが好ましく、イリジウム、オスミウム、白金、銅及び金からなる群から選択される金属であることがより好ましい。
い。
【０１３６】
第一の化合物としての前記金属錯体は、下記一般式（１０３）で表されることが好ましい。
【０１３７】
【化２８】
2020178024.tif 000029
【０１３８】
（前記一般式（１０３）において、
Ｍは、金属であり、
Ｘ３は、酸素原子、硫黄原子、ＮＲＸ１又はＣ（ＲＸ２）（ＲＸ３）であり、
ＲＸ１、ＲＸ２及びＲＸ３は、それぞれ独立して、
置換もしくは無置換の環形成炭素数６〜５０のアリール基、
置換もしくは無置換の環形成原子数５〜５０の複素環基、
置換もしくは無置換の炭素数１〜５０のアルキル基、又は
置換もしくは無置換の環形成炭素数３〜５０のシクロアルキル基であり、
Ｒ１およびＲ２からなる組又はＲ２およびＲ３からなる組が、
互いに結合して、置換もしくは無置換の５員環を形成するか、
互いに結合して、置換もしくは無置換の６員環を形成するか、又は
互いに結合せず、
複数のＲ８のうちの隣接する２つ以上からなる組の１組以上が、
互いに結合して、置換もしくは無置換の５員環を形成するか、
互いに結合して、置換もしくは無置換の６員環を形成するか、又は
互いに結合せず、
前記置換もしくは無置換の５員環及び前記置換もしくは無置換の６員環は、それぞれ独立して、
シクロアルキル、
シクロヘテロアルキル、
アリール、または
ヘテロアリールであり、
前記置換の５員環及び前記置換の６員環は、それぞれ独立して、置換基Ｊを有し、複数の置換基Ｊがある場合、複数の置換基Ｊは、互いに同一であるか又は異なり、
複数の置換基Ｊのうちの隣接する２つ以上からなる組の１組以上が、
互いに結合して、置換もしくは無置換の５員環を形成するか、
互いに結合して、置換もしくは無置換の６員環を形成するか、又は
互いに結合せず、
前記置換もしくは無置換の５員環及び前記置換もしくは無置換の６員環を形成しない置換基Ｊは、それぞれ独立して、
ＲＪ１、
ＣＮ、
ＣＦ３、
Ｃ（Ｏ）ＯＲＪ２、
Ｃ（Ｏ）ＲＪ３、
Ｃ（Ｏ）Ｎ（ＲＪ４）（ＲＪ５）、
ＮＲ（ＲＪ６）（ＲＪ７）、
ＮＯ２、
ＯＲＪ８、
ＳＲＪ９、
ＳＯ２、
ＳＯＲＪ１０、又は
ＳＯ３ＲＪ１１であり、
ＲＪ１、ＲＪ２、ＲＪ３、ＲＪ４、ＲＪ５、ＲＪ６、ＲＪ７、ＲＪ８、ＲＪ９、ＲＪ１０及びＲＪ１１は、それぞれ独立して、
水素原子、
ハロゲン原子、
置換もしくは無置換の炭素数１〜５０のアルキル、
置換もしくは無置換の環形成炭素数３〜５０のシクロアルキル基、
置換もしくは無置換の炭素数２〜５０のアルケニル基、
置換もしくは無置換の炭素数２〜５０のアルキニル基、
ヘテロアルキル、
置換もしくは無置換のアラルキル基、
置換もしくは無置換の環形成炭素数６〜５０のアリール、又は
置換もしくは無置換の環形成原子数５〜５０の複素環基であり、
前記置換もしくは無置換の５員環及び前記置換もしくは無置換の６員環を形成しないＲ１は、
水素原子、
置換もしくは無置換の炭素数１〜５０のアルキル基、
置換もしくは無置換の環形成炭素数３〜５０のシクロアルキル基、
置換もしくは無置換の炭素数２〜５０のアルケニル基、
置換もしくは無置換の炭素数２〜５０のアルキニル基、
置換もしくは無置換のアラルキル基、
置換もしくは無置換の環形成炭素数６〜５０のアリール基、又は
置換もしくは無置換の環形成原子数５〜５０の複素環基、
前記置換もしくは無置換の５員環及び前記置換もしくは無置換の６員環を形成しないＲ２、Ｒ３及びＲ８は、それぞれ独立して、
水素原子、
置換もしくは無置換の炭素数１〜５０のアルキル基、
置換もしくは無置換の環形成炭素数３〜５０のシクロアルキル基、
置換もしくは無置換の炭素数２〜５０のアルケニル基、
置換もしくは無置換の炭素数２〜５０のアルキニル基、
置換もしくは無置換のアラルキル基、
シアノ基、
トリフルオロメチル基、
ＣＯ２Ｒ１３１で表される基、
Ｃ（Ｏ）Ｒ１３２で表される基、
Ｃ（Ｏ）Ｎ（Ｒ１３３）（Ｒ１３４）で表される基、
Ｎ（Ｒ１３５）（Ｒ１３６）で表される基、
ＮＯ２、
ＯＲ１３７で表される基、
ＳＲ１３８で表される基、
ＳＯ２、
ＳＯＲ１３９で表される基、
ＳＯ３Ｒ１４０で表される基、
ハロゲン原子、
置換もしくは無置換の環形成炭素数６〜５０のアリール基、又は
置換もしくは無置換の環形成原子数５〜５０の複素環基であり、
Ｒ１３１〜Ｒ１４０は、それぞれ独立して、
水素原子、
ハロゲン原子、
置換もしくは無置換の炭素数１〜５０のアルキル、
置換もしくは無置換の環形成炭素数３〜５０のシクロアルキル基、
置換もしくは無置換の炭素数２〜５０のアルケニル基、
置換もしくは無置換の炭素数２〜５０のアルキニル基、
ヘテロアルキル、
置換もしくは無置換のアラルキル基、
置換もしくは無置換の環形成炭素数６〜５０のアリール、又は
置換もしくは無置換の環形成原子数５〜５０の複素環基であり、
（Ｘ−Ｙ）は、光活性配位子または補助配位子から選択され、
ｄは、０、１、２、３、または４であり、
ｍ１は、１から金属Ｍに結合し得る配位子の最大数までの値であり、
ｍ１＋ｍ２は、金属Ｍに結合することができる配位子の最大数である。）
【０１３９】
前記一般式（１０３）における金属Ｍは、レニウム、ルテニウム、オスミウム、ロジウム、イリジウム、パラジウム、白金、銅及び金からなる群から選択される金属であることが好ましく、イリジウム、オスミウム、白金、銅及び金からなる群から選択される金属であることがより好ましい。
い。
【０１４０】
前記一般式（１０３）におけるＸ３は、酸素原子であることが好ましい。
【０１４１】
・第一の化合物の具体例
本実施形態に係る第一の化合物の具体例としては、例えば、以下の化合物が挙げられる。ただし、本発明は、これら第一の化合物の具体例に限定されない。
【０１４２】
【化２９】
2020178024.tif 000030
【０１４３】
【化３０】
2020178024.tif 000031
【０１４４】
【化３１】
2020178024.tif 000032
【０１４５】
【化３２】
2020178024.tif 000033
【０１４６】
【化３３】
2020178024.tif 000034
【０１４７】
【化３４】
2020178024.tif 000035
【０１４８】
【化３５】
2020178024.tif 000036
【０１４９】
【化３６】
2020178024.tif 000037
【０１５０】
第一の化合物は、特に発光色が限定される必要はないが、主ピーク波長が５６０ｎｍ以下の燐光発光を示すことが好ましく、望ましくは５２０ｎｍ以下、さらに望ましくは４６０ｎｍ以下の燐光発光を示すことがより好ましい。
主ピーク波長とは、第二の化合物が１０−５モル／リットル以上１０−６モル／リットル以下の濃度で溶解しているトルエン溶液について、測定した発光スペクトラムにおける発光強度が最大となる発光スペクトルのピーク波長をいう。
第一の化合物は、青色の燐光発光を示すことが好ましい。
【０１５１】
・第一の化合物の製造方法
第一の化合物は、公知の合成方法にしたがって、又は当該合成例に倣い、目的物に合わせた既知の代替反応及び原料を用いることで、製造できる。
【０１５２】
（第二の化合物）
本実施形態に係る第二の化合物は、下記（ａ）、（ｂ）、（ｃ）及び（ｄ）を満たす化合物である
【０１５３】
（ａ）半値幅が３０ｎｍ以下
（ｂ）イオン化ポテンシャルが６．０ｅＶ以下
（ｃ）一重項エネルギーＳ１（Ｍ２）が２．６ｅＶ以上
（ｄ）トルエン溶液中でのピークトップが４６５ｎｍ以下
【０１５４】
前記（ａ）、（ｂ）、（ｃ）及び（ｄ）を満たす第二の化合物と、前述の第一の化合物とを発光層に組み合わせて用いることで、第一の化合物と第二の化合物との相互作用が小さくなり、有機ＥＬ素子の性能が向上する。具体的には、発光効率が向上し、長寿命化し、有機ＥＬ素子から放射される光のピーク半値幅が狭くなり、高色純度となる。
【０１５５】
第二の化合物の半値幅は、２８ｎｍ以下であることが好ましく、２５ｎｍ以下であることがより好ましい。
第二の化合物の半値幅の測定方法は、後述する実施例に記載の通りである。
【０１５６】
第二の化合物のイオン化ポテンシャルは、５．９ｅＶ以下であることが好ましく、５．８ｅＶ以下であることがより好ましい。
第二の化合物のイオン化ポテンシャルの測定方法は、後述する実施例に記載の通りである。
【０１５７】
第二の化合物のトルエン溶液中でのピークトップは、４６０ｎｍ以下であることが好ましく、４５８ｎｍ以下であることがより好ましい。
第二の化合物のトルエン溶液中でのピークトップの測定方法は、後述する実施例に記載の通りである。
【０１５８】
第二の化合物の一重項エネルギーＳ１（Ｍ２）は、２．６５ｅＶ以上であることが好ましく、２．７０ｅＶ以上であることがより好ましい。
【０１５９】
・一重項エネルギーＳ１
溶液を用いた一重項エネルギーＳ１の測定方法（溶液法と称する場合がある。）としては、下記の方法が挙げられる。
測定対象となる化合物の１０μｍｏｌ／Ｌトルエン溶液を調製して石英セルに入れ、常温（３００Ｋ）でこの試料の吸収スペクトル（縦軸：吸収強度、横軸：波長とする。）を測定する。この吸収スペクトルの長波長側の立ち下がりに対して接線を引き、その接線と横軸との交点の波長値λｅｄｇｅ［ｎｍ］を次に示す換算式（Ｆ２）に代入して一重項エネルギーを算出する。
換算式（Ｆ２）：Ｓ１［ｅＶ］＝１２３９．８５／λｅｄｇｅ
吸収スペクトル測定装置としては、例えば、日立社製の分光光度計（装置名：Ｕ３３１０）が挙げられるが、これに限定されない。
【０１６０】
吸収スペクトルの長波長側の立ち下がりに対する接線は以下のように引く。吸収スペクトルの極大値のうち、最も長波長側の極大値から長波長方向にスペクトル曲線上を移動する際に、曲線上の各点における接線を考える。この接線は、曲線が立ち下がるにつれ（つまり縦軸の値が減少するにつれ）、傾きが減少しその後増加することを繰り返す。傾きの値が最も長波長側（ただし、吸光度が０．１以下となる場合は除く）で極小値をとる点において引いた接線を当該吸収スペクトルの長波長側の立ち下がりに対する接線とする。
なお、吸光度の値が０．２以下の極大点は、上記最も長波長側の極大値には含めない。
【０１６１】
本実施形態に係る第二の化合物は、蛍光発光性の化合物であることが好ましい。
【０１６２】
第二の化合物は、青色の蛍光発光を示すことが好ましい。
【０１６３】
第二の化合物は、下記一般式（２１）、（３１）、（４１）、（５１）及び（６１）からなる群から選択される１以上の化合物であることが好ましい。
【０１６４】
（一般式（２１）で表される化合物）
一般式（２１）で表される化合物について説明する。
【０１６５】
【化３７】
2020178024.tif 000038
【０１６６】
（前記一般式（２１）において、
Ｚは、それぞれ独立に、ＣＲａ又はＮであり、複数のＺは、互いに同一であるか、又は異なり、
Ａ１環及びＡ２環は、それぞれ独立に、
置換もしくは無置換の環形成炭素数６〜５０の芳香族炭化水素環、又は
置換もしくは無置換の環形成原子数５〜５０の複素環であり、
Ｒａが複数存在する場合、複数のＲａのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ｎ２１及びｎ２２は、それぞれ独立に、０、１、２、３又は４であり、
Ｒｂが複数存在する場合、複数のＲｂのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
Ｒｃが複数存在する場合、複数のＲｃのうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲａ、Ｒｂ及びＲｃは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（２１）におけるＲ９０１、Ｒ９０２、Ｒ９０３、Ｒ９０４、Ｒ９０５、Ｒ９０６及びＲ９０７は、それぞれ独立に、
置換もしくは無置換の環形成炭素数６〜５０のアリール基、
置換もしくは無置換の環形成原子数５〜５０の複素環基、
置換もしくは無置換の炭素数１〜５０のアルキル基、又は
置換もしくは無置換の環形成炭素数３〜５０のシクロアルキル基であり、
Ｒ９０１が複数ある場合、複数のＲ９０１は、互いに同一であるか、又は異なり、
Ｒ９０２が複数ある場合、複数のＲ９０２は、互いに同一であるか、又は異なり、
Ｒ９０３が複数ある場合、複数のＲ９０３は、互いに同一であるか、又は異なり、
Ｒ９０４が複数ある場合、複数のＲ９０４は、互いに同一であるか、又は異なり、
Ｒ９０５が複数ある場合、複数のＲ９０５は、互いに同一であるか、又は異なり、
Ｒ９０６が複数ある場合、複数のＲ９０６は、互いに同一であるか、又は異なり、
Ｒ９０７が複数ある場合、複数のＲ９０７は、互いに同一であるか、又は異なる。）
【０１６７】
Ｒａが複数存在する場合、複数のＲａは、互いに同一であるか又は異なる。
Ｒｂが複数存在する場合、複数のＲｂは、互いに同一であるか又は異なる。
Ｒｃが複数存在する場合、複数のＲｃは、互いに同一であるか又は異なる。
【０１６８】
Ａ１環及びＡ２環の「芳香族炭化水素環」は、上述の「本明細書に記載の置換基」の項目において説明した「アリール基」に水素原子を導入した化合物と同じ構造である。Ａ１環及びＡ２環の「芳香族炭化水素環」は、前記一般式（２１）中央の縮合２環構造上の炭素原子２つを環形成原子として含むものである。「置換もしくは無置換の環形成炭素数６〜５０の芳香族炭化水素環」の具体例としては、具体例群Ｇ１に記載の「アリール基」に水素原子を導入した化合物等が挙げられる。
【０１６９】
Ａ１環及びＡ２環の「複素環」は、上述の「本明細書に記載の置換基」の項目において説明した「複素環基」に水素原子を導入した化合物と同じ構造である。Ａ１環及びＡ２環の「複素環」は、前記一般式（２１）中央の縮合２環構造上の炭素原子２つを環形成原子として含むものである。「置換もしくは無置換の環形成原子数５〜５０の複素環」の具体例としては、具体例群Ｇ２に記載の「複素環基」に水素原子を導入した化合物等が挙げられる。
【０１７０】
Ｒｂは、Ａ１環の芳香族炭化水素環を形成する炭素原子のいずれか、又は、Ａ１環の複素環を形成する原子のいずれかに結合する。
Ｒｃは、Ａ２環の芳香族炭化水素環を形成する炭素原子のいずれか、又は、Ａ２環の複素環を形成する原子のいずれかに結合する。
【０１７１】
Ｒａ〜Ｒｃのうち、少なくとも１つが下記一般式（２１ａ）で表される基であることが好ましく、２つが下記一般式（２１ａ）で表される基であることがより好ましい。
【０１７２】
−Ｌ２０１−Ａｒ２０１  （２１ａ）
（前記一般式（２１ａ）において、
Ｌ２０１は、
単結合、
置換もしくは無置換の環形成炭素数６〜３０のアリーレン基、又は
置換もしくは無置換の環形成原子数５〜３０の２価の複素環基である。
Ａｒ２０１は、
置換もしくは無置換の環形成炭素数６〜５０のアリール基、
置換もしくは無置換の環形成原子数５〜５０の１価の複素環基、又は
下記一般式（２１ｂ）で表される基である。
【０１７３】
【化３８】
2020178024.tif 000039
【０１７４】
前記一般式（２１ｂ）において、
Ｌ２１１及びＬ２１２は、それぞれ独立に、
単結合、
置換もしくは無置換の環形成炭素数６〜３０のアリーレン基、又は
置換もしくは無置換の環形成原子数５〜３０の２価の複素環基である。
Ａｒ２１１及びＡｒ２１２からなる組が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＡｒ２１１及びＡｒ２１２は、それぞれ独立に、
置換もしくは無置換の環形成炭素数６〜５０のアリール基、
置換もしくは無置換の環形成原子数５〜５０の複素環基である。）
【０１７５】
一実施形態において、前記一般式（２１）で表される化合物は下記一般式（２２）で表される。
【０１７６】
【化３９】
2020178024.tif 000040
【０１７７】
（前記一般式（２２）において、
Ｒ２０１〜Ｒ２１１のうちの隣接する２つ以上からなる組の１組以上が、
互いに結合して、置換もしくは無置換の単環を形成するか、
互いに結合して、置換もしくは無置換の縮合環を形成するか、
互いに結合せず、
前記単環を形成せず、かつ前記縮合環を形成しないＲ２０１〜Ｒ２１１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の１価の複素環基であり、
前記一般式（２２）におけるＲ９０１〜Ｒ９０７は、それぞれ、前記一般式（２１）におけるＲ９０１〜Ｒ９０７と同義である。）
【０１７８】
Ｒ２０１〜Ｒ２１１のうち、少なくとも１つが前記一般式（２１ａ）で表される基であることが好ましく、少なくとも２つが前記一般式（２１ａ）で表される基であることがより好ましい。好ましくはＲ２０４及びＲ２１１が前記一般式（２１ａ）で表される基である。
【０１７９】
一実施形態において、前記一般式（２１）で表される化合物は、Ａ１環に下記一般式（２１−１）又は一般式（２１−２）で表される構造が結合した化合物である。
また、一実施形態において、前記一般式（２２）で表される化合物は、Ｒ２０４〜Ｒ２０７が結合する環に下記一般式（２１−１）又は一般式（２１−２）で表される構造が結合した化合物である。
【０１８０】
【化４０】
2020178024.tif 000041
【０１８１】
（前記一般式（２１−１）において、２つの結合手＊は、それぞれ独立に、前記一般式（２１）のＡ１環の芳香族炭化水素環の環形成炭素原子もしくは複素環の環形成原子と結合するか、又は前記一般式（２２）のＲ２０４〜Ｒ２０７のいずれかと結合する。
前記一般式（２１−２）において、３つの結合手＊は、それぞれ独立に、前記一般式（２２）のＡ１環の芳香族炭化水素環の環形成炭素原子もしくは複素環の環形成原子と結合するか、又は前記一般式（２２）のＲ２０４〜Ｒ２０７のいずれかと結合する。
Ｒ２２１〜Ｒ２２７及びＲ２３１〜Ｒ２３９のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記単環を形成せず、かつ前記縮合環を形成しないＲ２２１〜Ｒ２２７及びＲ２３１〜Ｒ２３９は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の１価の複素環基である。
前記一般式（２１−１）及び一般式（２１−２）におけるＲ９０１〜Ｒ９０７は、それぞれ、前記一般式（２１）におけるＲ９０１〜Ｒ９０７と同義である。）
【０１８２】
一実施形態においては、前記一般式（２１）で表される化合物は、下記一般式（２１−３）、一般式（２１−４）又は一般式（２１−５）で表される化合物である。
【０１８３】
【化４１】
2020178024.tif 000042
【０１８４】
（前記一般式（２１−３）、及び一般式（２１−４）及び一般式（２１−５）中、
Ａ１環は、前記一般式（２１）で定義した通りであり、
Ｒ２４０１〜Ｒ２４０７は、前記一般式（２１−１）及び前記一般式（２１−２）のＲ２２１〜Ｒ２２７と同義であり、
Ｒ２４１０〜Ｒ２４１７は、前記一般式（２２）のＲ２０１〜Ｒ２１１と同義であり、
２つのＲ２４１７は、互いに同一であるか又は異なる。）
【０１８５】
一実施形態においては、一般式（２１−５）のＡ１環の置換もしくは無置換の環形成炭素数６〜５０の芳香族炭化水素環は、置換もしくは無置換のナフタレン環、又は置換もしくは無置換のフルオレン環である。
一実施形態においては、一般式（２１−５）のＡ１環の置換もしくは無置換の環形成原子数５〜５０の複素環は、置換もしくは無置換のジベンゾフラン環、置換もしくは無置換のカルバゾール環、又は置換もしくは無置換のジベンゾチオフェン環である。
【０１８６】
一実施形態においては、前記一般式（２１）又は前記一般式（２２）で表される化合物は、下記一般式（２１−６−１）〜（２１−６−７）で表される化合物からなる群から選択される。
【０１８７】
【化４２】
2020178024.tif 000043
【０１８８】
（前記一般式（２１−６−１）〜（２１−６−７）中、
Ｒ２４２１〜Ｒ２４２７、Ｒ２４２８及びＲ２４２９は、前記一般式（２１−１）におけるＲ２２１〜Ｒ２２７と同義であり、
Ｒ２４３０〜Ｒ２４３７及びＲ２４４１〜Ｒ２４４４は、前記一般式（２２）のＲ２０１〜Ｒ２１１と同義であり、
２つのＲ２４３７は、互いに同一であるか又は異なり、
Ｘは、酸素原子、ＮＲ９０１、又はＣ（Ｒ９０２）（Ｒ９０３）である。
Ｒ９０１〜Ｒ９０３は、それぞれ、前記一般式（２１）におけるＲ９０１〜Ｒ９０３と同義である。）
【０１８９】
一実施形態において、一般式（２２）で表される化合物は、Ｒ２０１〜Ｒ２１１のうち隣接する２つ以上からなる組の１組以上が、互いに結合して、置換もしくは無置換の単環を形成するか、又は互いに結合して、置換もしくは無置換の縮合環を形成する。当該実施形態について、以下一般式（２５）として詳述する。
【０１９０】
（一般式（２５）で表される化合物）
一般式（２５）で表される化合物について説明する。
【０１９１】
【化４３】
2020178024.tif 000044
【０１９２】
（前記一般式（２５）において、
Ｒ２５１とＲ２５２とからなる組、Ｒ２５２とＲ２５３とからなる組、Ｒ２５４とＲ２５５とからなる組、Ｒ２５５とＲ２５６とからなる組、Ｒ２５６とＲ２５７とからなる組、Ｒ２５８とＲ２５９とからなる組、Ｒ２５９とＲ２６０とからなる組、並びにＲ２６０とＲ２６１とからなる組からなる群から選択される組のうち２組以上が、互いに結合して、置換もしくは無置換の単環を形成するか、又は互いに結合して、置換もしくは無置換の縮合環を形成する。
ただし、
Ｒ２５１とＲ２５２とからなる組及びＲ２５２とＲ２５３とからなる組；
Ｒ２５４とＲ２５５とからなる組及びＲ２５５とＲ２５６とからなる組；
Ｒ２５５とＲ２５６とからなる組及びＲ２５６とＲ２５７とからなる組；
Ｒ２５８とＲ２５９とからなる組及びＲ２５９とＲ２６０とからなる組；並びに
Ｒ２５９とＲ２６０とからなる組及びＲ２６０とＲ２６１とからなる組が、同時に環を形成することはない。
Ｒ２５１〜Ｒ２６１が形成する２つ以上の環は、同一であってもよく、異なっていてもよい。
前記置換もしくは無置換の単環を形成せず、かつ前記置換もしくは無置換の縮合環を形成しないＲ２５１〜Ｒ２６１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の１価の複素環基であり、
Ｒ９０１〜Ｒ９０７は、それぞれ、前記一般式（２１）におけるＲ９０１〜Ｒ９０７と同義である。）
【０１９３】
前記一般式（２５）において、ＲｎとＲｎ＋１（ｎは２５１、２５２、２５４〜２５６、及び２５８〜２６０から選ばれる整数を表す）は互いに結合して、ＲｎとＲｎ＋１が結合する２つの環形成炭素原子と共に、置換もしくは無置換の単環又は縮合環を形成する。当該単環又は縮合環は、好ましくは、炭素原子、酸素原子、硫黄原子及び窒素原子から選ばれる原子から構成され、原子数は、好ましくは３〜７であり、より好ましくは５又は６である。
【０１９４】
前記一般式（２５）で表される化合物におけるＲｎとＲｎ＋１とからなる組が互いに結合して形成する上記の環構造の数は、例えば、２つ、３つ、又は４つである。２つ以上の環構造は、それぞれ前記一般式（２５）の母骨格上の同一のベンゼン環上に存在してもよいし、異なるベンゼン環上に存在してもよい。例えば、環構造を３つ有する場合、前記一般式（２５）において示されている３つのベンゼン環のそれぞれに１つずつ環構造が存在してもよい。
【０１９５】
前記一般式（２５）で表される化合物におけるＲｎとＲｎ＋１とからなる組が互いに結合して形成する上記の環構造としては、例えば、下記一般式（２５１）〜（２６０）で表される構造等が挙げられる。
【０１９６】
【化４４】
2020178024.tif 000045
【０１９７】
（前記一般式（２５１）〜（２５７）において、＊１と＊２、＊３と＊４、＊５と＊６、＊７と＊８、＊９と＊１０、＊１１と＊１２及び＊１３と＊１４のそれぞれは、ＲｎとＲｎ＋１が結合する前記２つの環形成炭素原子を表し、Ｒｎが結合する環形成炭素原子は、＊１と＊２、＊３と＊４、＊５と＊６、＊７と＊８、＊９と＊１０、＊１１と＊１２及び＊１３と＊１４が表す２つの環形成炭素原子のどちらであってもよい。
Ｘ２５０１は、Ｃ（Ｒ２５１２）（Ｒ２５１３）、ＮＲ２５１４、酸素原子又は硫黄原子である。
Ｒ２５０１〜Ｒ２５０６及びＲ２５１２〜Ｒ２５１３のうちの隣接する２つ以上からなる組の１組以上が、
互いに結合して、置換もしくは無置換の単環を形成するか、
互いに結合して、置換もしくは無置換の縮合環を形成するか、又は、
互いに結合せず、
前記置換もしくは無置換の単環を形成せず、かつ前記置換もしくは無置換の縮合環を形成しないＲ２５０１〜Ｒ２５１４は、それぞれ独立して、前記Ｒ２５１〜Ｒ２６１と同義である。）
【０１９８】
【化４５】
2020178024.tif 000046
【０１９９】
（前記一般式（２５８）〜（２６０）において、＊１と＊２、及び＊３と＊４のそれぞれは、ＲｎとＲｎ＋１が結合する前記２つの環形成炭素原子を表し、Ｒｎが結合する環形成炭素原子は、＊１と＊２、又は＊３と＊４が表す２つの環形成炭素原子のどちらであってもよい。
Ｘ２５０１は、Ｃ（Ｒ２５１２）（Ｒ２５１３）、ＮＲ２５１４、酸素原子又は硫黄原子である。
Ｒ２５１５〜〜Ｒ２５２５のうちの隣接する２つ以上からなる組の１組以上が、
互いに結合して、置換もしくは無置換の単環を形成するか、
互いに結合して、置換もしくは無置換の縮合環を形成するか、
互いに結合せず、
前記置換もしくは無置換の単環を形成せず、かつ前記置換もしくは無置換の縮合環を形成しないＲ２５１５〜Ｒ２５２１及びＲ２５２２〜Ｒ２５２５は、それぞれ独立して、前記Ｒ２５１〜Ｒ２６１と同義である。）
【０２００】
前記一般式（２５）において、Ｒ２５２、Ｒ２５４、Ｒ２５５、Ｒ２６０及びＲ２６１の少なくとも１つ（好ましくは、Ｒ２５２、Ｒ２５５及びＲ２６０の少なくとも１つ、さらに好ましくはＲ２５２）が、環構造を形成しない基であると好ましい。
【０２０１】
（ｉ）前記一般式（２５）において、ＲｎとＲｎ＋１により形成される環構造が置換基を有する場合の置換基、
（ｉｉ）前記一般式（２５）において、環構造を形成しないＲ２５１〜Ｒ２６１、及び
（ｉｉｉ）前記一般式（２５１）〜（２６０）におけるＲ２５０１〜Ｒ２５１４、Ｒ２５１５〜〜Ｒ２５２５は、好ましくは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｎ（Ｒ９０６）（Ｒ９０７）で表される基、
置換もしくは無置換の環形成炭素数６〜５０のアリール基、
置換もしくは無置換の環形成原子数５〜５０の１価の複素環基、又は
下記の群から選択される基のいずれかである。
【０２０２】
【化４６】
2020178024.tif 000047
【０２０３】
（前記一般式（２６１）〜（２６４）中、Ｒｄは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の１価の複素環基であり、
Ｘは、Ｃ（Ｒ９０１）（Ｒ９０２）、ＮＲ９０３、酸素原子又は硫黄原子であり、
Ｒ９０１〜Ｒ９０７は、それぞれ、前記一般式（２１）におけるＲ９０１〜Ｒ９０７と同義であり、
ｐ１は、１〜５であり、
ｐ２は、１〜４であり、
ｐ３は、１〜３であり、
ｐ４は、１〜７である。）
【０２０４】
一実施形態において、前記一般式（２５）で表される化合物は、下記一般式（２５−１）〜（２５−６）のいずれかで表される。
【０２０５】
【化４７】
2020178024.tif 000048
【０２０６】
（前記一般式（２５−１）〜（２５−６）において、環ｄ、環ｅ、環ｆ、環ｇ、環ｈ及び環ｉは、それぞれ独立に、置換もしくは無置換の単環又は置換もしくは無置換の縮合環であり、当該単環及び縮合環は、飽和環であるか又は不飽和環である。Ｒ２５１〜Ｒ２６１は、それぞれ独立して、前記一般式（２５）におけるＲ２５１〜Ｒ２６１と同義である。）
【０２０７】
一実施形態において、前記一般式（２５）で表される化合物は、下記一般式（２５−７）〜（２５−１２）のいずれかで表される。
【０２０８】
【化４８】
2020178024.tif 000049
【０２０９】
（前記一般式（２５−７）〜（２５−１２）において、環ｄ、環ｅ、環ｆ、環ｋ、及び環ｊは、それぞれ独立に、置換もしくは無置換の単環又は置換もしくは無置換の縮合環であり、当該単環及び縮合環は、飽和環であるか又は不飽和環である。Ｒ２５１〜Ｒ２６１は、それぞれ独立して、前記一般式（２５）におけるＲ２５１〜Ｒ２６１と同義である。）
【０２１０】
一実施形態において、前記一般式（２５）で表される化合物は、下記一般式（２５−１３）〜（２５−２１）のいずれかで表される。
【０２１１】
【化４９】
2020178024.tif 000050
【０２１２】
（前記一般式（２５−１３）〜（２５−２１）において、環ｄ、環ｅ、環ｆ、環ｇ、環ｈ、環ｉ、環ｊ及び環ｋは、それぞれ独立に、置置換もしくは無置換の単環又は置換もしくは無置換の縮合環であり、当該単環及び縮合環は、飽和環であるか又は不飽和環である。Ｒ２５１〜Ｒ２６１は、それぞれ独立して、前記一般式（２５）におけるＲ２５１〜Ｒ２６１と同義である。）
【０２１３】
前記環ｇ又は環ｈがさらに置換基を有する場合の置換基としては、例えば、
置換もしくは無置換の炭素数１〜５０のアルキル基、
置換もしくは無置換の環形成炭素数６〜５０のアリール基、又は
前記一般式（２６１）で表される基、
前記一般式（２６３）で表される基、又は
前記一般式（２６４）で表される基が挙げられる。
【０２１４】
一実施形態において、前記一般式（２５）で表される化合物は、下記一般式（２５−２２）〜（２５−２５）のいずれかで表される。
【０２１５】
【化５０】
2020178024.tif 000051
【０２１６】
（前記一般式（２５−２２）〜（２５−２５）において、
Ｘ２５０は、Ｃ（Ｒ９０１）（Ｒ９０２）、ＮＲ９０３、酸素原子又は硫黄原子であり、
２つのＸ２５０は、互いに同一であるか、又は異なり、
Ｒ２５１〜Ｒ２６１、Ｒ２７１〜Ｒ２７８は、それぞれ独立して、前記一般式（２５）のＲ２５１〜Ｒ２６１と同義であり、
Ｒ９０１〜Ｒ９０３は、それぞれ、前記一般式（２１）におけるＲ９０１〜Ｒ９０７と同義である。）
【０２１７】
一実施形態において、前記一般式（２５）で表される化合物は、下記一般式（２５−２６）で表される。
【０２１８】
【化５１】
2020178024.tif 000052
【０２１９】
（前記一般式（２５−２６）において、
Ｘ２５０は、Ｃ（Ｒ９０１）（Ｒ９０２）、ＮＲ９０３、酸素原子又は硫黄原子であり、
Ｒ２５３、Ｒ２５４、Ｒ２５７、Ｒ２５８、Ｒ２６１、及びＲ２７１〜Ｒ２８２は、それぞれ独立して、前記一般式（２５）のＲ２５１〜Ｒ２６１と同義であり、
Ｒ９０１〜Ｒ９０３は、それぞれ、前記一般式（２１）におけるＲ９０１〜Ｒ９０７と同義である。）
【０２２０】
前記一般式（２１）で表される化合物としては、例えば、以下に示す化合物が具体例として挙げられる。下記具体例中、Ｐｈはフェニル基、Ｄは重水素原子を示す。本発明は、これら第二の化合物の具体例に限定されない。
【０２２１】
【化５２】
2020178024.tif 000053
【０２２２】
【化５３】
2020178024.tif 000054
【０２２３】
【化５４】
2020178024.tif 000055
【０２２４】
【化５５】
2020178024.tif 000056
【０２２５】
【化５６】
2020178024.tif 000057
【０２２６】
【化５７】
2020178024.tif 000058
【０２２７】
【化５８】
2020178024.tif 000059
【０２２８】
【化５９】
2020178024.tif 000060
【０２２９】
【化６０】
2020178024.tif 000061
【０２３０】
【化６１】
2020178024.tif 000062
【０２３１】
（一般式（３１）で表される化合物）
一般式（３１）で表される化合物について説明する。一般式（３１）で表される化合物は、上述した一般式（２１−３）で表される化合物に対応する化合物である。
【０２３２】
【化６２】
2020178024.tif 000063
【０２３３】
（前記一般式（３１）において、
Ｒ３０１〜Ｒ３０７及びＲ３１１〜Ｒ３１７のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の単環を形成せず、かつ前記置換もしくは無置換の縮合環を形成しないＲ３０１〜Ｒ３０７及びＲ３１１〜Ｒ３１７は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｒ３２１及びＲ３２２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（３１）におけるＲ９０１〜Ｒ９０７は、それぞれ、前記一般式（２１）におけるＲ９０１〜Ｒ９０７と同義である。）
【０２３４】
「Ｒ３０１〜Ｒ３０７及びＲ３１１〜Ｒ３１７のうちの隣接する２つ以上からなる組」は、例えば、Ｒ３０１とＲ３０２との組、Ｒ３０２とＲ３０３との組、Ｒ３０３とＲ３０４との組、Ｒ３０５とＲ３０６との組、Ｒ３０６とＲ３０７との組、Ｒ３０１とＲ３０２とＲ３０３との組等の組合せである。
【０２３５】
一実施形態において、Ｒ３０１〜Ｒ３０７及びＲ３１１〜Ｒ３１７の少なくとも１つが−Ｎ（Ｒ９０６）（Ｒ９０７）で表される基であることが好ましく、好ましくは２つが−Ｎ（Ｒ９０６）（Ｒ９０７）で表される基である。
【０２３６】
一実施形態においては、Ｒ３０１〜Ｒ３０７及びＲ３１１〜Ｒ３１７は、それぞれ独立に、水素原子、置換もしくは無置換の環形成炭素数６〜５０のアリール基、又は置換もしくは無置換の環形成原子数５〜５０の複素環基である。
【０２３７】
一実施形態においては、前記一般式（３１）で表される化合物は、下記一般式（３２）で表される化合物である。
【０２３８】
【化６３】
2020178024.tif 000064
【０２３９】
（前記一般式（３２）において、
Ｒ３３１〜Ｒ３３４及びＲ３４１〜Ｒ３４４のうちの隣接する２つ以上からなる組の１組以上が、
互いに結合して、置換もしくは無置換の単環を形成するか、
互いに結合して、置換もしくは無置換の縮合環を形成するか、
互いに結合せず、
前記置換もしくは無置換の単環を形成せず、かつ前記置換もしくは無置換の縮合環を形成しないＲ３３１〜Ｒ３３４、Ｒ３４１〜Ｒ３４４、並びにＲ３５１及びＲ３５２は、それぞれ独立に、
水素原子、
置換もしくは無置換の環形成炭素数６〜５０のアリール基、又は
置換もしくは無置換の環形成原子数５〜５０の複素環基であり、
Ｒ３６１〜Ｒ３６４は、それぞれ独立に、
置換もしくは無置換の環形成炭素数６〜５０のアリール基、又は
置換もしくは無置換の環形成原子数５〜５０の複素環基である。）
【０２４０】
一実施形態においては、前記一般式（３１）で表される化合物は、下記一般式（３３）で表される化合物である。
【０２４１】
【化６４】
2020178024.tif 000065
【０２４２】
（前記一般式（３３）において、Ｒ３５１、Ｒ３５２及びＲ３６１〜Ｒ３６４は、前記一般式（３２）で定義した通りである。）
【０２４３】
一実施形態においては、前記一般式（３２）及び一般式（３３）におけるＲ３６１〜Ｒ３６４は、それぞれ独立に、置換もしくは無置換の環形成炭素数６〜５０のアリール基であり、好ましくは置換もしくは無置換のフェニル基である。
【０２４４】
一実施形態においては、前記一般式（３１）におけるＲ３２１及びＲ３２２、前記一般式（３２）及び一般式（３３）におけるＲ３５１及びＲ３５２は、水素原子である。
【０２４５】
一実施形態においては、前記一般式（３１）〜（３３）における、「置換もしくは無置換の」という場合における置換基は、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。
【０２４６】
前記一般式（３１）で表される化合物としては、例えば、以下に示す化合物が具体例として挙げられる。本発明は、これら第二の化合物の具体例に限定されない。
【０２４７】
【化６５】
2020178024.tif 000066
【０２４８】
【化６６】
2020178024.tif 000067
【０２４９】
【化６７】
2020178024.tif 000068
【０２５０】
【化６８】
2020178024.tif 000069
【０２５１】
【化６９】
2020178024.tif 000070
【０２５２】
【化７０】
2020178024.tif 000071
【０２５３】
（一般式（４１）で表される化合物）
一般式（４１）で表される化合物について説明する。
【０２５４】
【化７１】
2020178024.tif 000072
【０２５５】
（前記一般式（４１）において、
ａ環、ｂ環及びｃ環は、それぞれ独立に、
置換もしくは無置換の環形成炭素数６〜５０の芳香族炭化水素環、又は
置換もしくは無置換の環形成原子数５〜５０の複素環であり、
Ｒ４０１及びＲ４０２は、それぞれ独立に、
前記ａ環、ｂ環又はｃ環と結合して、置換もしくは無置換の環形成原子数５〜５０の複素環を形成するか、又は
前記ａ環、ｂ環又はｃ環と結合せず、
前記置換もしくは無置換の環形成原子数５〜５０の複素環を形成しないＲ４０１及びＲ４０２は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。）
【０２５６】
ａ環、ｂ環及びｃ環は、ホウ素原子及び２つの窒素原子から構成される前記一般式（４１）中央の縮合２環構造に縮合する環（置換もしくは無置換の環形成炭素数６〜５０の芳香族炭化水素環、又は置換もしくは無置換の環形成原子数５〜５０の複素環）である。
【０２５７】
ａ環、ｂ環及びｃ環の「芳香族炭化水素環」は、上述の「本明細書に記載の置換基」の項目において説明した「アリール基」に水素原子を導入した化合物と同じ構造である。
ａ環の「芳香族炭化水素環」は、前記一般式（４１）中央の縮合２環構造上の炭素原子３つを環形成原子として含むものである。
ｂ環及びｃ環の「芳香族炭化水素環」は、前記一般式（４１）中央の縮合２環構造上の炭素原子２つを環形成原子として含むものである。
「置換もしくは無置換の環形成炭素数６〜５０の芳香族炭化水素環」の具体例としては、具体例群Ｇ１に記載の「アリール基」に水素原子を導入した化合物等が挙げられる。
【０２５８】
ａ環、ｂ環及びｃ環の「複素環」は、上述の「本明細書に記載の置換基」の項目において説明した「複素環基」に水素原子を導入した化合物と同じ構造である。
ａ環の「複素環」は、前記一般式（４１）中央の縮合２環構造上の炭素原子３つを環形成原子として含むものである。
ｂ環及びｃ環の「複素環」は、前記一般式（４１）中央の縮合２環構造上の炭素原子２つを環形成原子として含むものである。
「置換もしくは無置換の環形成原子数５〜５０の複素環」の具体例としては、具体例群Ｇ２に記載の「複素環基」に水素原子を導入した化合物等が挙げられる。
【０２５９】
Ｒ４０１及びＲ４０２は、それぞれ独立に、ａ環、ｂ環又はｃ環と結合して、置換もしくは無置換の環形成原子数５〜５０の複素環を形成してもよい。この場合における複素環は、前記一般式（４１）中央の縮合２環構造上の窒素原子を含むこととなる。この場合における複素環は、窒素原子以外のヘテロ原子を含んでいてもよい。Ｒ４０１及びＲ４０２がａ環、ｂ環又はｃ環と結合するとは、具体的には、ａ環、ｂ環又はｃ環を構成する原子とＲ４０１及びＲ４０２を構成する原子が結合することを意味する。例えば、Ｒ４０１がａ環と結合して、Ｒ４０１を含む環とａ環が縮合した２環縮合（又は３環縮合以上）の含窒素複素環を形成してもよい。当該含窒素複素環の具体例としては、具体例群Ｇ２のうち、窒素を含む２環縮合以上の複素環基に対応する化合物等が挙げられる。
Ｒ４０１がｂ環と結合する場合、Ｒ４０２がａ環と結合する場合、及びＲ４０２がｃ環と結合する場合も上記と同じである。
【０２６０】
一実施形態において、前記一般式（４１）におけるａ環、ｂ環及びｃ環は、それぞれ独立に、置換もしくは無置換の環形成炭素数６〜５０の芳香族炭化水素環である。
一実施形態において、前記一般式（４１）におけるａ環、ｂ環及びｃ環は、それぞれ独立に、置換もしくは無置換のベンゼン環又は置換もしくは無置換のナフタレン環である。
【０２６１】
一実施形態において、前記一般式（４１）におけるＲ４０１及びＲ４０２は、それぞれ独立に、置換もしくは無置換の環形成炭素数６〜５０のアリール基、又は置換もしくは無置換の環形成原子数５〜５０の１価の複素環基であり、好ましくは置換もしくは無置換の環形成炭素数６〜５０のアリール基である。
【０２６２】
一実施形態において、前記一般式（４１）で表される化合物は下記一般式（４２）で表される化合物である。
【０２６３】
【化７２】
2020178024.tif 000073
【０２６４】
（前記一般式（４２）において、
Ｒ４０１Ａは、Ｒ４１１及びＲ４２１からなる群から選択される１以上と結合して、
置換もしくは無置換の複素環を形成するか、又は
置換もしくは無置換の複素環を形成せず、
Ｒ４０２Ａは、Ｒ４１３及びＲ４１４からなる群から選択される１以上と結合して、
置換もしくは無置換の複素環を形成するか、又は
置換もしくは無置換の複素環を形成せず、
前記置換もしくは無置換の複素環を形成しないＲ４０１Ａ及びＲ４０２Ａは、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ｒ４１１〜Ｒ４２１のうちの隣接する２つ以上からなる組の１組以上が、
互いに結合して、置換もしくは無置換の単環を形成するか、
互いに結合して、置換もしくは無置換の縮合環を形成するか、
互いに結合せず、
前記置換もしくは無置換の複素環を形成せず、前記置換もしくは無置換の単環を形成せず、かつ前記置換もしくは無置換の縮合環を形成しないＲ４１１〜Ｒ４２１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の１価の複素環基であり、
Ｒ９０１〜Ｒ９０７は、それぞれ、前記一般式（２１）におけるＲ９０１〜Ｒ９０７と同義である。）
【０２６５】
前記一般式（４２）のＲ４０１Ａ及びＲ４０２Ａは、前記一般式（４１）のＲ４０１及びＲ４０２に対応する基である。
例えば、Ｒ４０１ＡとＲ４１１が結合して、これらを含む環とａ環に対応するベンゼン環が縮合した２環縮合（又は３環縮合以上）の含窒素複素環を形成してもよい。当該含窒素複素環の具体例としては、具体例群Ｇ２のうち、窒素を含む２環縮合以上の複素環基に対応する化合物等が挙げられる。Ｒ４０１ＡとＲ４２１が結合する場合、Ｒ４０２ＡとＲ４１３が結合する場合、及びＲ４０２ＡとＲ４１４が結合する場合も上記と同じである。
【０２６６】
Ｒ４１１〜Ｒ４２１のうちの隣接する２つ以上からなる組の１組以上が、互いに結合して、置換もしくは無置換の単環を形成するか、又は置換もしくは無置換の縮合環を形成してもよい。例えば、Ｒ４１１とＲ４１２からなる組が互いに結合して、Ｒ４１１及びＲ４１２が結合する６員環に対して、ベンゼン環、インドール環、ピロール環、ベンゾフラン環又はベンゾチオフェン環等が縮合した構造を形成してもよく、形成された縮合環は、それぞれ、ナフタレン環、カルバゾール環、インドール環、ジベンゾフラン環又はジベンゾチオフェン環となる。
【０２６７】
一実施形態において、環形成に寄与しない（互いに結合しない）Ｒ４１１〜Ｒ４２１は、それぞれ独立に、水素原子、置換もしくは無置換の炭素数１〜５０のアルキル基、置換もしくは無置換の環形成炭素数６〜５０のアリール基、又は置換もしくは無置換の環形成原子数５〜５０の複素環基である。
【０２６８】
一実施形態において、環形成に寄与しない（互いに結合しない）Ｒ４１１〜Ｒ４２１は、それぞれ独立に、水素原子、置換もしくは無置換の環形成炭素数６〜５０のアリール基、又は置換もしくは無置換の環形成原子数５〜５０の複素環基である。
【０２６９】
一実施形態において、環形成に寄与しない（互いに結合しない）Ｒ４１１〜Ｒ４２１は、それぞれ独立に、水素原子、又は置換もしくは無置換の炭素数１〜５０のアルキル基である。
【０２７０】
一実施形態において、環形成に寄与しない（互いに結合しない）Ｒ４１１〜Ｒ４２１は、それぞれ独立に、水素原子、又は置換もしくは無置換の炭素数１〜５０のアルキル基であり、Ｒ４１１〜Ｒ４２１のうち少なくとも１つは置換もしくは無置換の炭素数１〜５０のアルキル基である。
【０２７１】
一実施形態において、前記一般式（４２）で表される化合物は、下記一般式（４３）で表される化合物である。
【０２７２】
【化７３】
2020178024.tif 000074
【０２７３】
（前記一般式（４３）において、
Ｒ４３１及びＲ４４６からなる組は、
互いに結合して、置換もしくは無置換の複素環を形成するか、又は
互いに結合せず、
Ｒ４３３及びＲ４４７からなる組は、
互いに結合して、置換もしくは無置換の複素環を形成するか、又は
互いに結合せず、
Ｒ４３４及びＲ４５１からなる組は、
互いに結合して、置換もしくは無置換の複素環を形成するか、又は
互いに結合せず、
Ｒ４４１及びＲ４４２からなる組は、
互いに結合して、置換もしくは無置換の複素環を形成するか、又は
互いに結合せず、
Ｒ４３１〜Ｒ４５１のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記置換もしくは無置換の複素環を形成せず、前記置換もしくは無置換の単環を形成せず、かつ前記置換もしくは無置換の縮合環を形成しないＲ４３１〜Ｒ４５１は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
Ｒ９０１〜Ｒ９０７は、それぞれ、前記一般式（２１）におけるＲ９０１〜Ｒ９０７と同義である。）
【０２７４】
Ｒ４３１は、Ｒ４４６と結合して、置換もしくは無置換の複素環を形成してもよい。例えば、Ｒ４３１とＲ４４６が結合して、Ｒ４６が結合するベンゼン環と、窒素原子を含む環と、ａ環に対応するベンゼン環とが縮合した３環縮合以上の含窒素複素環を形成してもよい。当該含窒素複素環の具体例としては、具体例群Ｇ２のうち、窒素を含む３環縮合以上の複素環基に対応する化合物等が挙げられる。Ｒ４３３とＲ４４７が結合する場合、Ｒ４３４とＲ４５１が結合する場合、及びＲ４４１とＲ４４２が結合する場合も上記と同じである。
【０２７５】
一実施形態において、環形成に寄与しない（互いに結合しない）Ｒ４３１〜Ｒ４５１は、それぞれ独立に、水素原子、置換もしくは無置換の炭素数１〜５０のアルキル基、置換もしくは無置換の環形成炭素数６〜５０のアリール基、又は置換もしくは無置換の環形成原子数５〜５０の複素環基である。
【０２７６】
一実施形態において、環形成に寄与しない（互いに結合しない）Ｒ４３１〜Ｒ４５１は、それぞれ独立に、水素原子、置換もしくは無置換の環形成炭素数６〜５０のアリール基、又は置換もしくは無置換の環形成原子数５〜５０の複素環基である。
【０２７７】
一実施形態において、環形成に寄与しない（互いに結合しない）Ｒ４３１〜Ｒ４５１は、それぞれ独立に、水素原子、又は置換もしくは無置換の炭素数１〜５０のアルキル基である。
【０２７８】
一実施形態において、環形成に寄与しない（互いに結合しない）Ｒ４３１〜Ｒ４５１は、それぞれ独立に、水素原子、又は置換もしくは無置換の炭素数１〜５０のアルキル基であり、Ｒ４３１〜Ｒ４５１のうち少なくとも１つは置換もしくは無置換の炭素数１〜５０のアルキル基である。
【０２７９】
一実施形態において、前記一般式（４３）で表される化合物は、下記一般式（４３Ａ）で表される化合物である。
【０２８０】
【化７４】
2020178024.tif 000075
【０２８１】
（前記一般式（４３Ａ）において、
Ｒ４６１は、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、又は
置換もしくは無置換の環形成炭素数６〜５０のアリール基であり、
Ｒ４６２〜Ｒ４６５は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、又は
置換もしくは無置換の環形成炭素数６〜５０のアリール基である。）
【０２８２】
一実施形態において、Ｒ４６１〜Ｒ４６５は、それぞれ独立に、置換もしくは無置換の炭素数１〜５０のアルキル基、又は置換もしくは無置換の環形成炭素数６〜５０のアリール基である。
【０２８３】
一実施形態において、Ｒ４６１〜Ｒ４６５は、それぞれ独立に、置換もしくは無置換の炭素数１〜５０のアルキル基である。
【０２８４】
一実施形態において、前記一般式（４３）で表される化合物は、下記一般式（４３Ｂ）で表される化合物である。
【０２８５】
【化７５】
2020178024.tif 000076
【０２８６】
（前記一般式（４３Ｂ）において、
Ｒ４７１及びＲ４７２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｎ（Ｒ９０６）（Ｒ９０７）で表される基、又は
置換もしくは無置換の環形成炭素数６〜５０のアリール基であり、
Ｒ４７３〜Ｒ４７５は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｎ（Ｒ９０６）（Ｒ９０７）で表される基、又は
置換もしくは無置換の環形成炭素数６〜５０のアリール基であり、
Ｒ９０６及びＲ９０７は、それぞれ、前記一般式（２１）におけるＲ９０６及びＲ９０７と同義である。）
【０２８７】
一実施形態において、前記一般式（４３）で表される化合物は、下記一般式（４３Ｂ’）で表される化合物である。
【０２８８】
【化７６】
2020178024.tif 000077
【０２８９】
（前記一般式（４３Ｂ’）において、Ｒ４７２〜Ｒ４７５は、前記一般式（４３Ｂ）で定義した通りである。）
【０２９０】
一実施形態において、Ｒ４７１〜Ｒ４７５のうち少なくとも１つは、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｎ（Ｒ９０６）（Ｒ９０７）で表される基、又は
置換もしくは無置換の環形成炭素数６〜５０のアリール基である。
【０２９１】
一実施形態において、
Ｒ４７２は、
水素原子、
置換もしくは無置換の炭素数１〜５０のアルキル基、
−Ｎ（Ｒ９０６）（Ｒ９０７）で表される基、又は
置換もしくは無置換の環形成炭素数６〜５０のアリール基であり、
Ｒ４７１及びＲ４７３〜Ｒ４７５は、それぞれ独立に、
置換もしくは無置換の炭素数１〜５０のアルキル基、
−Ｎ（Ｒ９０６）（Ｒ９０７）で表される基、又は
置換もしくは無置換の環形成炭素数６〜５０のアリール基である。
【０２９２】
一実施形態において、前記一般式（４３）で表される化合物は、下記一般式（４３Ｃ）で表される化合物である。
【０２９３】
【化７７】
2020178024.tif 000078
【０２９４】
（前記一般式（４３Ｃ）において、
Ｒ４８１及びＲ４８２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、又は
置換もしくは無置換の環形成炭素数６〜５０のアリール基である。
Ｒ４８３〜Ｒ４８６は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、又は
置換もしくは無置換の環形成炭素数６〜５０のアリール基である。）
【０２９５】
一実施形態において、前記一般式（４３）で表される化合物は、下記一般式（４３Ｃ’）で表される化合物である。
【０２９６】
【化７８】
2020178024.tif 000079
【０２９７】
（前記一般式（４３Ｃ’）において、Ｒ４８３〜Ｒ４８６は、前記一般式（４３Ｃ）で定義した通りである。）
【０２９８】
一実施形態において、Ｒ４８１〜Ｒ４８６は、それぞれ独立に、置換もしくは無置換の炭素数１〜５０のアルキル基、又は置換もしくは無置換の環形成炭素数６〜５０のアリール基である。
【０２９９】
一実施形態において、Ｒ４８１〜Ｒ４８６は、それぞれ独立に、置換もしくは無置換の環形成炭素数６〜５０のアリール基である。
【０３００】
前記一般式（４１）で表される化合物は、まずａ環、ｂ環及びｃ環を連結基（Ｎ−Ｒ４０１を含む基及びＮ−Ｒ４０２を含む基）で結合させることで中間体を製造し（第１反応）、ａ環、ｂ環及びｃ環を連結基（ホウ素原子を含む基）で結合させることで最終生成物を製造することができる（第２反応）。第１反応ではバッハブルト−ハートウィッグ反応等のアミノ化反応を適用できる。第２反応では、タンデムヘテロフリーデルクラフツ反応等を適用できる。
【０３０１】
以下に、一般式（４１）で表される化合物の具体例を記載する。本発明は、これら第二の化合物の具体例に限定されない。
【０３０２】
【化７９】
2020178024.tif 000080
【０３０３】
【化８０】
2020178024.tif 000081
【０３０４】
【化８１】
2020178024.tif 000082
【０３０５】
【化８２】
2020178024.tif 000083
【０３０６】
【化８３】
2020178024.tif 000084
【０３０７】
【化８４】
2020178024.tif 000085
【０３０８】
【化８５】
2020178024.tif 000086
【０３０９】
【化８６】
2020178024.tif 000087
【０３１０】
【化８７】
2020178024.tif 000088
【０３１１】
【化８８】
2020178024.tif 000089
【０３１２】
【化８９】
2020178024.tif 000090
【０３１３】
【化９０】
2020178024.tif 000091
【０３１４】
【化９１】
2020178024.tif 000092
【０３１５】
【化９２】
2020178024.tif 000093
【０３１６】
【化９３】
2020178024.tif 000094
【０３１７】
（一般式（５１）で表される化合物）
一般式（５１）で表される化合物について説明する。
【０３１８】
【化９４】
2020178024.tif 000095
【０３１９】
（前記一般式（５１）において、
ｒ環は、隣接環の任意の位置で縮合する前記一般式（５２）又は前記一般式（５３）で表される環であり、
ｑ環及びｓ環は、それぞれ独立に、隣接環の任意の位置で縮合する前記一般式（５４）で表される環であり、
ｐ環及びｔ環は、それぞれ独立に、隣接環の任意の位置で縮合する前記一般式（５５）又は前記一般式（５６）で表される環であり、
前記一般式（５２）において、ｍ１は、２であり、
前記一般式（５３）において、ｍ２は、４であり、
前記一般式（５５）において、ｍ３は、３であり、
前記一般式（５６）において、ｍ４は、５であり、
Ｒ５０１が複数存在する場合、複数のＲ５０１は、互いに同一であるか、又は異なり、
前記一般式（５２）、前記一般式（５３）、前記一般式（５５）又は前記一般式（５６）において、Ｒ５０１が複数存在する場合、複数のＲ５０１のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
前記一般式（５４）において、Ｘ５０１は、酸素原子、硫黄原子、又はＮＲ５０２であり、
Ｘ５０１が複数存在する場合、複数のＸ５０１は、互いに同一であるか、又は異なり、
Ｒ５０２が複数存在する場合、複数のＲ５０２は、互いに同一であるか、又は異なり、
前記置換もしくは無置換の単環を形成せず、かつ前記置換もしくは無置換の縮合環を形成しないＲ５０１、及びＲ５０２は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（５２）〜（５４）におけるＲ９０１〜Ｒ９０７は、それぞれ、前記一般式（２１）におけるＲ９０１〜Ｒ９０７と同義であり、
前記一般式（５５）及び一般式（５６）において、
Ａｒ５０１及びＡｒ５０２は、それぞれ独立に、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基であり、
Ａｒ５０１が複数存在する場合、複数のＡｒ５０１は、互いに同一であるか、又は異なり、
Ａｒ５０２が複数存在する場合、複数のＡｒ５０２は、互いに同一であるか、又は異なり、
Ｌ５０１は、
置換もしくは無置換の炭素数１〜５０のアルキレン基、
置換もしくは無置換の炭素数２〜５０のアルケニレン基、
置換もしくは無置換の炭素数２〜５０のアルキニレン基、
置換もしくは無置換の環形成炭素数３〜５０のシクロアルキレン基、
置換もしくは無置換の環形成炭素数６〜５０のアリーレン基、又は
置換もしくは無置換の環形成原子数５〜５０の２価の複素環基であり、
Ｌ５０１が複数存在する場合、複数のＬ５０１は、互いに同一であるか、又は異なる。）
【０３２０】
前記一般式（５１）において、ｐ環、ｑ環、ｒ環、ｓ環及びｔ環の各環は、隣接環と炭素原子２つを共有して縮合する。縮合する位置及び向きは限定されず、任意の位置及び向きで縮合可能である。
【０３２１】
一実施形態において、ｒ環の前記一般式（５２）又は前記一般式（５３）において、Ｒ５０１は、水素原子である。
【０３２２】
一実施形態において、前記一般式（５１）で表される化合物は下記一般式（５１−１）〜（５１−６）のいずれかで表される。
【０３２３】
【化９５】
2020178024.tif 000096
【０３２４】
（前記一般式（５１−１）〜（５１−６）において、Ｒ５０１、Ｘ５０１、Ａｒ５０１、Ａｒ５０２、Ｌ５０１、ｍ１及びｍ３は、前記一般式（５１）で定義した通りである。）
【０３２５】
一実施形態において、前記一般式（５１）で表される化合物は下記一般式（５１−１１）〜（５１−１３）のいずれかで表される。
【０３２６】
【化９６】
2020178024.tif 000097
【０３２７】
（前記一般式（５１−１１）〜（５１−１３）において、Ｒ５０１、Ｘ５０１、Ａｒ５０１、Ａｒ５０２、Ｌ５０１、ｍ１、ｍ３及びｍ４は、前記一般式（５１）で定義した通りである。）
【０３２８】
一実施形態において、前記一般式（５１）で表される化合物は下記一般式（５１−２１）〜（５１−２５）のいずれかで表される。
【０３２９】
【化９７】
2020178024.tif 000098
【０３３０】
【化９８】
2020178024.tif 000099
【０３３１】
【化９９】
2020178024.tif 000100
【０３３２】
（前記一般式（５１−２１）〜（５１−２５）において、Ｒ５０１、Ｘ５０１、Ａｒ５０１、Ａｒ５０２、Ｌ５０１、ｍ１及びｍ４は、前記一般式（５１）で定義した通りである。）
【０３３３】
一実施形態において、前記一般式（５１）で表される化合物は下記一般式（５１−３１）〜（５１−３３）のいずれかで表される。
【０３３４】
【化１００】
2020178024.tif 000101
【０３３５】
（前記一般式（５１−３１）〜（５１−３３）において、Ｒ５０１、Ｘ５０１、Ａｒ５０１、Ａｒ５０２、Ｌ５０１、ｍ２、ｍ３及びｍ４は、前記一般式（５１）で定義した通りである。）
【０３３６】
一実施形態においては、Ａｒ５０１及びＡｒ５０２が、それぞれ独立に、置換もしくは無置換の環形成炭素数６〜５０のアリール基である。
【０３３７】
一実施形態においては、Ａｒ５０１及びＡｒ５０２の一方が置換もしくは無置換の環形成炭素数６〜５０のアリール基であり、Ａｒ５０１及びＡｒ５０２の他方が置換もしくは無置換の環形成原子数５〜５０の１価の複素環基である。
【０３３８】
前記一般式（５１）で表される化合物としては、例えば、以下に示す化合物が具体例として挙げられる。本発明は、これら第二の化合物の具体例に限定されない。
【０３３９】
【化１０１】
2020178024.tif 000102
【０３４０】
【化１０２】
2020178024.tif 000103
【０３４１】
【化１０３】
2020178024.tif 000104
【０３４２】
【化１０４】
2020178024.tif 000105
【０３４３】
【化１０５】
2020178024.tif 000106
【０３４４】
【化１０６】
2020178024.tif 000107
【０３４５】
（一般式（６１）で表される化合物）
一般式（６１）で表される化合物について説明する。
【０３４６】
【化１０７】
2020178024.tif 000108
【０３４７】
（前記一般式（６１）において、
Ｘ６０１は、酸素原子、硫黄原子、又はＮＲ６０９であり、
Ｒ６０１〜Ｒ６０４のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ただし、Ｒ６０１〜Ｒ６０４のうちの隣接する２つ以上からなる組の少なくとも１組が、互いに結合して、下記一般式（６２）で表される２価の基を形成し、
Ｒ６０５〜Ｒ６０８のうちの隣接する２つ以上からなる組の１組以上が、
互いに結合して、置換もしくは無置換の単環を形成するか、
互いに結合して、置換もしくは無置換の縮合環を形成するか、又は
互いに結合せず、
ただし、Ｒ６０５〜Ｒ６０８のうちの隣接する２つ以上からなる組の少なくとも１組が、互いに結合して、下記一般式（６３）で表される２価の基を形成する。）
【０３４８】
【化１０８】
2020178024.tif 000109
【０３４９】
（前記一般式（６２）で表される２価の基を形成せず、前記置換もしくは無置換の単環を形成せず、かつ前記置換もしくは無置換の縮合環を形成しないＲ６０１〜Ｒ６０４、並びに前記一般式（６２）におけるＲ６１１〜Ｒ６１４の少なくとも１つは、下記一般式（６４）で表される１価の基であり、
前記一般式（６３）で示される２価の基を形成せず、前記置換もしくは無置換の単環を形成せず、かつ前記置換もしくは無置換の縮合環を形成しないＲ６０５〜Ｒ６０８、並びに前記一般式（６３）におけるＲ６２１〜Ｒ６２４の少なくとも１つは、下記一般式（６４）で表される１価の基である。）
【０３５０】
【化１０９】
2020178024.tif 000110
【０３５１】
（前記一般式（６２）及び一般式（６３）で表される２価の基を形成せず、前記一般式（６４）で表される１価の基ではなく、前記置換もしくは無置換の単環を形成せず、かつ前記置換もしくは無置換の縮合環を形成しないＲ６０１〜Ｒ６０８、前記一般式（６４）で表される１価の基ではないＲ６１１〜Ｒ６１４及びＲ６２１〜Ｒ６２４、並びにＲ６０９は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の複素環基であり、
前記一般式（６１）〜（６４）におけるＲ９０１〜Ｒ９０７は、それぞれ、前記一般式（２１）におけるＲ９０１〜Ｒ９０７と同義であり、
前記一般式（６４）において、
Ａｒ６０１及びＡｒ６０２は、それぞれ独立に、
置換もしくは無置換の環形成炭素数６〜５０のアリール基、又は
置換もしくは無置換の環形成原子数５〜５０の複素環基であり、
Ｌ６０１〜Ｌ６０３は、それぞれ独立に、
単結合、
置換もしくは無置換の環形成炭素数６〜３０のアリーレン基、
置換もしくは無置換の環形成原子数５〜３０の２価の複素環基、又は
置換もしくは無置換の環形成炭素数６〜３０のアリーレン基及び置換もしくは無置換の環形成原子数５〜３０の２価の複素環基からなる群から選択される２個、３個又は４個の基が結合して形成される２価の連結基である。）
【０３５２】
Ａｒ６０１が複数存在する場合、複数のＡｒ６０１は、互いに同一であるか又は異なる。
Ａｒ６０２が複数存在する場合、複数のＡｒ６０２は、互いに同一であるか又は異なる。
Ｌ６０１が複数存在する場合、複数のＬ６０１は、互いに同一であるか又は異なる。
Ｌ６０２が複数存在する場合、複数のＬ６０２は、互いに同一であるか又は異なる。
Ｌ６０３が複数存在する場合、複数のＬ６０３は、互いに同一であるか又は異なる。
【０３５３】
前記一般式（６１）において、前記一般式（６２）で示される２価の基及び前記一般式（６３）で示される２価の基が形成される位置は特に限定されず、Ｒ６０１〜Ｒ６０８の可能な位置において当該基を形成し得る。
【０３５４】
一実施形態において、前記一般式（６１）で表される化合物は、下記一般式（６１−１）〜（６１−６）のいずれかで表される。
【０３５５】
【化１１０】
2020178024.tif 000111
【０３５６】
（前記一般式（６１−１）〜（６１−６）において、Ｘ６０１は前記一般式（６１）で定義した通りであり、
Ｒ６０１〜Ｒ６２４の少なくとも２つは前記一般式（６４）で表される１価の基であり、
前記一般式（６４）で表される１価の基ではないＲ６０１〜Ｒ６２４、は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の１価の複素環基であり、
Ｒ９０１〜Ｒ９０７は、それぞれ、前記一般式（２１）におけるＲ９０１〜Ｒ９０７と同義である。）
【０３５７】
一実施形態において、前記一般式（６１）で表される化合物は、下記一般式（６１−７）〜（６１−１８）のいずれかで表される。
【０３５８】
【化１１１】
2020178024.tif 000112
【０３５９】
（前記一般式（６１−７）〜（６１−１８）において、
Ｘ６０１は、前記一般式（６１）で定義した通りであり、
＊は、前記一般式（６４）で表される１価の基と結合する単結合であり、
Ｒ６０１〜Ｒ６２４は、前記一般式（６４）で表される１価の基ではないＲ６０１〜Ｒ６２４と同義である。）
【０３６０】
前記一般式（６２）及び（６３）で表される２価の基を形成せず、かつ、前記一般式（６４）で表される１価の基ではないＲ６０１〜Ｒ６０８、及び、前記一般式（６４）で表される１価の基ではないＲ６１１〜Ｒ６１４及びＲ６２１〜Ｒ６２４は、好ましくは、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
置換もしくは無置換の環形成炭素数６〜５０のアリール基、又は
置換もしくは無置換の環形成原子数５〜５０の複素環基である。
【０３６１】
前記一般式（６４）で表される１価の基は、好ましくは下記一般式（６５）又は（６６）で表される。
【０３６２】
【化１１２】
2020178024.tif 000113
【０３６３】
（前記一般式（６５）において、Ｒ６３１〜Ｒ６４０は、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の１価の複素環基であり、
Ｒ９０１〜Ｒ９０７は、それぞれ、前記一般式（２１）におけるＲ９０１〜Ｒ９０７と同義である。）
【０３６４】
【化１１３】
2020178024.tif 000114
【０３６５】
（前記一般式（６６）において、Ａｒ６０１、Ｌ６０１及びＬ６０３は前記一般式（６４）で定義した通りであり、ＨＡｒ６０１は、下記一般式（６７）で表される構造である。
【０３６６】
【化１１４】
2020178024.tif 000115
【０３６７】
前記一般式（６７）において、Ｘ６０２は、酸素原子又は硫黄原子であり、
Ｒ６４１〜Ｒ６４８のいずれか１つは、Ｌ６０３に結合する単結合であり、
単結合ではないＲ６４１〜Ｒ６４８は、、それぞれ独立に、
水素原子、
置換もしくは無置換の炭素数１〜５０のアルキル基、
置換もしくは無置換の炭素数２〜５０のアルケニル基、
置換もしくは無置換の炭素数２〜５０のアルキニル基、
置換もしくは無置換の環形成炭素数３〜５０のシクロアルキル基、
−Ｓｉ（Ｒ９０１）（Ｒ９０２）（Ｒ９０３）で表される基、
−Ｏ−（Ｒ９０４）で表される基、
−Ｓ−（Ｒ９０５）で表される基、
−Ｎ（Ｒ９０６）（Ｒ９０７）で表される基、
ハロゲン原子、
シアノ基、
ニトロ基、
置換もしくは無置換の環形成炭素数６〜５０のアリール基、又は
置換もしくは無置換の環形成原子数５〜５０の１価の複素環基であり、
Ｒ９０１〜Ｒ９０７は、それぞれ、前記一般式（２１）におけるＲ９０１〜Ｒ９０７と同義である。）
【０３６８】
前記一般式（６１）で表される化合物としては、国際公開第２０１４／１０４１４４号に記載の化合物の他、例えば、以下に示す化合物が具体例として挙げられる。本発明は、これら第二の化合物の具体例に限定されない。
【０３６９】
【化１１５】
2020178024.tif 000116
【０３７０】
【化１１６】
2020178024.tif 000117
【０３７１】
【化１１７】
2020178024.tif 000118
【０３７２】
【化１１８】
2020178024.tif 000119
【０３７３】
【化１１９】
2020178024.tif 000120
【０３７４】
【化１２０】
2020178024.tif 000121
【０３７５】
【化１２１】
2020178024.tif 000122
【０３７６】
【化１２２】
2020178024.tif 000123
【０３７７】
【化１２３】
2020178024.tif 000124
【０３７８】
【化１２４】
2020178024.tif 000125
【０３７９】
【化１２５】
2020178024.tif 000126
【０３８０】
【化１２６】
2020178024.tif 000127
【０３８１】
【化１２７】
2020178024.tif 000128
【０３８２】
【化１２８】
2020178024.tif 000129
【０３８３】
【化１２９】
2020178024.tif 000130
【０３８４】
【化１３０】
2020178024.tif 000131
【０３８５】
【化１３１】
2020178024.tif 000132
【０３８６】
【化１３２】
2020178024.tif 000133
【０３８７】
【化１３３】
2020178024.tif 000134
【０３８８】
【化１３４】
2020178024.tif 000135
【０３８９】
【化１３５】
2020178024.tif 000136
【０３９０】
【化１３６】
2020178024.tif 000137
【０３９１】
【化１３７】
2020178024.tif 000138
【０３９２】
【化１３８】
2020178024.tif 000139
【０３９３】
【化１３９】
2020178024.tif 000140
【０３９４】
【化１４０】
2020178024.tif 000141
【０３９５】
【化１４１】
2020178024.tif 000142
【０３９６】
第二の化合物は、特に発光色が限定される必要はないが、主ピーク波長が５５０ｎｍ以下の蛍光発光を示すことが好ましく、主ピーク波長が４８０ｎｍ以下の蛍光発光を示すことがより好ましい。
主ピーク波長とは、第二の化合物が１０−５モル／リットル以上１０−６モル／リットル以下の濃度で溶解しているトルエン溶液について、測定した発光スペクトラムにおける発光強度が最大となる発光スペクトルのピーク波長をいう。
第二の化合物は、青色の蛍光発光を示すことが好ましい。
【０３９７】
・第二の化合物の製造方法
第二の化合物は、公知の合成方法にしたがって、又は当該合成例に倣い、目的物に合わせた既知の代替反応及び原料を用いることで、製造できる。
【０３９８】
上記各基の具体例は、本明細書の［定義］の欄に記載の通りである。
【０３９９】
本発明の一態様に係る有機ＥＬ素子は、前述したように、陰極と、陽極と、前記陰極と前記陽極との間に発光層を有し、前記発光層が、第一の化合物と、前記（ａ）、（ｂ）、（ｃ）及び（ｄ）を満たす第二の化合物と、を含む以外は、本発明の効果を損なわない限りにおいて、従来公知の材料、素子構成を適用することができる。
【０４００】
本実施形態に係る有機ＥＬ素子の一態様において、発光層は、第一の化合物としてのリン光発光性の化合物と、前記（ａ）、（ｂ）、（ｃ）及び（ｄ）を満たす第二の化合物としての蛍光発光性の化合物と、を含有することが好ましい。すなわち、同一の発光層内に第一の化合物としてのリン光発光性の化合物と、第二の化合物としての蛍光発光性の化合物であって、前記（ａ）、（ｂ）、（ｃ）及び（ｄ）を満たす化合物とが存在することが好ましい。
【０４０１】
本実施形態に係る有機ＥＬ素子の一態様において、発光層は、青色発光可能なリン光発光性の化合物を第一の化合物として含み、前記（ａ）、（ｂ）、（ｃ）及び（ｄ）を満たし、青色発光可能な蛍光発光性の化合物を第二の化合物として含むことが好ましい。すなわち、同一の発光層内に青色発光可能なリン光発光性の第一の化合物と、青色発光可能な蛍光発光性の第二の化合物であって、前記（ａ）、（ｂ）、（ｃ）及び（ｄ）を満たす化合物とが存在することが好ましい。
【０４０２】
・発光層の膜厚
本実施形態の有機ＥＬ素子における発光層の膜厚は、好ましくは５ｎｍ以上５０ｎｍ以下、より好ましくは７ｎｍ以上５０ｎｍ以下、さらに好ましくは１０ｎｍ以上５０ｎｍ以下である。発光層の膜厚が５ｎｍ以上であれば発光層を形成し易くなり、色度も調整しやすくなる。発光層の膜厚が５０ｎｍ以下であれば、駆動電圧の上昇を抑制し易い。
【０４０３】
・発光層における化合物の含有率
発光層が第一の化合物及び第二の化合物を含有する場合、発光層における第一の化合物及び第二の化合物の含有率は、例えば、それぞれ、以下の範囲であることが好ましい。
第一の化合物の含有率は、１質量％以上、９９．９質量％以下であることが好ましく、１質量％以上、５０質量％以下であることが好ましく、３質量％以上、４０質量％以下であることがより好ましく、５質量％以上、３０質量％以下であることがさらに好ましい。
第二の化合物の含有率は、０．１質量％以上、２０質量％以下であることが好ましく、０．１質量％以上、１０質量％以下であることが好ましく、０．５質量％以上、７．５質量％以下であることがより好ましく、１質量％以上、５質量％以下であることがさらに好ましい。
ただし、発光層における第一の化合物及び第二の化合物の合計含有率の上限は、１００質量％である。
【０４０４】
なお、本実施形態は、発光層に、第一の化合物及び第二の化合物以外の材料が含まれることを除外しない。
発光層は、第一の化合物を１種のみ含んでもよいし、２種以上含んでもよい。発光層は、第二の化合物を１種のみ含んでもよいし、２種以上含んでもよい。
【０４０５】
以下、本発明の一態様に係る有機ＥＬ素子で用いることができる部材、及び各層を構成する、上記化合物以外の材料等について説明する。
【０４０６】
（基板）
基板は、有機ＥＬ素子の支持体として用いられる。基板としては、例えば、ガラス、石英、プラスチックなどを用いることができる。また、可撓性基板を用いてもよい。可撓性基板とは、折り曲げることができる（フレキシブル）基板のことであり、例えば、ポリカーボネート、ポリアリレート、ポリエーテルスルフォン、ポリプロピレン、ポリエステル、ポリフッ化ビニル、ポリ塩化ビニル、ポリイミド、ポリエチレンナフタレートからなるプラスチック基板等が挙げられる。また、無機蒸着フィルムを用いることもできる。
【０４０７】
（陽極）
基板上に形成される陽極には、仕事関数の大きい（具体的には４．０ｅＶ以上）金属、合金、電気伝導性化合物、およびこれらの混合物などを用いることが好ましい。具体的には、例えば、酸化インジウム−酸化スズ（ＩＴＯ：Ｉｎｄｉｕｍ  Ｔｉｎ  Ｏｘｉｄｅ）、珪素もしくは酸化珪素を含有した酸化インジウム−酸化スズ、酸化インジウム−酸化亜鉛、酸化タングステン、および酸化亜鉛を含有した酸化インジウム、グラフェン等が挙げられる。この他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、チタン（Ｔｉ）、または金属材料の窒化物（例えば、窒化チタン）等が挙げられる。
これらの材料は、通常、スパッタリング法により成膜される。例えば、酸化インジウム−酸化亜鉛は、酸化インジウムに対し１質量％以上１０質量％以下の酸化亜鉛を加えたターゲットを用いることにより、スパッタリング法で形成することができる。また、例えば、酸化タングステン、および酸化亜鉛を含有した酸化インジウムは、酸化インジウムに対し酸化タングステンを０．５質量％以上５質量％以下、酸化亜鉛を０．１質量％以上１質量％以下含有したターゲットを用いることにより、スパッタリング法で形成することができる。その他、真空蒸着法、塗布法、インクジェット法、スピンコート法などにより作製してもよい。
陽極上に形成されるＥＬ層のうち、陽極に接して形成される正孔注入層は、陽極の仕事関数に関係なく正孔（ホール）注入が容易である複合材料を用いて形成されるため、電極材料として可能な材料（例えば、金属、合金、電気伝導性化合物、およびこれらの混合物、その他、元素周期表の第１族または第２族に属する元素も含む）を用いることができる。
仕事関数の小さい材料である、元素周期表の第１族または第２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（例えば、ＭｇＡｇ、ＡｌＬｉ）、ユーロピウム（Ｅｕ）、イッテルビウム（Ｙｂ）等の希土類金属およびこれらを含む合金等を用いることもできる。なお、アルカリ金属、アルカリ土類金属、およびこれらを含む合金を用いて陽極を形成する場合には、真空蒸着法やスパッタリング法を用いることができる。さらに、銀ペーストなどを用いる場合には、塗布法やインクジェット法などを用いることができる。
【０４０８】
（陰極）
陰極には、仕事関数の小さい（具体的には３．８ｅＶ以下）金属、合金、電気伝導性化合物、およびこれらの混合物などを用いることが好ましい。このような陰極材料の具体例としては、元素周期表の第１族または第２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（例えば、ＭｇＡｇ、ＡｌＬｉ）、ユーロピウム（Ｅｕ）、イッテルビウム（Ｙｂ）等の希土類金属およびこれらを含む合金等が挙げられる。
なお、アルカリ金属、アルカリ土類金属、これらを含む合金を用いて陰極を形成する場合には、真空蒸着法やスパッタリング法を用いることができる。また、銀ペーストなどを用いる場合には、塗布法やインクジェット法などを用いることができる。
なお、電子注入層を設けることにより、仕事関数の大小に関わらず、Ａｌ、Ａｇ、ＩＴＯ、グラフェン、珪素もしくは酸化珪素を含有した酸化インジウム−酸化スズ等様々な導電性材料を用いて陰極を形成することができる。これらの導電性材料は、スパッタリング法やインクジェット法、スピンコート法等を用いて成膜することができる。
【０４０９】
（正孔注入層）
正孔注入層は、正孔注入性の高い物質を含む層である。正孔注入性の高い物質としては、モリブデン酸化物、チタン酸化物、バナジウム酸化物、レニウム酸化物、ルテニウム酸化物、クロム酸化物、ジルコニウム酸化物、ハフニウム酸化物、タンタル酸化物、銀酸化物、タングステン酸化物、マンガン酸化物等を用いることができる。
また、正孔注入性の高い物質としては、低分子の有機化合物である４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（４−ジフェニルアミノフェニル）−Ｎ−フェニルアミノ］ビフェニル（略称：ＤＰＡＢ）、４，４’−ビス（Ｎ−｛４−［Ｎ’−（３−メチルフェニル）−Ｎ’−フェニルアミノ］フェニル｝−Ｎ−フェニルアミノ）ビフェニル（略称：ＤＮＴＰＤ）、１，３，５−トリス［Ｎ−（４−ジフェニルアミノフェニル）−Ｎ−フェニルアミノ］ベンゼン（略称：ＤＰＡ３Ｂ）、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３−［Ｎ−（１−ナフチル）−Ｎ−（９−フェニルカルバゾール−３−イル）アミノ］−９−フェニルカルバゾール（略称：ＰＣｚＰＣＮ１）等の芳香族アミン化合物等やジピラジノ［２，３−ｆ：２０，３０−ｈ］キノキサリン−２，３，６，７，１０，１１−ヘキサカルボニトリル（ＨＡＴ−ＣＮ）も挙げられる。
また、正孔注入性の高い物質としては、高分子化合物（オリゴマー、デンドリマー、ポリマー等）を用いることもできる。例えば、ポリ（Ｎ−ビニルカルバゾール）（略称：ＰＶＫ）、ポリ（４−ビニルトリフェニルアミン）（略称：ＰＶＴＰＡ）、ポリ［Ｎ−（４−｛Ｎ’−［４−（４−ジフェニルアミノ）フェニル］フェニル−Ｎ’−フェニルアミノ｝フェニル）メタクリルアミド］（略称：ＰＴＰＤＭＡ）、ポリ［Ｎ，Ｎ’−ビス（４−ブチルフェニル）−Ｎ，Ｎ’−ビス（フェニル）ベンジジン］（略称：Ｐｏｌｙ−ＴＰＤ）などの高分子化合物が挙げられる。また、ポリ（３，４−エチレンジオキシチオフェン）／ポリ（スチレンスルホン酸）（ＰＥＤＯＴ／ＰＳＳ）、ポリアニリン／ポリ（スチレンスルホン酸）（ＰＡｎｉ／ＰＳＳ）等の酸を添加した高分子化合物を用いることもできる。
【０４１０】
（正孔輸送層）
正孔輸送層は、正孔輸送性の高い物質を含む層である。正孔輸送層には、芳香族アミン化合物、カルバゾール誘導体、アントラセン誘導体等を使用する事ができる。具体的には、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４−フェニル−４’−（９−フェニルフルオレン−９−イル）トリフェニルアミン（略称：ＢＡＦＬＰ）、４，４’−ビス［Ｎ−（９，９−ジメチルフルオレン−２−イル）−Ｎ−フェニルアミノ］ビフェニル（略称：ＤＦＬＤＰＢｉ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）などの芳香族アミン化合物等を用いることができる。ここに述べた物質は、主に１０−６ｃｍ２／（Ｖ・ｓ）以上の正孔移動度を有する物質である。
正孔輸送層には、ＣＢＰ、９−［４−（Ｎ−カルバゾリル）］フェニル−１０−フェニルアントラセン（ＣｚＰＡ）、９−フェニル−３−［４−（１０−フェニル−９−アントリル）フェニル］−９Ｈ−カルバゾール（ＰＣｚＰＡ）のようなカルバゾール誘導体や、ｔ−ＢｕＤＮＡ、ＤＮＡ、ＤＰＡｎｔｈのようなアントラセン誘導体を用いても良い。ポリ（Ｎ−ビニルカルバゾール）（略称：ＰＶＫ）やポリ（４−ビニルトリフェニルアミン）（略称：ＰＶＴＰＡ）等の高分子化合物を用いることもできる。
但し、電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
正孔輸送層を二層以上配置する場合、エネルギーギャップのより大きい材料を発光層に近い側に配置することが好ましい。このような材料として、後記する実施例で用いた、ＨＴ−２が挙げられる。
【０４１１】
（電子輸送層）
電子輸送層は、電子輸送性の高い物質を含む層である。電子輸送層には、１）アルミニウム錯体、ベリリウム錯体、亜鉛錯体等の金属錯体、２）イミダゾール誘導体、ベンゾイミダゾール誘導体、アジン誘導体、カルバゾール誘導体、フェナントロリン誘導体等の複素芳香族化合物、３）高分子化合物を使用することができる。具体的には低分子の有機化合物として、Ａｌｑ、トリス（４−メチル−８−キノリノラト）アルミニウム（略称：Ａｌｍｑ３）、ビス（１０−ヒドロキシベンゾ［ｈ］キノリナト）ベリリウム（略称：ＢｅＢｑ２）、ＢＡｌｑ、Ｚｎｑ、ＺｎＰＢＯ、ＺｎＢＴＺなどの金属錯体等を用いることができる。また、金属錯体以外にも、２−（４−ビフェニリル）−５−（４−ｔｅｒｔ−ブチルフェニル）−１，３，４−オキサジアゾール（略称：ＰＢＤ）、１，３−ビス［５−（ｐｔｅｒｔ−ブチルフェニル）−１，３，４−オキサジアゾール−２−イル］ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）、４，４’−ビス（５−メチルベンゾオキサゾール−２−イル）スチルベン（略称：ＢｚＯｓ）などの複素芳香族化合物も用いることができる。本実施態様においては、ベンゾイミダゾール化合物を好適に用いることができる。ここに述べた物質は、主に１０−６ｃｍ２／（Ｖ・ｓ）以上の電子移動度を有する物質である。なお、正孔輸送性よりも電子輸送性の高い物質であれば、上記以外の物質を電子輸送層として用いてもよい。また、電子輸送層は、単層で構成されていてもよいし、上記物質からなる層が二層以上積層されて構成されていてもよい。
また、電子輸送層には、高分子化合物を用いることもできる。例えば、ポリ［（９，９−ジヘキシルフルオレン−２，７−ジイル）−ｃｏ−（ピリジン−３，５−ジイル）］（略称：ＰＦ−Ｐｙ）、ポリ［（９，９−ジオクチルフルオレン−２，７−ジイル）−ｃｏ−（２，２’−ビピリジン−６，６’−ジイル）］（略称：ＰＦ−ＢＰｙ）などを用いることができる。
【０４１２】
（電子注入層）
電子注入層は、電子注入性の高い物質を含む層である。電子注入層には、リチウム（Ｌｉ）、セシウム（Ｃｓ）、カルシウム（Ｃａ）、フッ化リチウム（ＬｉＦ）、フッ化セシウム（ＣｓＦ）、フッ化カルシウム（ＣａＦ２）、リチウム酸化物（ＬｉＯｘ）等のようなアルカリ金属、アルカリ土類金属、またはそれらの化合物を用いることができる。その他、電子輸送性を有する物質にアルカリ金属、アルカリ土類金属、またはそれらの化合物を含有させたもの、具体的にはＡｌｑ中にマグネシウム（Ｍｇ）を含有させたもの等を用いてもよい。なお、この場合には、陰極からの電子注入をより効率良く行うことができる。
あるいは、電子注入層に、有機化合物と電子供与体（ドナー）とを混合してなる複合材料を用いてもよい。このような複合材料は、電子供与体によって有機化合物に電子が発生するため、電子注入性および電子輸送性に優れている。この場合、有機化合物としては、発生した電子の輸送に優れた材料であることが好ましく、具体的には、例えば上述した電子輸送層を構成する物質（金属錯体や複素芳香族化合物等）を用いることができる。電子供与体としては、有機化合物に対し電子供与性を示す物質であればよい。具体的には、アルカリ金属やアルカリ土類金属や希土類金属が好ましく、リチウム、セシウム、マグネシウム、カルシウム、エルビウム、イッテルビウム等が挙げられる。また、アルカリ金属酸化物やアルカリ土類金属酸化物が好ましく、リチウム酸化物、カルシウム酸化物、バリウム酸化物等が挙げられる。また、酸化マグネシウムのようなルイス塩基を用いることもできる。また、テトラチアフルバレン（略称：ＴＴＦ）等の有機化合物を用いることもできる。
【０４１３】
（層形成方法）
本実施形態の有機ＥＬ素子の各層の形成方法としては、上記で特に言及した以外には制限されないが、真空蒸着法、スパッタリング法、プラズマ法、イオンプレーティング法などの乾式成膜法や、スピンコーティング法、ディッピング法、フローコーティング法、インクジェット法などの湿式成膜法などの公知の方法を採用することができる。
【０４１４】
（膜厚）
本実施形態の有機ＥＬ素子の各有機層の膜厚は、上記で特に言及した以外には制限されないが、一般に膜厚が薄すぎるとピンホール等の欠陥が生じやすく、逆に厚すぎると高い印加電圧が必要となり効率が悪くなるため、通常は数ｎｍから１μｍの範囲が好ましい。
【０４１５】
（電子機器）
本実施形態に係る電子機器は、本実施形態に係る有機ＥＬ素子を搭載していることが好ましい。電子機器としては、例えば、表示装置及び発光装置が挙げられる。
表示装置としては、例えば、表示部品（例えば、有機ＥＬパネルモジュール等）、テレビ、携帯電話、タブレット及びパーソナルコンピュータ等が挙げられる。発光装置としては、例えば、照明及び車両用灯具等が挙げられる。
【０４１６】
本実施形態に係る有機エレクトロルミネッセンス素子は、発光層に前述の第一の化合物及び前記（ａ）、（ｂ）、（ｃ）及び（ｄ）を満たす第二の化合物を含有する。そのため、本実施形態に係る有機エレクトロルミネッセンス素子によれば、素子性能が向上する。
【０４１７】
〔第二実施形態〕
第二実施形態に係る有機ＥＬ素子の構成について説明する。第二実施形態の説明において第一実施形態と同一の構成要素は、同一符号及び名称を付す等して説明を省略もしくは簡略化する。また、第二実施形態では、特に言及されない材料及び化合物については、第一実施形態で説明した材料及び化合物と同様の材料及び化合物を用いることができる。
【０４１８】
第二実施形態に係る有機ＥＬ素子は、発光層が、第三の化合物をさらに含んでいる点で、第一実施形態に係る有機ＥＬ素子と異なる。その他の点については第一実施形態と同様である。
【０４１９】
＜第三の化合物＞
第三の化合物は、第一の化合物及び第二の化合物とは異なる構造の化合物である。
【０４２０】
第三の化合物の一重項エネルギーＳ１（Ｍ３）と、前記第二の化合物の一重項エネルギーＳ１（Ｍ２）とが、下記数式（数１）の関係を満たすことが好ましい。
Ｓ１（Ｍ３）＞Ｓ１（Ｍ２）      …（数１）
【０４２１】
第三の化合物は、ホスト材料（マトリックス材料と称する場合もある。）であることも好ましい。第三の化合物がホスト材料である場合、第一の化合物及び第二の化合物の少なくとも一方がドーパント材料（ゲスト材料、エミッター又は発光材料と称する場合もある。）であることが好ましい。
【０４２２】
第三の化合物としては、特に限定されないが、アミン化合物以外の化合物であることが好ましい。また、例えば、第三の化合物としては、カルバゾール誘導体、ジベンゾフラン誘導体、又はジベンゾチオフェン誘導体を用いることができるが、これら誘導体に限定されない。
【０４２３】
第三の化合物は、一つの分子中に下記一般式（３１）で表される部分構造、及び下記一般式（３２）で表される部分構造のうち少なくともいずれかを含む化合物であることも好ましい。
【０４２４】
【化１４２】
2020178024.tif 000143
【０４２５】
前記一般式（３１）において、
Ｙ３１〜Ｙ３６は、それぞれ独立に、窒素原子、又は第三の化合物の分子中における他の原子と結合する炭素原子であり、
ただし、Ｙ３１〜Ｙ３６のうち少なくともいずれかは、第三の化合物の分子中における他の原子と結合する炭素原子であり、
前記一般式（３２）において、
Ｙ４１〜Ｙ４８は、それぞれ独立に、窒素原子、又は第三の化合物の分子中における他の原子と結合する炭素原子であり、
ただし、Ｙ４１〜Ｙ４８のうち少なくともいずれかは、第三の化合物の分子中における他の原子と結合する炭素原子であり、
Ｘ３０は、窒素原子、酸素原子、又は硫黄原子である。
【０４２６】
前記一般式（３２）において、Ｙ４１〜Ｙ４８のうち少なくとも２つが第三の化合物の分子中における他の原子と結合する炭素原子であり、当該炭素原子を含む環構造が構築されていることも好ましい。
例えば、前記一般式（３２）で表される部分構造が、下記一般式（３２１）、一般式（３２２）、一般式（３２３）、一般式（３２４）、一般式（３２５）、及び一般式（３２６）で表される部分構造からなる群から選択されるいずれかの部分構造であることが好ましい。
【０４２７】
【化１４３】
2020178024.tif 000144
【０４２８】
前記一般式（３２１）〜（３２６）において、
Ｘ３０は、それぞれ独立に、窒素原子、酸素原子、又は硫黄原子であり、
Ｙ４１〜Ｙ４８は、それぞれ独立に、窒素原子、又は第三の化合物の分子中における他の原子と結合する炭素原子であり、
Ｘ３１は、それぞれ独立に、窒素原子、酸素原子、硫黄原子、又は炭素原子であり、
Ｙ６１〜Ｙ６４は、それぞれ独立に、窒素原子、又は第三の化合物の分子中における他の原子と結合する炭素原子である。
本実施形態においては、第三の化合物は、前記一般式（３２１）〜（３２６）のうち前記一般式（３２３）で表される部分構造を有することが好ましい。
【０４２９】
前記一般式（３１）で表される部分構造は、下記一般式（３３）で表される基及び下記一般式（３４）で表される基からなる群から選択される少なくともいずれかの基として第三の化合物に含まれることが好ましい。
第三の化合物は、下記一般式（３３）及び下記一般式（３４）で表される部分構造のうち少なくともいずれかの部分構造を有することも好ましい。下記一般式（３３）及び下記一般式（３４）で表される部分構造のように結合箇所が互いにメタ位に位置するため、第三の化合物の７７［Ｋ］におけるエネルギーギャップＴ７７Ｋ（Ｍ３）を高く保つことができる。
【０４３０】
【化１４４】
2020178024.tif 000145
【０４３１】
前記一般式（３３）において、Ｙ３１、Ｙ３２、Ｙ３４、及びＹ３６は、それぞれ独立に、窒素原子又はＣＲ３１である。
前記一般式（３４）において、Ｙ３２、Ｙ３４、及びＹ３６は、それぞれ独立に、窒素原子又はＣＲ３１である。
前記一般式（３３）及び（３４）において、
Ｒ３１は、それぞれ独立に、水素原子又は置換基であり、
置換基としてのＲ３１は、それぞれ独立に、
置換又は無置換の環形成炭素数６〜３０のアリール基、
置換又は無置換の環形成原子数５〜３０のヘテロアリール基、
置換又は無置換の炭素数１〜３０のアルキル基、
置換又は無置換の炭素数１〜３０のフルオロアルキル基、
置換又は無置換の環形成炭素数３〜３０のシクロアルキル基、
置換又は無置換の炭素数７〜３０のアラルキル基、
置換又は無置換のシリル基、
置換ゲルマニウム基、
置換ホスフィンオキシド基、
ハロゲン原子、
シアノ基、
ニトロ基、及び
置換又は無置換のカルボキシ基
からなる群から選択される。
ただし、前記Ｒ３１における置換又は無置換の環形成炭素数６〜３０のアリール基は、非縮合環であることが好ましい。
前記一般式（３３）及び前記一般式（３４）において、＊は、第三の化合物の分子中における他の原子又は他の構造との結合箇所を表す。
【０４３２】
前記一般式（３３）において、Ｙ３１、Ｙ３２、Ｙ３４及びＹ３６は、それぞれ独立に、ＣＲ３１であることが好ましく、複数のＲ３１は、互いに同一であるか、又は異なる。
また、前記一般式（３４）において、Ｙ３２、Ｙ３４及びＹ３６は、それぞれ独立に、ＣＲ３１であることが好ましく、複数のＲ３１は、互いに同一であるか、又は異なる。
【０４３３】
置換ゲルマニウム基は、−Ｇｅ（Ｒ３０１）３で表されることが好ましい。Ｒ３０１は、それぞれ独立に、置換基である。置換基Ｒ３０１は、置換又は無置換の炭素数１〜３０のアルキル基、又は置換又は無置換の環形成炭素数６〜３０のアリール基であることが好ましい。複数のＲ３０１は、互いに同一であるか又は異なる。
【０４３４】
前記一般式（３２）で表される部分構造は、下記一般式（３５）〜（３９）及び下記一般式（３０ａ）で表される基からなる群から選択される少なくともいずれかの基として第三の化合物に含まれることが好ましい。
【０４３５】
【化１４５】
2020178024.tif 000146
【０４３６】
前記一般式（３５）において、Ｙ４１乃至Ｙ４８は、それぞれ独立に、窒素原子又はＣＲ３２である。
前記一般式（３６）及び（３７）において、Ｙ４１〜Ｙ４５、Ｙ４７、及びＹ４８は、それぞれ独立に、窒素原子又はＣＲ３２である。
前記一般式（３８）において、Ｙ４１、Ｙ４２、Ｙ４４、Ｙ４５、Ｙ４７、及びＹ４８は、それぞれ独立に、窒素原子又はＣＲ３２である。
前記一般式（３９）において、Ｙ４２〜Ｙ４８は、それぞれ独立に、窒素原子又はＣＲ３２である。
前記一般式（３０ａ）において、Ｙ４２〜Ｙ４７は、それぞれ独立に、窒素原子又はＣＲ３２である。
前記一般式（３５）〜（３９），及び（３０ａ）において、
Ｒ３２は、それぞれ独立に、水素原子又は置換基であり、
置換基としてのＲ３２は、
置換又は無置換の環形成炭素数６〜３０のアリール基、
置換又は無置換の環形成原子数５〜３０のヘテロアリール基、
置換又は無置換の炭素数１〜３０のアルキル基、
置換又は無置換の炭素数１〜３０のフルオロアルキル基、
置換又は無置換の環形成炭素数３〜３０のシクロアルキル基、
置換又は無置換の炭素数７〜３０のアラルキル基、
置換又は無置換のシリル基、
置換ゲルマニウム基、
置換ホスフィンオキシド基、
ハロゲン原子、
シアノ基、
ニトロ基、及び
置換又は無置換のカルボキシ基
からなる群から選択され、
複数のＲ３２は、互いに同一であるか又は異なる。
前記一般式（３７）〜（３９），及び（３０ａ）において、Ｘ３０は、ＮＲ３３、酸素原子、又は硫黄原子であり、
Ｒ３３は、
置換又は無置換の環形成炭素数６〜３０のアリール基、
置換又は無置換の環形成原子数５〜３０のヘテロアリール基、
置換又は無置換の炭素数１〜３０のアルキル基、
置換又は無置換の炭素数１〜３０のフルオロアルキル基、
置換又は無置換の環形成炭素数３〜３０のシクロアルキル基、
置換又は無置換の炭素数７〜３０のアラルキル基、
置換又は無置換のシリル基、
置換ゲルマニウム基、
置換ホスフィンオキシド基、
フッ素原子、
シアノ基、
ニトロ基、及び
置換又は無置換のカルボキシ基
からなる群から選択され、
複数のＲ３３は、互いに同一であるか又は異なる。
ただし、前記Ｒ３３における置換又は無置換の環形成炭素数６〜３０のアリール基は、非縮合環であることが好ましい。
前記一般式（３５）〜（３９），（３０ａ）において、＊は、第三の化合物の分子中における他の原子又は他の構造との結合箇所を表す。
【０４３７】
前記一般式（３５）において、Ｙ４１〜Ｙ４８は、それぞれ独立に、ＣＲ３２であることが好ましく、前記一般式（３６）及び前記一般式（３７）において、Ｙ４１〜Ｙ４５，Ｙ４７及びＹ４８は、それぞれ独立に、ＣＲ３２であることが好ましく、前記一般式（３８）において、Ｙ４１，Ｙ４２，Ｙ４４，Ｙ４５，Ｙ４７及びＹ４８は、それぞれ独立に、ＣＲ３２であることが好ましく、前記一般式（３９）において、Ｙ４２〜Ｙ４８は、それぞれ独立に、ＣＲ３２であることが好ましく、前記一般式（３０ａ）において、Ｙ４２〜Ｙ４７は、それぞれ独立に、ＣＲ３２であることが好ましく、複数のＲ３２は、互いに同一であるか又は異なる。
【０４３８】
第三の化合物において、Ｘ３０は、酸素原子又は硫黄原子であることが好ましく、酸素原子であることがより好ましい。
【０４３９】
第三の化合物において、Ｒ３１及びＲ３２は、それぞれ独立に、水素原子又は置換基であって、置換基としてのＲ３１及び置換基としてのＲ３２は、それぞれ独立に、フッ素原子、シアノ基、置換又は無置換の炭素数１〜３０のアルキル基、置換又は無置換の環形成炭素数６〜３０のアリール基、及び置換又は無置換の環形成原子数５〜３０のヘテロアリール基からなる群から選択されるいずれかの基であることが好ましい。Ｒ３１及びＲ３２は、水素原子、シアノ基、置換又は無置換の環形成炭素数６〜３０のアリール基、又は置換又は無置換の環形成原子数５〜３０のヘテロアリール基であることがより好ましい。ただし、置換基としてのＲ３１及び置換基としてのＲ３２が置換又は無置換の環形成炭素数６〜３０のアリール基である場合、当該アリール基は、非縮合環であることが好ましい。
【０４４０】
第三の化合物は、芳香族炭化水素化合物、又は芳香族複素環化合物であることも好ましい。また、第三の化合物は、分子中に縮合芳香族炭化水素環を有していないことが好ましい。
【０４４１】
・第三の化合物の製造方法
第三の化合物は、例えば、国際公開第２０１２／１５３７８０号及び国際公開第２０１３／０３８６５０号等に記載の方法により製造することができる。また、例えば、目的物に合わせた既知の代替反応及び原料を用いることで、第三の化合物を製造できる。
【０４４２】
第三の化合物における置換基の例は、例えば、以下のとおりであるが、本発明は、これらの例に限定されない。
【０４４３】
アリ−ル基（芳香族炭化水素基と称する場合がある。）の具体例としては、フェニル基、トリル基、キシリル基、ナフチル基、フェナントリル基、ピレニル基、クリセニル基、ベンゾ［ｃ］フェナントリル基、ベンゾ［ｇ］クリセニル基、ベンゾアントリル基、トリフェニレニル基、フルオレニル基、９，９−ジメチルフルオレニル基、ベンゾフルオレニル基、ジベンゾフルオレニル基、ビフェニル基、ターフェニル基、クォーターフェニル基、フルオランテニル基等が挙げられ、好ましくはフェニル基、ビフェニル基、ターフェニル基、クォーターフェニル基、ナフチル基、トリフェニレニル基、及びフルオレニル基等を挙げることができる。
置換基を有するアリ−ル基としては、トリル基、キシリル基、及び９，９−ジメチルフルオレニル基等を挙げることができる。
具体例が示すように、アリール基は、縮合アリール基及び非縮合アリール基の両方を含む。
アリ−ル基としては、フェニル基、ビフェニル基、ターフェニル基、クォーターフェニル基、ナフチル基、トリフェニレニル基、及びフルオレニル基が好ましい。
【０４４４】
ヘテロアリール基（複素環基、ヘテロ芳香族環基、又は芳香族複素環基と称する場合がある。）の具体例としては、ピロリル基、ピラゾリル基、ピラジニル基、ピリミジニル基、ピリダジニル基、ピリジル基、トリアジニル基、インドリル基、イソインドリル基、イミダゾリル基、ベンズイミダゾリル基、インダゾリル基、イミダゾ［１，２−ａ］ピリジニル基、フリル基、ベンゾフラニル基、イソベンゾフラニル基、ジベンゾフラニル基、アザジベンゾフラニル基、チエニル基、ベンゾチエニル基、ジベンゾチエニル基、アザジベンゾチエニル基、キノリル基、イソキノリル基、キノキサリニル基、キナゾリニル基、ナフチリジニル基、カルバゾリル基、アザカルバゾリル基、フェナントリジニル基、アクリジニル基、フェナントロリニル基、フェナジニル基、フェノチアジニル基、フェノキサジニル基、オキサゾリル基、オキサジアゾリル基、フラザニル基、ベンズオキサゾリル基、チエニル基、チアゾリル基、チアジアゾリル基、ベンズチアゾリル基、トリアゾリル基、及びテトラゾリル基等が挙げられ、好ましくは、ジベンゾフラニル基、ジベンゾチエニル基、カルバゾリル基、ピリジル基、ピリミジニル基、トリアジニル基、アザジベンゾフラニル基、及びアザジベンゾチエニル基等を挙げることができる。
ヘテロアリール基としては、ジベンゾフラニル基、ジベンゾチエニル基、カルバゾリル基、ピリジル基、ピリミジニル基、トリアジニル基、アザジベンゾフラニル基、及びアザジベンゾチエニル基が好ましく、ジベンゾフラニル基、ジベンゾチエニル基、アザジベンゾフラニル基、及びアザジベンゾチエニル基がさらに好ましい。
【０４４５】
第三の化合物において、置換シリル基は、置換又は無置換のトリアルキルシリル基、置換又は無置換のアリールアルキルシリル基、及び置換又は無置換のトリアリールシリル基からなる群から選択されることも好ましい。
置換又は無置換のトリアルキルシリル基の具体例としては、トリメチルシリル基、及びトリエチルシリル基を挙げることができる。
置換若しくは無置換のアリールアルキルシリル基の具体例としては、ジフェニルメチルシリル基、ジトリルメチルシリル基、及びフェニルジメチルシリル基等を挙げることができる。
置換又は無置換のトリアリールシリル基の具体例としては、トリフェニルシリル基、及びトリトリルシリル基等を挙げることができる。
【０４４６】
第三の化合物において、置換ホスフィンオキシド基は、置換又は無置換のジアリールホスフィンオキシド基であることも好ましい。
置換又は無置換のジアリールホスフィンオキシド基の具体例としては、ジフェニルホスフィンオキシド基、及びジトリルホスフィンオキシド基等を挙げることができる。
【０４４７】
第三の化合物において、置換カルボキシ基としては、例えば、ベンゾイルオキシ基等が挙げられる。
【０４４８】
第三の化合物において、これまでに規定しない置換基については、第一の化合物について規定した置換基の例による。ここで「例による」とは、第三の化合物の置換基の好ましい炭素数・原子数や具体例、好ましい具体例等は、第一の化合物の置換基についての規定を参照するという意味である。
また、第三の化合物において、「置換又は無置換」との記載における置換基についても、第一の化合物における「置換もしくは無置換」との記載の例による。
【０４４９】
＜発光層における第一の化合物、第二の化合物、及び第三の化合物の関係＞
第三の化合物の７７［Ｋ］におけるエネルギーギャップＴ７７Ｋ（Ｍ３）は、第二の化合物の７７［Ｋ］におけるエネルギーギャップＴ７７Ｋ（Ｍ２）よりも大きいことが好ましい。即ち、下記数式（数２）の関係を満たすことが好ましい。
Ｔ７７Ｋ（Ｍ３）＞Ｔ７７Ｋ（Ｍ２）      …（数２）
【０４５０】
本実施形態の有機ＥＬ素子を発光させたときに、発光層において、主に第二の化合物が発光していることが好ましい。
【０４５１】
・発光層における化合物の含有率
第三の化合物の含有率は、５０質量％以上、９９質量％以下であることが好ましく、第一の化合物及び第二の化合物の合計の含有率は、１質量％以上、５０質量％以下であることが好ましい。
第三の化合物を含む場合の発光層における第一の化合物、第二の化合物、及び第三の化合物の合計含有率の上限は、１００質量％である。尚、本実施形態は、発光層に、第一の化合物、第二の化合物、及び第三の化合物以外の材料が含まれることを除外しない。
【０４５２】
本実施形態に係る有機エレクトロルミネッセンス素子は、発光層に前述の第一の化合物、第二の化合物及び第三の化合物を含有する。そのため、本実施形態に係る有機エレクトロルミネッセンス素子によれば、素子性能が向上する。
【０４５３】
第二実施形態に係る有機ＥＬ素子は、第一の実施形態に係る有機ＥＬ素子と同様に、表示装置及び発光装置等の電子機器に使用できる。
【０４５４】
〔実施形態の変形〕
なお、本発明は、上述の実施形態に限定されない。本発明の目的を達成できる範囲での変更、改良などは、本発明に含まれる。
【０４５５】
発光層は、１層に限られず、複数の発光層が積層されていてもよい。有機ＥＬ素子が複数の発光層を有する場合、少なくとも１つの発光層が前記第一の化合物及び第二の化合物を含んでいればよく、その他の発光層が蛍光発光型の発光層であっても、三重項励起状態から直接基底状態への電子遷移による発光を利用した燐光発光型の発光層であってもよい。
また、有機ＥＬ素子が複数の発光層を有する場合、これらの発光層が互いに隣接して設けられていてもよいし、中間層を介して複数の発光ユニットが積層された、いわゆるタンデム型の有機ＥＬ素子であってもよい。
【０４５６】
また、例えば、発光層の陽極側や陰極側に障壁層を隣接させて設けてもよい。障壁層は、発光層に接して配置され、正孔、電子、励起子及びエキサイプレックスの少なくともいずれかを阻止することが好ましい。
例えば、発光層の陰極側で接して障壁層が配置された場合、当該障壁層は、電子を輸送し、正孔が当該障壁層よりも陰極側の層（例えば、電子輸送層）に到達することを阻止する。
また、発光層の陽極側で接して障壁層が配置された場合、当該障壁層は、正孔を輸送し、電子が当該障壁層よりも陽極側の層（例えば、正孔輸送層）に到達することを阻止する。
また、励起エネルギーが発光層からその周辺層に漏れ出さないように、障壁層を発光層に隣接させて設けてもよい。発光層で生成した励起子が、当該障壁層よりも電極側の層（例えば、電子輸送層や正孔輸送層）に移動することを阻止する。
発光層と障壁層とは接合していることが好ましい。
【０４５７】
その他、本発明の実施における具体的な構造および形状などは、本発明の目的を達成できる範囲で他の構造などとしてもよい。
【実施例】
【０４５８】
以下、本発明に係る実施例を説明する。本発明は、これらの実施例によって何ら限定されない。
【０４５９】
＜化合物＞
下記実施例１〜１５で用いた第一の化合物を以下に示す。
【０４６０】
【化１４６】
2020178024.tif 000147
【０４６１】
下記実施例１〜１５で用いた、前記一般式（２１）、一般式（３１）、一般式（４１）、一般式（５１）、又は一般式（６１）で表される第二の化合物を以下に示す。
【０４６２】
【化１４７】
2020178024.tif 000148
【０４６３】
【化１４８】
2020178024.tif 000149
【０４６４】
【化１４９】
2020178024.tif 000150
【０４６５】
下記実施例１〜１５で用いた第三の化合物を以下に示す。
【０４６６】
【化１５０】
2020178024.tif 000151
【０４６７】
【化１５１】
2020178024.tif 000152
【０４６８】
実施例１〜１５及び比較例１〜１５に係る有機ＥＬ素子の製造に用いた、他の化合物の構造を以下に示す。
【０４６９】
【化１５２】
2020178024.tif 000153
【０４７０】
【化１５３】
2020178024.tif 000154
【０４７１】
【化１５４】
2020178024.tif 000155
【０４７２】
【化１５５】
2020178024.tif 000156
【０４７３】
＜有機ＥＬ素子の作製＞
有機ＥＬ素子を以下のように作製し、評価した。
【０４７４】
〔実施例１〕
２５ｍｍ×７５ｍｍ×１．１ｍｍ厚のＩＴＯ透明電極（陽極）付きガラス基板（ジオマテック株式会社製）をイソプロピルアルコール中で超音波洗浄を５分間行なった後、ＵＶオゾン洗浄を３０分間行なった。ＩＴＯの膜厚は、１３０ｎｍとした。
洗浄後の透明電極付きガラス基板を真空蒸着装置の基板ホルダーに装着し、まず透明電極が形成されている側の面上に透明電極を覆うようにして化合物ＨＴ１と化合物Ｐ−ｄｏｐｅとを共蒸着し、膜厚１０ｎｍの膜を形成した。この膜中の化合物ＨＴ１の割合は９７質量％とし、化合物Ｐ−ｄｏｐｅの割合は３質量％とした。この膜は、正孔注入層として機能する。
【０４７５】
この正孔注入層の成膜に続けて化合物ＨＴ１を蒸着し、膜厚８０ｎｍのＨＴ１膜を成膜した。このＨＴ１膜は正孔輸送層（第１正孔輸送層）として機能する。
ＨＴ１膜の成膜に続けて化合物ＨＴ２を蒸着し、ＨＴ１膜上に膜厚１０ｎｍのＨＴ２膜を成膜した。このＨＴ２膜は電子阻止層（第２正孔輸送層）として機能する。
ＨＴ２膜上に、第三の化合物（ホスト材料）としての化合物Ｈｏｓｔ−１、第一の化合物（ドーパント材料）としての化合物ＰＤ−１、及び第二の化合物（ドーパント材料）としてのＦＤ−１を共蒸着して膜厚２５ｎｍのＨｏｓｔ−１：ＰＤ−１：ＦＤ−１膜を成膜した。この膜中、化合物Ｈｏｓｔ−１の割合が７４質量％とし、化合物ＰＤ−１の割合が２５質量％とし、化合物ＦＤ−１の割合が１質量％となるように共蒸着した。この膜は発光層として機能する。
【０４７６】
この発光層上に化合物ＥＴ１を蒸着して、膜厚１０ｎｍのＥＴ１膜を成膜した。このＥＴ１膜は正孔障壁層として機能する。
ＥＴ１膜上に化合物ＥＴ２を蒸着して、膜厚１５ｎｍのＥＴ２膜を成膜した。このＥＴ２膜は電子輸送層として機能する。
このＥＴ２膜上にＬｉＦを蒸着して、膜厚１ｎｍのＬｉＦ膜を形成した。
このＬｉＦ膜上に金属Ａｌを蒸着して、膜厚８０ｎｍの金属陰極を形成し、有機ＥＬ素子を作製した。
【０４７７】
実施例１に係る有機ＥＬ素子の素子構成を略式的に示すと、次のとおりである。
ITO(130) / HT1:P-dope(10, 97%:3%) / HT1(80) / HT2(10) / Host-1:PD-1:FD-1(25, 74%:25%:1%) / ET1(10) / ET2(15) / LiF(1) / Al(80)
なお、括弧内の数字は、膜厚（単位：ｎｍ）を示す。
同じく括弧内において、パーセント表示された数字（９７％：３％）は、正孔注入層における化合物ＨＴ１及び化合物Ｐ−ｄｏｐｅの割合（質量％）を示し、パーセント表示された数字（７４％：２５％：１％）は、発光層における化合物Ｈｏｓｔ−１、化合物ＰＤ−１及び化合物ＦＤ−１の割合（質量％）を示す。以下、同様の表記とする。
【０４７８】
〔実施例２〜１５〕
実施例２〜１５に係る有機ＥＬ素子は、実施例１に係る有機ＥＬ素子の発光層における第一の化合物、第二の化合物及び第三の化合物を表１に記載の化合物に変更したこと以外、実施例１と同様にして作製した。
【０４７９】
〔比較例１〜１５〕
比較例１〜１５に係る有機ＥＬ素子は、実施例１に係る有機ＥＬ素子の発光層における第一の化合物、第二の化合物及び第三の化合物を表１に記載の化合物に変更するか、又は第二の化合物及び第三の化合物のいずれかを発光層に含めなかったこと以外、実施例１と同様にして作製した。比較例１〜１０及び１４に係る有機ＥＬ素子においては、発光層中の第三の化合物の割合を９８質量％とし、第二の化合物の割合を２質量％とした。比較例１１〜１３に係る有機ＥＬ素子においては、発光層中の第三の化合物の割合を９５質量％とし、第一の化合物の割合を５質量％とした。比較例１５に係る有機ＥＬ素子においては、第三の化合物の割合を７４％質量％とし、第一の化合物の割合を２５％質量％とし、第二の化合物の割合を１％質量％とした。
【０４８０】
＜有機ＥＬ素子の評価＞
実施例１〜１５及び比較例１〜１５で作製した有機ＥＬ素子について、以下の評価を行った。評価結果を表１に示す。
【０４８１】
・ＥＱＥ比
電流密度が１０ｍＡ／ｃｍ２となるように素子に電圧を印加した時の分光放射輝度スペクトルを分光放射輝度計ＣＳ−２０００（コニカミノルタ株式会社製）で計測した。得られた分光放射輝度スペクトルから、ランバシアン放射を行ったと仮定し外部量子効率ＥＱＥ（単位：％）を算出した。
実施例１〜３、比較例１〜２のＥＱＥ比は、比較例２に係る有機ＥＬ素子の外部量子効率ＥＱＥを１．００とした場合の、比較例２に係る有機ＥＬ素子の外部量子効率ＥＱＥに対する各実施例及び比較例に係る有機ＥＬ素子の外部量子効率ＥＱＥの相対値である。
実施例４〜６、比較例３〜４のＥＱＥ比は、比較例４に係る有機ＥＬ素子の外部量子効率ＥＱＥを１．００とした場合の、比較例４に係る有機ＥＬ素子の外部量子効率ＥＱＥに対する各実施例及び比較例に係る有機ＥＬ素子の外部量子効率ＥＱＥの相対値である。
実施例７〜９、比較例５〜６のＥＱＥ比は、比較例６に係る有機ＥＬ素子の外部量子効率ＥＱＥを１．００とした場合の、比較例６に係る有機ＥＬ素子の外部量子効率ＥＱＥに対する各実施例及び比較例に係る有機ＥＬ素子の外部量子効率ＥＱＥの相対値である。
実施例１０〜１２、比較例７〜８のＥＱＥ比は、比較例８に係る有機ＥＬ素子の外部量子効率ＥＱＥを１．００とした場合の、比較例８に係る有機ＥＬ素子の外部量子効率ＥＱＥに対する各実施例及び比較例に係る有機ＥＬ素子の外部量子効率ＥＱＥの相対値である。
実施例１３〜１５、比較例９〜１０のＥＱＥ比は、比較例１０に係る有機ＥＬ素子の外部量子効率ＥＱＥを１．００とした場合の、比較例１０に係る有機ＥＬ素子の外部量子効率ＥＱＥに対する各実施例及び比較例に係る有機ＥＬ素子の外部量子効率ＥＱＥの相対値である
比較例１１〜１３のＥＱＥ比は、比較例２に係る有機ＥＬ素子の外部量子効率ＥＱＥを１．００とした場合の、比較例２に係る有機ＥＬ素子の外部量子効率ＥＱＥに対する各比較例に係る有機ＥＬ素子の外部量子効率ＥＱＥの相対値である。
比較例１４〜１５のＥＱＥ比は、比較例１５に係る有機ＥＬ素子の外部量子効率ＥＱＥを１．００とした場合の、比較例１５に係る有機ＥＬ素子の外部量子効率ＥＱＥに対する各比較例に係る有機ＥＬ素子の外部量子効率ＥＱＥの相対値である。
【０４８２】
（ＬＴ比）
得られた有機ＥＬ素子に、電流密度が５０ｍＡ／ｃｍ２となるように電圧を印加し、初期輝度に対して輝度が９５％となるまでの時間（ＬＴ９５（単位：時間））を測定した。
実施例１〜３、比較例１〜２のＬＴ比は、比較例２に係る有機ＥＬ素子のＬＴ９５を１．００とした場合の、比較例２に係る有機ＥＬ素子のＬＴ９５に対する各実施例及び比較例に係る有機ＥＬ素子のＬＴ９５の相対値である。
実施例４〜６、比較例３〜４のＬＴ比は、比較例４に係る有機ＥＬ素子のＬＴ９５を１．００とした場合の、比較例４に係る有機ＥＬ素子のＬＴ９５に対する各実施例及び比較例に係る有機ＥＬ素子のＬＴ９５の相対値である。
実施例７〜９、比較例５〜６のＬＴ比は、比較例６に係る有機ＥＬ素子のＬＴ９５を１．００とした場合の、比較例６に係る有機ＥＬ素子のＬＴ９５に対する各実施例及び比較例に係る有機ＥＬ素子のＬＴ９５の相対値である。
実施例１０〜１２、比較例７〜８のＬＴ比は、比較例８に係る有機ＥＬ素子のＬＴ９５を１．００とした場合の、比較例８に係る有機ＥＬ素子のＬＴ９５に対する各実施例及び比較例に係る有機ＥＬ素子のＬＴ９５の相対値である。
実施例１３〜１５、比較例９〜１０のＬＴ比は、比較例１０に係る有機ＥＬ素子のＬＴ９５を１．００とした場合の、比較例１０に係る有機ＥＬ素子のＬＴ９５に対する各実施例及び比較例に係る有機ＥＬ素子のＬＴ９５の相対値である
比較例１１〜１３のＬＴ比は、比較例２に係る有機ＥＬ素子のＬＴ９５を１．００とした場合の、比較例２に係る有機ＥＬ素子のＬＴ９５に対する各比較例に係る有機ＥＬ素子のＬＴ９５の相対値である。
比較例１４〜１５のＬＴ比は、比較例１５に係る有機ＥＬ素子のＬＴ９５を１．００とした場合の、比較例１５に係る有機ＥＬ素子のＬＴ９５に対する各比較例に係る有機ＥＬ素子のＬＴ９５の相対値である。
【０４８３】
（Δ半値幅）
Δ半値幅の測定方法は、次の通りである。
２０ｍｍ×１０ｍｍ×１ｍｍ厚の石英基板をイソプロピルアルコール中で、５分間、超音波洗浄した後、３０分間、ＵＶオゾン洗浄した。
ＵＶオゾン洗浄後の石英基板を真空蒸着装置の基板ホルダーに装着し、各実施例及び比較例に係る有機ＥＬ素子の発光層の形成に用いた第三の化合物、第一の化合物及び第二の化合物を膜中の割合が７３質量％：２５質量％：２質量％となるように共蒸着し、膜厚５０ｎｍの膜を成膜した。このようにして、半値幅測定用サンプルを作製し、この半値幅測定用サンプルの膜の蛍光スペクトルを測定した。蛍光スペクトル測定には、日立ハイテクサイエンス社の分光蛍光光度計Ｆ−７０００形を用いた。
半値幅（ＦＷＨＭ）は、測定した蛍光スペクトルのピーク波長の強度の半分の強度となる波長の幅を計測することにより算出した。算出した半値幅を、各実施例又は比較例に係る半値幅と称する。
実施例１〜３、比較例１〜２のΔ半値幅は、各実施例及び比較例に係る半値幅の値から、比較例２に係る半値幅の値を除して得た値とした。
実施例４〜６、比較例３〜４のΔ半値幅は、各実施例及び比較例に係る半値幅の値から、比較例４に係る半値幅の値を除して得た値とした。
実施例７〜９、比較例５〜６のΔ半値幅は、各実施例及び比較例に係る半値幅の値から、比較例６に係る半値幅の値を除して得た値とした。
実施例１０〜１２、比較例７〜８のΔ半値幅は、各実施例及び比較例に係る半値幅の値から、比較例８に係る半値幅の値を除して得た値とした。
実施例１３〜１５、比較例９〜１０のΔ半値幅は、各実施例及び比較例に係る半値幅の値から、比較例１０に係る半値幅の値を除して得た値とした。
比較例１１〜１３のΔ半値幅は、各実施例及び比較例に係る半値幅の値から、比較例１３に係る半値幅の値を除して得た値とした。
比較例１４〜１５のΔ半値幅は、各実施例及び比較例に係る半値幅の値から、比較例１５に係る半値幅の値を除して得た値とした。
【０４８４】
【表１】
2020178024.tif 000157
【０４８５】
表１より、第一の化合物と第二の化合物とを組み合わせた実施例１〜３は、比較例２に対して、実施例４〜６は、比較例４に対して、実施例７〜９は、比較例６に対して、実施例１０〜１２は、比較例８に対して、実施例１３〜１５は、比較例１０に対して、それぞれ、同等の半値幅であり、同等の寿命であり、かつ、発光効率が高かった。
比較例１１〜１３の有機ＥＬ素子のように、第一の化合物及び第二の化合物のうち第一の化合物のみを用いた有機ＥＬ素子では、発光効率が高いが、半値幅が大きく拡がり、寿命が大幅に短くなった。
比較例１、３、５、７及び９のように、第一の化合物及び第二の化合物のうち第二の化合物のみを用いた有機ＥＬ素子では寿命が長く、半値幅が狭かったが、発光効率が低かった。
また、比較例１５の有機ＥＬ素子のように、２種類のドーパント及び１種類のホストを発光層に含む場合であっても、一方のドーパント（化合物ＦＤ−４）が、第二の化合物に関する（ａ）、（ｂ）、（ｃ）及び（ｄ）を同時に満たさない化合物であり、発光効率が高く、寿命が長かったが、半値幅が大きく拡がり、発光効率、寿命及び半値幅の３つの特性を同時に満足しなかった。
実施例１〜１５に係る有機ＥＬ素子によれば、第一の化合物から第二の化合物へのエネルギー移動を利用することにより、第二の化合物のみを用いた場合の発光効率を改善しつつ、第二の化合物のみを用いた素子と同等程度の半値幅、及び寿命の特性を達成できる。
【０４８６】
＜化合物の評価＞
実施例１〜１５及び比較例１〜１５で使用した化合物の物性値を以下の方法で測定した。
【０４８７】
（半値幅）
測定対象材料を１０−６ｍｏｌ／Ｌ以上１０−５ｍｏｌ／Ｌ以下の濃度でトルエンに溶解し、測定用試料を調整した。石英セルへ入れた測定用試料に室温（３００Ｋ）で励起光を照射し、蛍光スペクトル（縦軸：蛍光強度、横軸：波長）を測定した。蛍光スペクトル測定には、日立ハイテクサイエンス社の分光蛍光光度計Ｆ−７０００形を用いた。半値幅（ＦＷＨＭ）は、測定した蛍光スペクトルのピーク波長の強度の半分の強度となる波長の幅を計測することにより算出した。
【０４８８】
（イオン化ポテンシャルＩｐ）
イオン化ポテンシャルは、大気下で、光電子分光装置（理研計器株式会社製、「ＡＣ−３」）を用いて測定した。具体的には、測定対象材料に光を照射し、その際に電荷分離によって生じる電子量を測定することにより測定した。
【０４８９】
（一重項エネルギーＳ１）
化合物ＦＤ−１、化合物ＦＤ−２、化合物ＦＤ−３、及び化合物ＦＤ−４の一重項エネルギーＳ１を、前述の溶液法により測定した。測定結果を表１に示す。
【０４９０】
（ピークトップ）
前述の半値幅（ＦＷＨＭ）の測定で得た蛍光スペクトルの最大強度の波長をピークトップ（単位：波長）とした。
【符号の説明】
【０４９１】
１…有機ＥＬ素子、２…基板、３…陽極、４…陰極、５…発光層、６…正孔注入・輸送層、７…電子注入・輸送層、１０…有機層。
【図１】
2020178024.tif 000171